(57)【要約】本願は、通信方法及び通信装置を提供する。通信方法は、端末デバイスによって、サービスフローを新たに追加又は更新するよう要求する要求メッセージを、第１アクセス技術を使用することによって第１コアネットワーク要素へ送信することと、端末デバイスによって、第１アクセス技術及び／又は第２アクセス技術を使用することによって、第１コアネットワーク要素から要求メッセージの応答メッセージを受信することと、端末デバイスによって、第２アクセス技術又は、第１アクセス技術及び第２アクセス技術を使用することによって、応答メッセージに基づいてサービスフローを伝送することとを含む。本願の実施形態における通信方法によれば、マルチアクセスＰＤＵセッションの更新プロシージャが実装可能である。
2021517799.tif 000002
【特許請求の範囲】
【請求項１】
端末デバイスによって、サービスフローを新たに追加又は更新するよう要求する要求メッセージを、第１アクセス技術を使用することによって第１コアネットワーク要素へ送信することと、
前記端末デバイスによって、前記第１アクセス技術及び／又は第２アクセス技術を使用することによって、前記第１コアネットワーク要素から前記要求メッセージの応答メッセージを受信することと、
前記端末デバイスによって、前記第２アクセス技術又は、前記第１アクセス技術及び前記第２アクセス技術を使用することによって、前記応答メッセージに基づいて前記サービスフローを伝送することと
を有する通信方法。
【請求項２】
前記要求メッセージは、第１識別情報と、前記第２アクセス技術の指示情報とを有し、前記第１識別情報は、前記サービスフローを決定するために使用可能であり、
前記応答メッセージは、前記第１識別情報と、前記第２アクセス技術の前記指示情報を有するか、あるいは、
前記応答メッセージは、前記第１識別情報と、前記第１アクセス技術の指示情報と、前記第２アクセス技術の前記指示情報とを有する、
請求項１に記載の通信方法。
【請求項３】
前記要求メッセージは、第１識別情報と、前記第１アクセス技術の指示情報と、前記第２アクセス技術の指示情報とを有し、前記第１識別情報は、前記サービスフローを決定するために使用可能であり、
前記応答メッセージは、前記第１識別情報と、前記第２アクセス技術の前記指示情報とを有するか、あるいは、
前記応答メッセージは、前記第１識別情報と、前記第１アクセス技術の前記指示情報と、前記第２アクセス技術の前記指示情報とを有する、
請求項１に記載の通信方法。
【請求項４】
前記要求メッセージは、第１識別情報と、前記第１アクセス技術の指示情報とを有し、前記第１識別情報は、前記サービスフローを決定するために使用可能であり、
前記応答メッセージは、前記第１識別情報と、前記第２アクセス技術の指示情報とを有するか、あるいは、
前記応答メッセージは、前記第１識別情報と、前記第１アクセス技術の前記指示情報と、前記第２アクセス技術の指示情報とを有する、
請求項１に記載の通信方法。
【請求項５】
前記第１識別情報は、
前記サービスフローの記述情報、クオリティ・オブ・サービスフロー識別子ＱＦＩ、又はパケットデータユニットＰＤＵセッション識別子のうちの少なくとも１つを有する、
請求項２乃至４のうちいずれか一項に記載の通信方法。
【請求項６】
前記第１アクセス技術の前記指示情報は、第１アクセスタイプであり、前記第２アクセス技術の前記指示情報は、第２アクセスタイプであり、あるいは、
前記第１アクセス技術の前記指示情報は、第１アクセスタイプに対応するクオリティ・オブ・サービスＱｏＳ規則であり、前記第２アクセス技術の前記指示情報は、第２アクセスタイプに対応するＱｏＳ規則であり、あるいは、
前記第１アクセス技術の前記指示情報及び前記第２アクセス技術の前記指示情報は、第１アクセスタイプ及び第２アクセスタイプに対応するクオリティ・オブ・サービスＱｏＳ規則である、
請求項２乃至５のうちいずれか一項に記載の通信方法。
【請求項７】
前記要求メッセージは、第１指示情報を更に有し、
前記第１指示情報は、前記第１コアネットワーク要素が前記サービスフローに対応するアクセス技術を変更することを許されることを示すために使用可能である、
請求項２乃至６のうちいずれか一項に記載の通信方法。
【請求項８】
前記応答メッセージは、フロー分割規則を有し、当該方法は、
前記端末デバイスによって前記フロー分割規則に従って、前記第１アクセス技術及び前記第２アクセス技術を使用することによって実行される伝送内にある前記サービスフローのデータ量を決定することを更に有し、
前記端末デバイスによって、前記第１アクセス技術及び前記第２アクセス技術を使用することによって、前記応答メッセージに基づいて前記サービスフローを伝送することは、
前記端末デバイスによって、前記第１アクセス技術及び前記第２アクセス技術を使用することによって、前記データ量に基づいて前記サービスフローを伝送することを有する、
請求項２乃至７のうちいずれか一項に記載の通信方法。
【請求項９】
前記フロー分割規則は、前記第１アクセス技術を使用することによって実行される伝送内にある前記サービスフローのデータ量、及び／又は前記第２アクセス技術を使用することによって実行される伝送内にある前記サービスフローのデータ量を有し、あるいは、
前記フロー分割規則は、前記第１アクセス技術を使用することによって実行される伝送内にある前記サービスフローのバンド幅値、及び／又は前記第２アクセス技術を使用することによって実行される伝送内にある前記サービスフローのバンド幅値を有し、あるいは、
前記フロー分割規則は、前記第２アクセス技術を使用することによって実行される伝送内にある前記サービスフローのデータ量に対する、前記第１アクセス技術を使用することによって実行される伝送内にある前記サービスフローのデータ量の比、又は前記第２アクセス技術を使用することによって実行される伝送内にある前記サービスフローのバンド幅値に対する、前記第１アクセス技術を使用することによって実行される伝送内にある前記サービスフローのバンド幅値の比を有する、
請求項８に記載の通信方法。
【請求項１０】
第１コアネットワーク要素によって、第１アクセス技術を使用することによって端末デバイスから、サービスフローを新たに追加又は更新するよう要求する要求メッセージを受信することと、
前記第１コアネットワーク要素によって、前記要求メッセージの応答メッセージを、前記第１アクセス技術及び／又は第２アクセス技術を使用することによって前記端末デバイスへ送信することと
を有し、
前記応答メッセージは、前記第２アクセス技術又は、前記第１アクセス技術及び前記第２アクセス技術を使用することによって前記サービスフローを伝送するよう前記端末デバイスに指示する、
通信方法。
【請求項１１】
当該方法は、
前記第１コアネットワーク要素によって、前記サービスフローのポリシー情報を取得することを更に有し、
前記第１コアネットワーク要素によって、前記要求メッセージの応答メッセージを、前記第１アクセス技術及び／又は第２アクセス技術を使用することによって前記端末デバイスへ送信することは、
前記第１コアネットワーク要素によって、前記ポリシー情報に基づいてフロー分割規則を生成し、前記要求メッセージの前記応答メッセージを、前記第１コアネットワーク要素及び／又は前記第２アクセス技術を使用することによって前記端末デバイスへ送信することを有する、
請求項１０に記載の通信方法。
【請求項１２】
前記ポリシー情報は、
前記第１アクセス技術を使用することによって実行される伝送内にある前記サービスフローのデータ量、及び／又は前記第２アクセス技術を使用することによって実行される伝送内にある前記サービスフローのデータ量、あるいは、
前記第１アクセス技術を使用することによって実行される伝送内にある前記サービスフローのバンド幅値、及び／又は前記第２アクセス技術を使用することによって実行される伝送内にある前記サービスフローのバンド幅値、あるいは、
前記第２アクセス技術を使用することによって実行される伝送内にある前記サービスフローのデータ量に対する、前記第１アクセス技術を使用することによって実行される伝送内にある前記サービスフローのデータ量の比、又は前記第２アクセス技術を使用することによって実行される伝送内にある前記サービスフローのバンド幅値に対する、前記第１アクセス技術を使用することによって実行される伝送内にある前記サービスフローのバンド幅値の比
を有する、
請求項１１に記載の通信方法。
【請求項１３】
当該方法は、
前記第１コアネットワーク要素によって、第２指示情報を、前記第２アクセス技術に対応する第２アクセスネットワークデバイスへ送信することを更に有し、
前記第２指示情報は、ＱｏＳプロファイルを有し、該ＱｏＳプロファイルは、前記サービスフローに対応するＱｏＳパラメータを有する、
請求項１０乃至１２のうちいずれか一項に記載の通信方法。
【請求項１４】
当該方法は、
前記第１コアネットワーク要素によって、前記サービスフローに対応するＱｏＳパラメータを有するＱｏＳプロファイルを含む第３指示情報を、前記第１アクセス技術に対応する第１アクセスネットワークデバイスへ送信することと、
前記第１コアネットワーク要素によって、前記サービスフローに対応するＱｏＳパラメータを有するＱｏＳプロファイルを含む第２指示情報を、前記第２アクセス技術に対応する第２アクセスネットワークデバイスへ送信することと
を更に有する、
請求項１０乃至１２のうちいずれか一項に記載の通信方法。
【請求項１５】
前記第１コアネットワーク要素によって、第２指示情報を、前記第２アクセス技術に対応する第２アクセスネットワークデバイスへ送信することは、
前記第１コアネットワーク要素によって、第２メッセージを第２コアネットワーク要素へ送信することを有し、
前記第２メッセージは、前記第２アクセス技術の指示情報と、前記第２指示情報とを有し、前記第２アクセス技術の前記指示情報は、前記第２指示情報を、前記第２アクセス技術に対応する前記第２アクセスネットワークデバイスへ送信することを示す、
請求項１３又は１４に記載の通信方法。
【請求項１６】
前記第１コアネットワーク要素によって、第２指示情報を、前記第２アクセス技術に対応する第２アクセスネットワークデバイスへ送信することは、
前記第１コアネットワーク要素によって、第３メッセージを第２コアネットワーク要素へ送信することを有し、
前記第３メッセージは、前記第３指示情報と、前記第１アクセス技術の指示情報と、前記第２指示情報と、前記第２アクセス技術の指示情報とを有し、
前記第３メッセージ内にある前記第２指示情報及び前記第２アクセス技術の前記指示情報は、前記第２指示情報を、前記第２アクセス技術に対応する前記第２アクセスネットワークデバイスへ送信することを示す、
請求項１３又は１４に記載の通信方法。
【請求項１７】
前記第１コアネットワーク要素によって、第３指示情報を、前記第１アクセス技術に対応する第１アクセスネットワークデバイスへ送信することは、
前記第１コアネットワーク要素によって、第１メッセージを第２コアネットワーク要素へ送信することを有し、
前記第１メッセージは、前記第１アクセス技術の指示情報と、前記第３指示情報とを有し、前記第１アクセス技術の前記指示情報は、前記第３指示情報を、前記第１アクセス技術に対応する前記第１アクセスネットワークデバイスへ送信することを示す、
請求項１４に記載の通信方法。
【請求項１８】
前記第１コアネットワーク要素によって、第３指示情報を、前記第１アクセス技術に対応する第１アクセスネットワークデバイスへ送信することは、
前記第１コアネットワーク要素によって、第３メッセージを第２コアネットワーク要素へ送信することを有し、
前記第３メッセージは、前記第３指示情報と、前記第１アクセス技術の指示情報と、前記第２指示情報と、前記第２アクセス技術の指示情報とを有し、
前記第３メッセージ内にある前記第３指示情報及び前記第１アクセス技術の前記指示情報は、前記第３指示情報を、前記第１アクセス技術に対応する前記第１アクセスネットワークデバイスへ送信することを示す、
請求項１４に記載の通信方法。
【請求項１９】
前記第１メッセージ、前記第２メッセージ、及び前記第３メッセージのうちの少なくとも１つは、前記応答メッセージを有する、
請求項１５乃至１８のうちいずれか一項に記載の通信方法。
【請求項２０】
サービスフローを新たに追加又は更新するよう要求する要求メッセージを、第１アクセス技術を使用することによって第１コアネットワーク要素へ送信するよう構成される送信ユニットと、
前記第１アクセス技術及び／又は第２アクセス技術を使用することによって、前記第１コアネットワーク要素から前記要求メッセージの応答メッセージを受信するよう構成される受信ユニットと
を有し、
前記送信ユニットは、前記第２アクセス技術又は、前記第１アクセス技術及び前記第２アクセス技術を使用することによって、前記応答メッセージに基づいて前記サービスフローを伝送するよう更に構成される、
通信装置。
【請求項２１】
前記要求メッセージは、第１識別情報と、前記第２アクセス技術の指示情報とを有し、前記第１識別情報は、前記サービスフローを決定するために使用可能であり、
前記応答メッセージは、前記第１識別情報と、前記第２アクセス技術の前記指示情報を有するか、あるいは、
前記応答メッセージは、前記第１識別情報と、前記第１アクセス技術の指示情報と、前記第２アクセス技術の前記指示情報とを有する、
請求項２０に記載の通信装置。
【請求項２２】
前記要求メッセージは、第１識別情報と、前記第１アクセス技術の指示情報と、前記第２アクセス技術の指示情報とを有し、前記第１識別情報は、前記サービスフローを決定するために使用可能であり、
前記応答メッセージは、前記第１識別情報と、前記第２アクセス技術の前記指示情報とを有するか、あるいは、
前記応答メッセージは、前記第１識別情報と、前記第１アクセス技術の前記指示情報と、前記第２アクセス技術の前記指示情報とを有する、
請求項２０に記載の通信装置。
【請求項２３】
前記要求メッセージは、第１識別情報と、前記第１アクセス技術の指示情報とを有し、前記第１識別情報は、前記サービスフローを決定するために使用可能であり、
前記応答メッセージは、前記第１識別情報と、前記第２アクセス技術の指示情報とを有するか、あるいは、
前記応答メッセージは、前記第１識別情報と、前記第１アクセス技術の前記指示情報と、前記第２アクセス技術の指示情報とを有する、
請求項２０に記載の通信装置。
【請求項２４】
前記第１識別情報は、
前記サービスフローの記述情報、クオリティ・オブ・サービスフロー識別子ＱＦＩ、又はパケットデータユニットＰＤＵセッション識別子のうちの少なくとも１つを有する、
請求項２１乃至２３のうちいずれか一項に記載の通信装置。
【請求項２５】
前記第１アクセス技術の前記指示情報は、第１アクセスタイプであり、前記第２アクセス技術の前記指示情報は、第２アクセスタイプであり、あるいは、
前記第１アクセス技術の前記指示情報は、第１アクセスタイプに対応するクオリティ・オブ・サービスＱｏＳ規則であり、前記第２アクセス技術の前記指示情報は、第２アクセスタイプに対応するＱｏＳ規則であり、あるいは、
前記第１アクセス技術の前記指示情報及び前記第２アクセス技術の前記指示情報は、第１アクセスタイプ及び第２アクセスタイプに対応するクオリティ・オブ・サービスＱｏＳ規則である、
請求項２１乃至２４のうちいずれか一項に記載の通信装置。
【請求項２６】
前記要求メッセージは、第１指示情報を更に有し、
前記第１指示情報は、前記第１コアネットワーク要素が前記サービスフローに対応するアクセス技術を変更することを許されることを示すために使用可能である、
請求項２１乃至２５のうちいずれか一項に記載の通信装置。
【請求項２７】
前記応答メッセージは、フロー分割規則を有し、当該通信装置は、
前記フロー分割規則に従って、前記第１アクセス技術及び前記第２アクセス技術を使用することによって実行される伝送内にある前記サービスフローのデータ量を決定するよう構成される処理ユニットを更に有し、
前記送信ユニットは、前記第１アクセス技術及び前記第２アクセス技術を使用することによって、前記データ量に基づいて前記サービスフローを伝送する、
請求項２１乃至２６のうちいずれか一項に記載の通信装置。
【請求項２８】
前記フロー分割規則は、前記第１アクセス技術を使用することによって実行される伝送内にある前記サービスフローのデータ量、及び／又は前記第２アクセス技術を使用することによって実行される伝送内にある前記サービスフローのデータ量を有し、あるいは、
前記フロー分割規則は、前記第１アクセス技術を使用することによって実行される伝送内にある前記サービスフローのバンド幅値、及び／又は前記第２アクセス技術を使用することによって実行される伝送内にある前記サービスフローのバンド幅値を有し、あるいは、
前記フロー分割規則は、前記第２アクセス技術を使用することによって実行される伝送内にある前記サービスフローのデータ量に対する、前記第１アクセス技術を使用することによって実行される伝送内にある前記サービスフローのデータ量の比、又は前記第２アクセス技術を使用することによって実行される伝送内にある前記サービスフローのバンド幅値に対する、前記第１アクセス技術を使用することによって実行される伝送内にある前記サービスフローのバンド幅値の比を有する、
請求項２７に記載の通信装置。
【請求項２９】
第１アクセス技術を使用することによって端末デバイスから、サービスフローを新たに追加又は更新するよう要求する要求メッセージを受信するよう構成される受信ユニットと、
前記要求メッセージの応答メッセージを、前記第１アクセス技術及び／又は第２アクセス技術を使用することによって前記端末デバイスへ送信するよう構成される送信ユニットと
を有し、
前記応答メッセージは、前記第２アクセス技術又は、前記第１アクセス技術及び前記第２アクセス技術を使用することによって前記サービスフローを伝送するよう前記端末デバイスに指示する、
通信装置。
【請求項３０】
当該装置は、
前記サービスフローのポリシー情報を取得するよう構成される処理ユニットを更に有し、
前記送信ユニットは、前記ポリシー情報に基づいて、前記要求メッセージの前記応答メッセージを、前記第１コアネットワーク要素及び／又は前記第２アクセス技術を使用することによって前記端末デバイスへ送信するよう構成される、
請求項２９に記載の通信装置。
【請求項３１】
前記ポリシー情報は、
前記第１アクセス技術を使用することによって実行される伝送内にある前記サービスフローのデータ量、及び／又は前記第２アクセス技術を使用することによって実行される伝送内にある前記サービスフローのデータ量、あるいは、
前記第１アクセス技術を使用することによって実行される伝送内にある前記サービスフローのバンド幅値、及び／又は前記第２アクセス技術を使用することによって実行される伝送内にある前記サービスフローのバンド幅値、あるいは、
前記第２アクセス技術を使用することによって実行される伝送内にある前記サービスフローのデータ量に対する、前記第１アクセス技術を使用することによって実行される伝送内にある前記サービスフローのデータ量の比、又は前記第２アクセス技術を使用することによって実行される伝送内にある前記サービスフローのバンド幅値に対する、前記第１アクセス技術を使用することによって実行される伝送内にある前記サービスフローのバンド幅値の比
を有する、
請求項３０に記載の通信装置。
【請求項３２】
前記送信ユニットは、第２指示情報を、前記第２アクセス技術に対応する第２アクセスネットワークデバイスへ送信するよう更に構成され、前記第２指示情報は、ＱｏＳプロファイルを有し、該ＱｏＳプロファイルは、前記サービスフローに対応するＱｏＳパラメータを有する、
請求項２９乃至３１のうちいずれか一項に記載の通信装置。
【請求項３３】
前記送信ユニットは、第３指示情報を、前記第１アクセス技術に対応する第１アクセスネットワークデバイスへ送信するよう更に構成され、前記第３指示情報は、ＱｏＳプロファイルを有し、該ＱｏＳプロファイルは、前記サービスフローに対応するＱｏＳパラメータを有し、
前記送信ユニットは、第２指示情報を、前記第２アクセス技術に対応する第２アクセスネットワークデバイスへ送信するよう更に構成され、前記第２指示情報は、ＱｏＳプロファイルを有し、該ＱｏＳプロファイルは、前記サービスフローに対応するＱｏＳパラメータを有する、
請求項２９乃至３１のうちいずれか一項に記載の通信装置。
【請求項３４】
前記送信ユニットが、第２指示情報を、前記第２アクセス技術に対応する第２アクセスネットワークデバイスへ送信することは、
前記送信ユニットが、第２メッセージを第２コアネットワーク要素へ送信するよう構成されることを有し、
前記第２メッセージは、前記第２アクセス技術の指示情報と、前記第２指示情報とを有し、前記第２アクセス技術の前記指示情報は、前記第２指示情報を、前記第２アクセス技術に対応する前記第２アクセスネットワークデバイスへ送信することを示す、
請求項３２又は３３に記載の通信装置。
【請求項３５】
前記送信ユニットが、第２指示情報を、前記第２アクセス技術に対応する第２アクセスネットワークデバイスへ送信することは、
前記送信ユニットが、第３メッセージを第２コアネットワーク要素へ送信するよう構成されることを有し、
前記第３メッセージは、前記第３指示情報と、前記第１アクセス技術の指示情報と、前記第２指示情報と、前記第２アクセス技術の指示情報とを有し、
前記第３メッセージ内にある前記第２指示情報及び前記第２アクセス技術の前記指示情報は、前記第２指示情報を、前記第２アクセス技術に対応する前記第２アクセスネットワークデバイスへ送信することを示す、
請求項３２又は３３に記載の通信装置。
【請求項３６】
前記送信ユニットが、第３指示情報を、前記第１アクセス技術に対応する第１アクセスネットワークデバイスへ送信することは、
前記送信ユニットが、第１メッセージを第２コアネットワーク要素へ送信するよう構成されることを有し、
前記第１メッセージは、前記第１アクセス技術の指示情報と、前記第３指示情報とを有し、前記第１アクセス技術の前記指示情報は、前記第３指示情報を、前記第１アクセス技術に対応する前記第１アクセスネットワークデバイスへ送信することを示す、
請求項３３に記載の通信装置。
【請求項３７】
前記送信ユニットが、第３指示情報を、前記第１アクセス技術に対応する第１アクセスネットワークデバイスへ送信することは、
前記送信ユニットが、第３メッセージを第２コアネットワーク要素へ送信するよう構成されることを有し、
前記第３メッセージは、前記第３指示情報と、前記第１アクセス技術の指示情報と、前記第２指示情報と、前記第２アクセス技術の指示情報とを有し、
前記第３メッセージ内にある前記第３指示情報及び前記第１アクセス技術の前記指示情報は、前記第３指示情報を、前記第１アクセス技術に対応する前記第１アクセスネットワークデバイスへ送信することを示す、
請求項３３に記載の通信装置。
【請求項３８】
前記第１メッセージ、前記第２メッセージ、及び前記第３メッセージのうちの少なくとも１つは、前記応答メッセージを有する、
請求項３４乃至３７のうちいずれか一項に記載の通信装置。
【発明の詳細な説明】
【技術分野】
【０００１】
本願は、通信技術の分野に、より具体的には、通信方法及び通信装置に関係がある。
【背景技術】
【０００２】
無線ブロードバンド技術からの課題に直面し、第３世代パートナーシッププロジェクト（3rd  Generation  Partnership  Project，３ＧＰＰ）ネットワークの主要な利点を保つために、３ＧＰＰ標準化団体は、２０１６年の終わりに次世代モバイル通信システム（Next  Generation  System）ネットワークアーキテクチャを策定した。これは、第５世代（5th-Generation，５Ｇ）ネットワークアーキテクチャと呼ばれている。
【０００３】
５Ｇネットワークアーキテクチャは、３ＧＰＰ標準化団体によって定義された無線技術を使用してコアネットワーク（Core  network，ＣＮ）にアクセスすることを、例えば、ロング・ターム・エボリューション（Long  Term  Evolution，ＬＴＥ）技術又は無線アクセスネットワーク（Radio  Access  Network，ＲＡＮ）技術を使用してコアネットワークにアクセスすることをサポートする。その上、５Ｇネットワークアーキテクチャは、非３ＧＰＰ網間接続機能（Non-3GPP  Interworking  Function，Ｎ３ＩＷＦ）又は次世代アクセスゲートウェイ（Next  Generation  packet  data  Gateway，ＮＧＰＤＧ）を使用することによってコアネットワークにアクセスするために、非第３世代パートナーシッププロジェクト（Non  3rd  Generation  Partnership  Project，Ｎｏｎ−３ＧＰＰ）を使用することを更にサポートする。
【０００４】
５Ｇネットワークアーキテクチャによってサポートされるマルチアクセス技術に基づいて、マルチアクセスプロトコルデータユニット（Protocol  Data  Unit，ＰＤＵ）セッション（パケットデータユニット（Packet  Data  Unit，ＰＤＵ）セッションとも呼ばれることがある）が導入される。しかし、マルチアクセスＰＤＵセッションの更新プロシージャは、先行技術に含まれていない。
【発明の概要】
【０００５】
本願は、マルチアクセスＰＤＵセッションの更新プロシージャを実装するための通信方法及び通信装置を提供する。
【０００６】
第１の態様に従って、通信方法が提供され、通信方法は、端末デバイスによって、サービスフローを新たに追加又は更新するよう要求する要求メッセージを、第１アクセス技術を使用することによって第１コアネットワーク要素へ送信することと、端末デバイスによって、第１アクセス技術及び／又は第２アクセス技術を使用することによって、第１コアネットワーク要素から要求メッセージの応答メッセージを受信することと、端末デバイスによって、第２アクセス技術又は、第１アクセス技術及び第２アクセス技術を使用することによって、応答メッセージに基づいてサービスフローを伝送することとを含む。
【０００７】
本願のこの実施形態における通信方法に従って、端末デバイスは、マルチアクセスＰＤＵセッションにおける第１アクセス技術を使用することによって要求メッセージ送信して、サービスフローを新たに追加又は更新するよう要求する。具体的に言えば、マルチアクセスＰＤＵセッションにおけるアクセス技術を使用することによって、伝送リソースをサービスフローに割り当てるよう第１コアネットワーク要素に要求する。端末デバイスは、サービスフローがマルチアクセスＰＤＵセッションにおける第２アクセス技術又は第１アクセス技術及び第２アクセス技術を使用することによって伝送されることを許可されることを示す応答メッセージを取得する。通信方法において、端末デバイスは、マルチアクセスＰＤＵセッションに基づいて、要求メッセージを送信するために使用されていない、マルチアクセスＰＤＵセッションにおける複数のアクセス技術の中の第２アクセス技術のＱｏＳプロファイルを更新することができ、それにより、サービスフローは、第２アクセス技術を使用することによって伝送可能である。
【０００８】
いくつかの実施形態において、サービスフローは、新たに追加されたサービスフロー、すなわち、元のマルチアクセスＰＤＵセッションに含まれていないサービスフローであってよい。
【０００９】
いくつかの実施形態において、サービスフローは、更新されたサービスフローであってよい。具体的に言えば、元のマルチアクセスＰＤＵセッションは、サービスフローを含むが、サービスフローの伝送は変化する。例えば、アクセス技術のＱｏＳパラメータのための要件は変化する。
【００１０】
いくつかの実施形態において、マルチアクセスＰＤＵセッションは、第１アクセス技術（例えば、３ＧＰＰ技術）及び第２アクセス技術（例えば、非３ＧＰＰ技術）を含む。本願のこの実施形態において、端末デバイスは、３ＧＰＰ技術又は非３ＧＰＰ技術を使用することによって要求メッセージを送信することができる。
【００１１】
第１コアネットワーク要素は、セッション管理機能（Session  Management  Function，ＳＭＦ）ネットワーク要素であってよい。
【００１２】
第１の態様を参照して、第１の態様の実施において、要求メッセージは、第１識別情報と、第２アクセス技術の指示情報とを含み、第１識別情報は、サービスフローを決定するために使用可能である。応答メッセージは、第１識別情報と、第２アクセス技術の指示情報を含むか、あるいは、応答メッセージは、第１識別情報と、第１アクセス技術の指示情報と、第２アクセス技術の指示情報とを含む。
【００１３】
第１の態様を参照して、第１の態様の実施において、要求メッセージは、第１識別情報と、第１アクセス技術の指示情報と、第２アクセス技術の指示情報とを含み、第１識別情報は、サービスフローを決定するために使用可能である。応答メッセージは、第１識別情報と、第２アクセス技術の前記指示情報とを含むか、あるいは、応答メッセージは、第１識別情報と、第１アクセス技術の指示情報と、第２アクセス技術の指示情報とを含む。
【００１４】
第１の態様を参照して、第１の態様の実施において、要求メッセージは、第１識別情報と、第１アクセス技術の指示情報とを含み、第１識別情報は、サービスフローを決定するために使用可能である。応答メッセージは、第１識別情報と、第２アクセス技術の指示情報とを含むか、あるいは、応答メッセージは、第１識別情報と、第２アクセス技術の指示情報と、第２アクセス技術の指示情報とを含む。
【００１５】
本願のこの実施形態における通信方法に従って、端末デバイスによって送信される要求メッセージは、第１識別情報と、第１アクセス技術の指示情報及び／又は第２アクセス技術の指示情報とを含み、第１アクセス技術及び／又は第２アクセス技術を使用することによってサービスフローを伝送するよう要求する。
【００１６】
第１識別情報は、サービスフローを決定するために使用可能である。応答メッセージが第１識別情報及び第２アクセス技術の指示情報を含む場合に、端末デバイスは、第２アクセス技術を使用することによってサービスフローを伝送する。応答メッセージが第１識別情報、第１アクセス技術の指示情報、及び第２アクセス技術の指示情報を含む場合に、端末デバイスは、第１アクセス技術及び第２アクセス技術を使用することによってサービスフローを伝送する。端末デバイスは、サービスフローとアクセス技術との間の対応に基づいて、どのアクセス技術が伝送のために使用されるかを正確に決定することができる。
【００１７】
要求メッセージは、第１識別子を含み、第１識別子は、サービスフローを決定するために使用可能である。伝送リソースがサービスフローのために取得されないという理由で、伝送リソースの割り当てを要求するフェーズにおいて、端末デバイスは、どのサービスフローが新たに追加又は更新されるサービスフローであるかを第１コアネットワーク要素に示すよう、対応する識別情報を運ぶ。
【００１８】
要求メッセージは、ＰＤＵセッション変更要求（PDU  session  Modification  Request）メッセージを含む。
【００１９】
応答メッセージは、ＰＤＵセッション変更コマンド（PDU  session  modification  command）メッセージであってよい。
【００２０】
第１の態様及び第１の態様の上記の実施を参照して、第１の態様の他の実施において、第１識別情報は、サービスフローの記述情報、クオリティ・オブ・サービスフロー識別子ＱＦＩ、又はＰＤＵセッション識別子のうちの少なくとも１つを含む。
【００２１】
本願のこの実施形態における通信方法に従って、端末デバイスによって送信される要求メッセージに含まれ、サービスフローを決定するために使用可能である情報は、異なる指示情報であってよい。
【００２２】
フロー記述情報は、複数のサービスフローの記述情報を更に含んでもよい。複数のサービスフローは、サービスフローテンプレートと呼ばれ、複数のサービスフローの記述情報は、サービスフロー記述テンプレートと呼ばれることがある。サービスフローは、サービスフロー記述テンプレートに基づいて決定され得る。
【００２３】
第１の態様及び第１の態様の上記の実施を参照して、第１の態様の他の実施において、第１アクセス技術の指示情報は、第１アクセスタイプであり、第２アクセス技術の指示情報は、第２アクセスタイプであり、あるいは、第１アクセス技術の指示情報は、第１アクセスタイプに対応するクオリティ・オブ・サービスＱｏＳ規則であり、第２アクセス技術の指示情報は、第２アクセスタイプに対応するＱｏＳ規則であり、あるいは、第１アクセス技術の指示情報及び第２アクセス技術の指示情報は、第１アクセスタイプ及び第２アクセスタイプに対応するクオリティ・オブ・サービスＱｏＳ規則である。
【００２４】
本願のこの実施形態における通信方法に従って、第１アクセス技術及び／又は第２アクセス技術を示す指示情報は、アクセスタイプを直接示すか、あるいは、異なるアクセス技術に対応するＱｏＳ規則を示してよい。使用されるアクセス技術は、複数の様態で示される。
【００２５】
第１の態様及び第１の態様の上記の実施を参照して、第１の態様の他の実施において、要求メッセージは、第１指示情報を更に含み、第１指示情報は、第１コアネットワーク要素がサービスフローに対応するアクセス技術を変更することを許されることを示すために使用可能である。
【００２６】
本願のこの実施形態における通信方法に従って、端末デバイスは、第１指示情報を要求メッセージに追加してよく、第１指示情報は、第１コアネットワーク要素が端末デバイスの要求を変更することを許可されることを示すために使用可能である。第１コアネットワーク要素は、伝送されるサービスフローのために、より適切なアクセス技術を選択することができる。例えば、端末デバイスは、第１アクセス技術を使用することによってサービスフローを伝送することを要求し、第１コアネットワーク要素は、第２アクセス技術を使用することによる第１指示情報に基づいた伝送のためにサービスフローにリソースを割り当ててよい。
【００２７】
いくつかの実施形態において、端末デバイスが第１指示情報を第１コアネットワーク要素へ送信した後、第１指示情報は、端末デバイスが第２アクセス技術を使用することによってサービスフローを伝送することを要求する場合に、第１コアネットワーク要素が、第１アクセス技術を使用することによってサービスフローを伝送するよう指示することを許可される、ことを示すために使用されてよい。
【００２８】
第１の態様及び第１の態様の上記の実施を参照して、第１の態様の他の実施において、応答メッセージは、フロー分割規則を含み、端末デバイスは、フロー分割規則に従って、第１アクセス技術及び第２アクセス技術を使用することによって実行される伝送内にあるサービスフローのデータ量を決定し、端末デバイスによって、第１アクセス技術及び第２アクセス技術を使用することによって、応答メッセージに基づいてサービスフローを伝送することは、端末デバイスによって、第１アクセス技術及び第２アクセス技術を使用することによって、データ量に基づいてサービスフローを伝送することを含む。
【００２９】
第１の態様及び第１の態様の上記の実施を参照して、第１の態様の他の実施において、フロー分割規則は、第１アクセス技術を使用することによって実行される伝送内にあるサービスフローのデータ量、及び／又は第２アクセス技術を使用することによって実行される伝送内にあるサービスフローのデータ量を含み、あるいは、フロー分割規則は、第１アクセス技術を使用することによって実行される伝送内にあるサービスフローのバンド幅値、及び／又は第２アクセス技術を使用することによって実行される伝送内にあるサービスフローのバンド幅値を含み、あるいは、フロー分割規則は、第２アクセス技術を使用することによって実行される伝送内にあるサービスフローのデータ量に対する、第１アクセス技術を使用することによって実行される伝送内にあるサービスフローのデータ量の比、又は第２アクセス技術を使用することによって実行される伝送内にあるサービスフローのバンド幅値に対する、第１アクセス技術を使用することによって実行される伝送内にあるサービスフローのバンド幅値の比を含む。
【００３０】
本願のこの実施形態における通信方法に従って、マルチアクセスＰＤＵセッションにおけるアクセス技術を使用することによってサービスフローを伝送するよう端末デバイスに指示する場合に、第１コアネットワーク要素は更に、そのアクセス技術によってサポート可能な伝送内のデータ量を示し、それにより、端末デバイスは、複数のアクセス技術を使用することによってサービスフローを正確に伝送する。
【００３１】
いくつかの実施形態において、第１コアネットワーク要素は、第１アクセス技術及び第２アクセス技術によって夫々サポートされる伝送内のデータ量を示す。例えば、第１アクセス技術は、バンド幅Ａのデータ量の伝送をサポートすることができ、第２アクセス技術は、バンド幅Ｂのデータ量の伝送をサポートすることができる。
【００３２】
いくつかの実施形態において、第１コアネットワーク要素は、第２アクセス技術によってサポートされる伝送内のデータ量に対する、第１アクセス技術によってサポートされる伝送内のデータ量の比を示す。例えば、第２アクセス技術によってサポートされ得るバンド幅に対する、第１アクセス技術によってサポートされ得るバンド幅の比は、Ａ／Ｂである。サービスフローの総伝送量がＭである場合に、サービスフローのＭ×Ａ（Ａ＋Ｂ）は、第１アクセス技術を使用することによって伝送され、サービスフローのＭ×Ｂ（Ａ＋Ｂ）は、第２アクセス技術を使用することによって伝送される。
【００３３】
第２の態様に従って、通信方法が提供され、通信方法は、端末デバイスによって、マルチアクセスＰＤＵセッションにおいて第２アクセス技術を削除するよう要求する要求メッセージを、第１アクセス技術を使用することによって第１コアネットワーク要素へ送信することと、端末デバイスによって、第１アクセス技術を使用することによって第１コアネットワーク要素から応答メッセージを受信することとを含み、応答メッセージは、マルチアクセスＰＤＵセッションにおける第２アクセス技術が成功裏に削除されることを示すために使用可能である。
【００３４】
第２の態様を参照して、第２の態様の実施において、要求メッセージは、削除命令及び第２アクセス技術の指示情報のうちの少なくとも１つを更に含み、削除命令は、マルチアクセスＰＤＵセッションにおいて第２アクセス技術を削除するよう指示し、第２アクセス技術の指示情報は、第２アクセス技術を示すために使用可能である。
【００３５】
本願のこの実施形態における通信方法に従って、端末デバイスは、第２アクセス技術を削除するよう指示する削除命令を直接送信してよい。要求メッセージは、第２アクセス技術を示す指示情報を含んでよい。
【００３６】
第２の態様及び第２の態様の上記の実施を参照して、第２の態様の実施において、応答メッセージは、第１識別子及び第１アクセス技術の指示情報を含み、第１識別子は、サービスフローが第１アクセス技術を使用することによって伝送されるべきであることを示すために使用可能であり、第２アクセス技術が削除されていない場合に、サービスフローは、第２アクセス技術を使用することによって伝送されるサービスフローである。
【００３７】
第３の態様に従って、通信方法が提供され、通信方法は、アクセスネットワークデバイスによって、アクセスネットワークデバイスのデータ伝送ステータスを示すために使用可能であるネットワークステータス情報を第１コアネットワーク要素へ送信することと、アクセスネットワークデバイスによって、第１コアネットワーク要素から、アクセスネットワークデバイスへ送信される、ネットワークステータス情報に対応するクオリティ・オブ・サービスＱｏＳプロファイルを含む指示情報を受信することとを含む。
【００３８】
本願のこの実施形態における通信方法に従って、アクセスネットワークデバイスは、代替的に、対応するアクセス技術のクオリティ・オブ・サービスＱｏＳプロファイルを更新するよう第１コアネットワーク要素に指示してよい。アクセスネットワークデバイスがアクセスネットワークデバイスのステータスに基づいてネットワークステータス情報を報告した後、第１コアネットワーク要素は、ネットワークステータス情報に基づいて第１アクセス技術及び第２アクセス技術のＱｏＳプロファイルを設定することができる。
【００３９】
第３の態様を参照して、第３の態様の実施において、ネットワークステータス情報は、第１アクセスネットワークデバイスのペイロード、バンド幅、遅延、パケット損失レート、又は信号強度のうちの少なくとも１つを含む。
【００４０】
本願のこの実施形態における通信方法に従って、アクセスネットワークデバイスによって報告されるネットワークステータス情報は、第１アクセス技術によって現在サポート可能である伝送内のデータ量であってよく、あるいは、第１アクセス技術がサービスフローの伝送を現在サポート不可能であることであってよい。第１コアネットワーク要素は、情報に基づいて第１アクセス技術のＱｏＳプロファイルを設定することができる。
【００４１】
第４の態様に従って、通信方法が提供され、通信方法は、第１コアネットワーク要素によって、第１アクセス技術を使用することによって端末デバイスから、サービスフローを新たに追加又は更新するよう要求する要求メッセージを受信することと、第１コアネットワーク要素によって、要求メッセージの応答メッセージを、第１アクセス技術及び／又は第２アクセス技術を使用することによって端末デバイスへ送信することとを含み、応答メッセージは、第２アクセス技術又は、第１アクセス技術及び前記第２アクセス技術を使用することによってサービスフローを伝送するよう端末デバイスに指示する。
【００４２】
本願のこの実施形態における通信方法に従って、端末デバイスは、マルチアクセスＰＤＵセッションにおける第１アクセス技術を使用することによって要求メッセージ送信して、サービスフローを新たに追加又は更新するよう要求する。具体的に言えば、マルチアクセスＰＤＵセッションにおけるアクセス技術を使用することによって、伝送リソースをサービスフローに割り当てるよう第１コアネットワーク要素に要求する。端末デバイスは、サービスフローがマルチアクセスＰＤＵセッションにおける第２アクセス技術又は第１アクセス技術及び第２アクセス技術を使用することによって伝送されることを許可されることを示す応答メッセージを取得する。通信方法において、端末デバイスは、マルチアクセスＰＤＵセッションに基づいて、要求メッセージを送信するために使用されていない、マルチアクセスＰＤＵセッションにおける複数のアクセス技術の中の第２アクセス技術のＱｏＳプロファイルを更新することができ、それにより、サービスフローは、第２アクセス技術を使用することによって伝送可能である。
【００４３】
第４の態様を参照して、第４の態様の実施において、要求メッセージは、第１識別情報と、第２アクセス技術の指示情報とを含み、第１識別情報は、サービスフローを決定するために使用可能である。応答メッセージは、第１識別情報と、第２アクセス技術の指示情報を含むか、あるいは、応答メッセージは、第１識別情報と、第１アクセス技術の指示情報と、第２アクセス技術の指示情報とを含む。
【００４４】
第４の態様を参照して、第４の態様の実施において、要求メッセージは、第１識別情報と、第１アクセス技術の指示情報と、第２アクセス技術の指示情報とを含み、第１識別情報は、サービスフローを決定するために使用可能である。応答メッセージは、第１識別情報と、第２アクセス技術の前記指示情報とを含むか、あるいは、応答メッセージは、第１識別情報と、第１アクセス技術の指示情報と、第２アクセス技術の指示情報とを含む。
【００４５】
第４の態様を参照して、第４の態様の実施において、要求メッセージは、第１識別情報と、第１アクセス技術の指示情報とを含み、第１識別情報は、サービスフローを決定するために使用可能である。応答メッセージは、第１識別情報と、第２アクセス技術の指示情報とを含むか、あるいは、応答メッセージは、第１識別情報と、第２アクセス技術の指示情報と、第２アクセス技術の指示情報とを含む。
【００４６】
本願のこの実施形態における通信方法に従って、端末デバイスによって送信される要求メッセージは、第１識別情報と、第１アクセス技術の指示情報及び／又は第２アクセス技術の指示情報とを含み、第１アクセス技術及び／又は第２アクセス技術を使用することによってサービスフローを伝送するよう要求する。
【００４７】
第１識別情報は、サービスフローを決定するために使用可能である。応答メッセージが第１識別情報及び第２アクセス技術の指示情報を含む場合に、第１コアネットワーク要素は、第２アクセス技術を使用することによってサービスフローを伝送するよう端末デバイスに指示する。応答メッセージが第１識別情報、第１アクセス技術の指示情報、及び第２アクセス技術の指示情報を含む場合に、第１コアネットワーク要素は、第１アクセス技術及び第２アクセス技術を使用することによってサービスフローを伝送するよう端末デバイスに指示する。
【００４８】
第４の態様を参照して、第４の態様の実施において、第１識別情報は、サービスフローの記述情報、クオリティ・オブ・サービスフロー識別子ＱＦＩ、又はＰＤＵセッション識別子のうちの少なくとも１つを含む。
【００４９】
本願のこの実施形態における通信方法に従って、端末デバイスによって送信される要求メッセージに含まれ、サービスフローを決定するために使用可能である情報は、異なる指示情報であってよい。
【００５０】
第４の態様を参照して、第４の態様の実施において、第１アクセス技術の指示情報は、第１アクセスタイプであり、第２アクセス技術の指示情報は、第２アクセスタイプであり、あるいは、第１アクセス技術の指示情報は、第１アクセスタイプに対応するクオリティ・オブ・サービスＱｏＳ規則であり、第２アクセス技術の指示情報は、第２アクセスタイプに対応するＱｏＳ規則であり、あるいは、第１アクセス技術の指示情報及び第２アクセス技術の指示情報は、第１アクセスタイプ及び第２アクセスタイプに対応するクオリティ・オブ・サービスＱｏＳ規則である。
【００５１】
本願のこの実施形態における通信方法に従って、第１アクセス技術及び／又は第２アクセス技術を示す指示情報は、アクセスタイプを直接示すか、あるいは、異なるアクセス技術に対応するＱｏＳ規則を示してよい。
【００５２】
第４の態様及び第４の態様の上記の実施を参照して、第４の態様の他の実施において、要求メッセージは、第１指示情報を更に含み、第１指示情報は、第１コアネットワーク要素がサービスフローに対応するアクセス技術を変更することを許されることを示すために使用可能である。
【００５３】
本願のこの実施形態における通信方法に従って、端末デバイスは、第１指示情報を要求メッセージに追加してよく、第１指示情報は、第１コアネットワーク要素が端末デバイスの要求を変更することを許可されることを示すために使用可能である。第１コアネットワーク要素は、伝送されるサービスフローのために、より適切なアクセス技術を選択することができる。例えば、端末デバイスは、第１アクセス技術を使用することによってサービスフローを伝送することを要求し、第１コアネットワーク要素は、第２アクセス技術を使用することによる第１指示情報に基づいた伝送のためにサービスフローにリソースを割り当ててよい。
【００５４】
いくつかの実施形態において、端末デバイスが第１指示情報を第１コアネットワーク要素へ送信した後、第１指示情報は、端末デバイスが第２アクセス技術を使用することによってサービスフローを伝送することを要求する場合に、第１コアネットワーク要素が、第１アクセス技術を使用することによってサービスフローを伝送するよう指示することを許可される、ことを示すために使用されてよい。
【００５５】
第４の態様及び第４の態様の上記の実施を参照して、第４の態様の他の実施において、応答メッセージは、フロー分割規則を含み、フロー分割規則は、第１アクセス技術及び第２アクセス技術を使用することによって伝送されるべき伝送内のサービスフローのデータ量を決定するために使用可能である。
【００５６】
第４の態様及び第４の態様の上記の実施を参照して、第４の態様の他の実施において、フロー分割規則は、第１アクセス技術を使用することによって実行される伝送内にあるサービスフローのデータ量、及び／又は第２アクセス技術を使用することによって実行される伝送内にあるサービスフローのデータ量を含み、あるいは、フロー分割規則は、第１アクセス技術を使用することによって実行される伝送内にあるサービスフローのバンド幅値、及び／又は第２アクセス技術を使用することによって実行される伝送内にあるサービスフローのバンド幅値を含み、あるいは、フロー分割規則は、第２アクセス技術を使用することによって実行される伝送内にあるサービスフローのデータ量に対する、第１アクセス技術を使用することによって実行される伝送内にあるサービスフローのデータ量の比、又は第２アクセス技術を使用することによって実行される伝送内にあるサービスフローのバンド幅値に対する、第１アクセス技術を使用することによって実行される伝送内にあるサービスフローのバンド幅値の比を含む。
【００５７】
本願のこの実施形態における通信方法に従って、マルチアクセスＰＤＵセッションにおけるアクセス技術を使用することによってサービスフローを伝送するよう端末デバイスに指示する場合に、第１コアネットワーク要素は更に、そのアクセス技術によってサポート可能な伝送内のデータ量を示し、それにより、端末デバイスは、複数のアクセス技術を使用することによってサービスフローを正確に伝送する。
【００５８】
第４の態様を参照して、第４の態様の実施において、方法は、第１コアネットワーク要素によって、サービスフローのポリシー情報を取得することを更に含み、第１コアネットワーク要素によって応答メッセージを送信することは、ポリシー情報に基づいて応答メッセージを送信することを含む。
【００５９】
本願のこの実施形態における通信方法に従って、第１コアネットワーク要素は、ポリシー制御機能（Policy  Control  function，ＰＣＦ）ネットワーク要素からポリシー情報を取得し、ポリシー情報に基づいて、サービスフローを伝送するために使用されるアクセス技術を決定してよい。
【００６０】
第４の態様を参照して、第４の態様の実施において、ポリシー情報は、第１アクセス技術を使用することによって実行される伝送内にあるサービスフローのデータ量、及び／又は第２アクセス技術を使用することによって実行される伝送内にある前記サービスフローのデータ量を含み、あるいは、ポリシー情報は、第１アクセス技術を使用することによって実行される伝送内にあるサービスフローのバンド幅値、及び／又は第２アクセス技術を使用することによって実行される伝送内にあるサービスフローのバンド幅値を含み、あるいは、ポリシー情報は、第２アクセス技術を使用することによって実行される伝送内にあるサービスフローのデータ量に対する、第１アクセス技術を使用することによって実行される伝送内にあるサービスフローのデータ量の比、又は第２アクセス技術を使用することによって実行される伝送内にあるサービスフローのバンド幅値に対する、第１アクセス技術を使用することによって実行される伝送内にあるサービスフローのバンド幅値の比を含む。本願のこの実施形態における通信方法に従って、ポリシー情報は、アクセス技術を使用することによってサービスフローをどのように伝送すべきかが決定可能であるという条件で、複数の形を取ってよい。
【００６１】
いくつかの実施形態において、ＳＭＦネットワーク要素は、ＳＭＦネットワーク要素のネットワークステータスに基づいて、各アクセス技術に対応するデータ伝送量を決定してよい。
【００６２】
第４の態様を参照して、第４の態様の実施において、第１コアネットワーク要素は、第２指示情報を、第２アクセス技術に対応する第２アクセスネットワークデバイスへ送信し、第２指示情報は、ＱｏＳプロファイルを含み、ＱｏＳプロファイルは、サービスフローに対応するＱｏＳパラメータを含む。
【００６３】
本願のこの実施形態における通信方法に従って、サービスフローが第２アクセス技術を使用することによって伝送されるべきであると決定する場合に、第１コアネットワーク要素は、第２アクセス技術のＱｏＳプロファイルを更新するよう第２アクセスネットワークデバイスに指示するために、第２アクセス技術を使用することによって第２アクセスネットワークデバイスへ第２指示情報を送信する必要がある。ＱｏＳプロファイルは、第２アクセス技術の現在のＱｏＳパラメータを更新するよう指示するために、サービスフローに対応するＱｏＳパラメータを含み、それにより、更新されたＱｏＳパラメータはサービスフローに対応し、サービスフローは伝送され得る。この場合に、応答メッセージは、第１アクセス技術を使用することによって第１コアネットワーク要素から端末デバイスへ送信される。第１コアネットワーク要素は、第１アクセス技術を使用することによって応答メッセージをフィードバックし、第２アクセス技術のＱｏＳパラメータを更新することができる。第２アクセス技術は、第１アクセス技術とは異なるアクセス技術である。
【００６４】
第４の態様及び第４の態様の上記の実施を参照して、第４の態様の他の実施において、第１コアネットワーク要素は、第３指示情報を、第１アクセス技術に対応する第１アクセスネットワークデバイスへ送信し、第３指示情報は、ＱｏＳプロファイルを含み、ＱｏＳプロファイルは、サービスフローに対応するＱｏＳパラメータを含む。第１コアネットワーク要素は、第２指示情報を、第２アクセス技術に対応する第２アクセスネットワークデバイスへ送信し、第２指示情報は、ＱｏＳプロファイルを含み、ＱｏＳプロファイルは、サービスフローに対応するＱｏＳパラメータを含む。
【００６５】
本願のこの実施形態における通信方法に従って、サービスフローが第１アクセス技術及び第２アクセス技術を使用することによって伝送されるべきであると決定する場合に、第１コアネットワーク要素は、第１アクセス技術を使用することによって第１アクセスネットワークデバイスへ第３指示情報を送信し、第２アクセス技術を使用することによって第２アクセスネットワークデバイスへ第２指示情報を送信する必要がある。アクセスネットワークデバイスは、対応するアクセス技術のＱｏＳパラメータを更新するよう指示され、それにより、サービスフローは、第１アクセス技術及び第２アクセス技術を使用することによって伝送され得る。この場合に、応答メッセージは、第１アクセス技術及び／又は第２アクセス技術を使用することによって第１コアネットワーク要素から端末デバイスへ送信される。第１コアネットワーク要素は、第１アクセス技術及び第２アクセス技術のＱｏＳパラメータを更新し、第１アクセス技術及び／又は第２アクセス技術を使用することによって応答メッセージをフィードバックすることができる。
【００６６】
第４の態様及び第４の態様の上記の実施を参照して、第４の態様の他の実施において、第１コアネットワーク要素が、第２指示情報を、第２アクセス技術に対応する第２アクセスネットワークデバイスへ送信することは、第１コアネットワーク要素によって、第２メッセージを第２コアネットワーク要素へ送信することを含み、第２メッセージは、第２アクセス技術の指示情報と、第２指示情報とを含み、第２アクセス技術の指示情報は、第２指示情報を、第２アクセス技術を使用することによって第２アクセスネットワークデバイスへ送信することを示す。
【００６７】
第４の態様及び第４の態様の上記の実施を参照して、第４の態様の他の実施において、第１コアネットワーク要素が、第２指示情報を、第２アクセス技術に対応する第２アクセスネットワークデバイスへ送信することは、第１コアネットワーク要素によって、第３メッセージを第２コアネットワーク要素へ送信することを含み、第３メッセージは、第３指示情報と、第１アクセス技術の指示情報と、第２指示情報と、第２アクセス技術の指示情報とを含み、第３メッセージ内にある第２指示情報及び第２アクセス技術の指示情報は、第２指示情報を、第２アクセス技術を使用することによって第２アクセスネットワークデバイスへ送信することを示す。
【００６８】
第４の態様及び第４の態様の上記の実施を参照して、第４の態様の他の実施において、第１コアネットワーク要素が、第３指示情報を、第１アクセス技術に対応する第１アクセスネットワークデバイスへ送信することは、第１コアネットワーク要素によって、第１メッセージを第２コアネットワーク要素へ送信することを含み、第１メッセージは、第１アクセス技術の指示情報と、第３指示情報とを含み、第１アクセス技術の指示情報は、第３指示情報を、第１アクセス技術を使用することによって第１アクセスネットワークデバイスへ送信することを示す。
【００６９】
第４の態様及び第４の態様の上記の実施を参照して、第４の態様の他の実施において、第１コアネットワーク要素が、第３指示情報を、第１アクセス技術に対応する第１アクセスネットワークデバイスへ送信することは、第１コアネットワーク要素によって、第３メッセージを第２コアネットワーク要素へ送信することを含み、第３メッセージは、第３指示情報と、第１アクセス技術の指示情報と、第２指示情報と、第２アクセス技術の指示情報とを含み、第３メッセージ内にある第３指示情報及び第１アクセス技術の指示情報は、第３指示情報を、第１アクセス技術を使用することによって第１アクセスネットワークデバイスへ送信することを示す。
【００７０】
第４の態様及び第４の態様の上記の実施を参照して、第４の態様の他の実施において、第１コアネットワーク要素が、第３指示情報を、第１アクセス技術に対応する第１アクセスネットワークデバイスへ送信することは、第１コアネットワーク要素によって、第１メッセージを第２コアネットワーク要素へ送信することを含み、第１メッセージは、第１アクセス技術の指示情報と、第３指示情報とを含み、第１アクセス技術の指示情報は、第３指示情報を、第１アクセス技術を使用することによって第１アクセスネットワークデバイスへ送信することを示す。
【００７１】
本願のこの実施形態における通信方法に従って、第１コアネットワーク要素によって、応答メッセージを、第１アクセス技術を使用することによって端末デバイスへ送信することは、次の通りであってよい：第１コアネットワーク要素は最初に、２つのメッセージを第２コアネットワーク要素へ送信し、第２コアネットワーク要素は、２つのメッセージを夫々第１アクセスネットワークデバイス及び第２アクセスネットワークデバイスへ送信し、あるいは、次の通りであってよい：第１コアネットワーク要素は最初に、１つのメッセージを第２コアネットワーク要素へ送信し、第２コアネットワーク要素は、メッセージを、異なるアクセス技術に基づいて２つのメッセージに分け、２つのメッセージを夫々第１アクセスネットワークデバイス及び第２アクセスネットワークデバイスへ送信する。
【００７２】
第１コアネットワーク要素は、ＳＭＦネットワーク要素であってよく、第２コアネットワーク要素は、ＡＭＦネットワーク要素であってよい。いくつかの実施形態において、第１コアネットワーク要素によって、応答メッセージを、第１アクセス技術を使用することによって端末デバイスへ送信することは、次の通りである：第１コアネットワーク要素は、第１メッセージを第２コアネットワーク要素へ送信し、第１メッセージは、第１アクセス技術の指示情報及び応答メッセージを含み、第２コアネットワーク要素は、第１アクセス技術を使用することによって、第１アクセス技術の指示情報に基づいて応答メッセージを端末デバイスへ送信する。
【００７３】
いくつかの実施形態において、第１コアネットワーク要素によって、応答メッセージを、第１アクセス技術を使用することによって端末デバイスへ送信することは、第１コアネットワーク要素が、第１アクセス技術の指示情報に対応する応答メッセージと、第１アクセス技術の指示情報と、第２アクセス技術の指示情報に対応する第２指示情報と、第２アクセス技術の指示情報とを含む第３メッセージを第２コアネットワーク要素へ送信することと、第２コアネットワーク要素が、第１アクセス技術を使用することによって、対応に基づいて応答メッセージを端末デバイスへ送信することとを含む。
【００７４】
本願のこの実施形態における通信方法に従って、第１コアネットワーク要素が、第２指示情報を、第２アクセス技術を使用することによって第２アクセスネットワークデバイスへ送信することは、次の通りであってよい：第１コアネットワーク要素は最初に、２つのメッセージを第２コアネットワーク要素へ送信し、第２コアネットワーク要素は、２つのメッセージを夫々第１アクセスネットワークデバイス及び第２アクセスネットワークデバイスへ送信し、あるいは、次の通りであってよい：第１コアネットワーク要素は最初に、１つのメッセージを第２コアネットワーク要素へ送信し、第２コアネットワーク要素は、メッセージを、異なるアクセス技術に基づいて２つのメッセージに分け、２つのメッセージを夫々第１アクセスネットワークデバイス及び第２アクセスネットワークデバイスへ送信する。
【００７５】
いくつかの実施形態において、第１コアネットワーク要素は、第３メッセージを第２コアネットワーク要素へ送信し、第３メッセージは、応答メッセージ、第１アクセス技術の指示情報、第２指示情報、及び第２アクセステクノロジの指示情報を含み、応答メッセージは、第１アクセス技術の指示情報に対応し、第２指示情報は、第２アクセス技術の指示情報に対応し、第２コアネットワーク要素は、第２アクセス技術を使用することによって、対応に基づいて第２指示情報を第２アクセスネットワークデバイスへ送信する。
【００７６】
いくつかの他の実施形態において、第１コアネットワーク要素によって、応答メッセージを、第１アクセス技術を使用することによって端末デバイスへ送信することは、第１コアネットワーク要素が、第１アクセス技術の指示情報に対応する応答メッセージと、第１アクセス技術の指示情報と、第２アクセス技術の指示情報に対応する第２指示情報と、第２アクセス技術の指示情報とを含む第３メッセージを第２コアネットワーク要素へ送信することと、第２コアネットワーク要素が、第１アクセス技術を使用することによって、対応に基づいて応答メッセージを端末デバイスへ送信することとを含む。
【００７７】
第５の態様に従って、通信方法が提供され、通信方法は、第１コアネットワーク要素によって、第１アクセス技術を使用することによって端末デバイスから、マルチアクセスＰＤＵセッションにおいて第２アクセス技術を削除するよう要求する要求メッセージを受信することと、第１コアネットワーク要素によって、応答メッセージを、第１アクセス技術を使用することによって端末デバイスへ送信することとを含み、応答メッセージは、マルチアクセスＰＤＵセッションにおける第２アクセス技術が成功裏に削除されることを示すために使用可能である。
【００７８】
いくつかの実施形態において、要求メッセージは、第１識別子を運び、第１識別子は、第２アクセス技術を削除すると決定するために使用可能である。
【００７９】
本願のこの実施形態における通信方法に従って、第１コアネットワーク要素は、マルチアクセスＰＤＵセッションにおける第１アクセス技術を使用することによって要求メッセージを受信し、要求メッセージに基づいて第２アクセス技術を削除する。第１コアネットワーク要素は、マルチアクセスＰＤＵセッションに基づいて、マルチアクセスＰＤＵセッションにおける複数のアクセス技術の中から、要求メッセージを送信するために使用されていないアクセス技術を削除することができる。
【００８０】
第５の態様を参照して、第５の態様の実施において、要求メッセージは、削除命令及び第２アクセス技術の指示情報のうちの少なくとも１つを更に含み、削除命令は、マルチアクセスＰＤＵセッションにおいて第２アクセス技術を削除するよう指示し、第２アクセス技術の指示情報は、第２アクセス技術を示すために使用可能である。
【００８１】
本願のこの実施形態における通信方法に従って、端末デバイスは、第２アクセス技術を削除するよう指示する削除命令を直接送信してよい。
【００８２】
第５の態様及び第５の態様の上記の実施を参照して、第５の態様の実施において、応答メッセージは、第１識別子及び第１アクセス技術の指示情報を含み、第１識別子は、サービスフローが第１アクセス技術を使用することによって伝送されるべきであることを示すために使用可能であり、第２アクセス技術が削除されていない場合に、サービスフローは、第２アクセス技術を使用することによって伝送されるサービスフローである。
【００８３】
本願のこの実施形態における通信方法に従って、削除されるよう要求されるアクセス技術は、マルチアクセスＰＤＵセッションにおいて運ばれる。アクセス技術が削除された後、サービスフローは、削除されていないアクセス技術を使用することによって伝送されてよい。これは、たとえアクセス技術がマルチアクセスＰＤＵセッションから削除されるとしても、サービスフローの通常の伝送が影響を及ぼされないことを確かにすることができる。
【００８４】
第５の態様及び第５の態様の上記の実施を参照して、第５の態様の他の実施において、第１コアネットワーク要素によって、応答メッセージを、第１アクセス技術を使用することによって端末デバイスへ送信することは、第１コアネットワーク要素によって、第１アクセス技術の指示情報及び応答メッセージを含む第１メッセージを第２コアネットワーク要素へ送信することと、第２コアネットワーク要素によって、第１アクセス技術を使用することによって、第１アクセス技術の指示情報に基づいて応答メッセージを端末デバイスへ送信することとを含み、あるいは、第１コアネットワーク要素によって、応答メッセージと、第１アクセス技術の指示情報と、アクセスネットワークリソース解放メッセージと、第２アクセス技術の指示情報とを含む第３メッセージを第２コアネットワーク要素へ送信することであり、応答メッセージは第１アクセス技術の指示情報に対応し、第２指示情報は第２アクセス技術の指示情報に対応する、前記送信することと、第２コアネットワーク要素によって、第１アクセス技術を使用することによって、対応に基づいて応答メッセージを端末デバイスへ送信することとを含む。
【００８５】
本願のこの実施形態における通信方法に従って、第１コアネットワーク要素によって、応答メッセージを、第１アクセス技術を使用することによって端末デバイスへ送信することは、次の通りであってよい：第１コアネットワーク要素は最初に、２つのメッセージを第２コアネットワーク要素へ送信し、第２コアネットワーク要素は、２つのメッセージを夫々第１アクセスネットワークデバイス及び第２アクセスネットワークデバイスへ送信し、あるいは、次の通りであってよい：第１コアネットワーク要素は最初に、１つのメッセージを第２コアネットワーク要素へ送信し、第２コアネットワーク要素は、メッセージを、異なるアクセス技術に基づいて２つのメッセージに分け、２つのメッセージを夫々第１アクセスネットワークデバイス及び第２アクセスネットワークデバイスへ送信する。
【００８６】
実施形態において、第１コアネットワーク要素は、第３メッセージを第２コアネットワーク要素へ送信し、第３メッセージは、応答メッセージと、第１アクセス技術の指示情報と、アクセスネットワークリソース解放メッセージと、第２アクセス技術の指示情報とを含み、応答メッセージは、第１アクセス技術の指示情報に対応し、第２指示情報は、第２アクセス技術の指示情報に対応し、第２コアネットワーク要素は、第１アクセス技術を使用することによって、対応に基づいて応答メッセージを端末デバイスへ送信する。
【００８７】
いくつかの他の実施形態において、第１コアネットワーク要素によって、応答メッセージを、第１アクセス技術を使用することによって端末デバイスへ送信することは、次の通りである：第１コアネットワーク要素は、第３メッセージを第２コアネットワーク要素へ送信し、第３メッセージは、応答メッセージと、第１アクセス技術の指示情報と、アクセスネットワークリソース解放メッセージと、第２アクセス技術の指示情報とを含み、応答メッセージは、第２アクセス技術の指示情報に対応し、第２コアネットワーク要素は、第２アクセス技術を使用することによって、対応に基づいて応答メッセージを端末デバイスへ送信する。
【００８８】
第６の態様に従って、通信方法が提供され、通信方法は、第１コアネットワーク要素によって、第１アクセス技術を使用することによって第１アクセスネットワークデバイスからネットワークステータス情報を受信することと、第１コアネットワーク要素によって、ネットワークステータス情報に基づいて、第１アクセス技術に対応するＱｏＳプロファイルを設定することと、第１コアネットワーク要素によって、第１アクセス技術に対応するＱｏＳプロファイルを更新することを第１アクセスネットワークデバイスに示す第４指示情報を、第１アクセス技術を使用することによって第１アクセスネットワークデバイスへ送信することとを含む。
【００８９】
本願のこの実施形態における通信方法に従って、アクセスネットワークデバイスは、代替的に、対応するアクセス技術のＱｏＳパラメータを更新するよう第１コアネットワーク要素に指示してよい。アクセスネットワークデバイスがアクセスネットワークデバイスのステータスに基づいてネットワークステータス情報を報告した後、第１コアネットワーク要素は、ネットワークステータス情報に基づいて、第１アクセス技術及び第２アクセス技術に対応するＱｏＳパラメータを設定することができる。
【００９０】
第６の態様を参照して、第６の態様の実施において、ネットワークステータス情報は、第１アクセスネットワークデバイスのペイロード、バンド幅、遅延、パケット損失レート、又は信号強度のうちの少なくとも１つを含む。
【００９１】
本願のこの実施形態における通信方法に従って、第１アクセス技術を使用することによってアクセスネットワークデバイスによって報告されるネットワークステータス情報は、第１アクセス技術によって現在サポート可能である伝送内のデータ量であってよく、あるいは、第１アクセス技術がサービスフローの伝送を現在サポート不可能であることであってよい。第１コアネットワーク要素は、情報に基づいて第１アクセス技術に対応するＱｏＳパラメータを設定することができる。
【００９２】
第６の対象及び第６の態様の上記の実施を参照して、第６の態様の他の実施において、方法は、第１コアネットワーク要素によって、ネットワークステータス情報に基づいて、第２アクセス技術に対応するＱｏＳプロファイルを設定することを更に含み、第２アクセス技術は、マルチアクセスＰＤＵセッションにおけるアクセス技術の中の、第１アクセス技術以外のアクセス技術である。
【００９３】
本願のこの実施形態における通信方法に従って、第１アクセス技術を使用することによってアクセスネットワークデバイスによって報告されるネットワークステータス情報は、マルチアクセスＰＤＵセッションにおけるアクセス技術の中の他のアクセス技術に対応するＱｏＳパラメータを設定するよう第１コアネットワーク要素に指示するために使用されてよい。第１コアネットワーク要素は、ネットワークステータス情報に基づいて、第２アクセス技術に対応するＱｏＳパラメータを更新する。
【００９４】
第６の態様及び第６の態様の上記の実施を参照して、第６の態様の他の実施において、方法は、第１コアネットワーク要素によって、第５指示情報を、第２アクセス技術を使用することによって第２アクセスネットワークデバイスへ送信することを更に含み、第５指示情報は、第２アクセス技術に対応するＱｏＳプロファイルを更新することを第２アクセスネットワークデバイスに示す。
【００９５】
本願のこの実施形態における通信方法に従って、第１アクセス技術を使用することによってアクセスネットワークデバイスによって報告される第１のネットワークステータス情報は、マルチアクセスＰＤＵセッションにおけるアクセス技術の中の他のアクセス技術のＱｏＳパラメータを設定するよう第１コアネットワーク要素に指示するために使用されてよい。第１コアネットワーク要素は、第１のネットワークステータス情報に基づいて、第２アクセス技術に対応するＱｏＳパラメータを更新してよい。
【００９６】
第６の態様及び第６の態様の上記の実施を参照して、第６の態様の他の実施において、第１コアネットワーク要素によって、第４指示情報を、第１アクセス技術を使用することによって第１アクセスネットワークデバイスへ送信することは、第１コアネットワーク要素によって、第１アクセス技術の指示情報及び第４指示情報を含む第１メッセージを第２コアネットワーク要素へ送信することと、第２コアネットワーク要素によって、第４指示情報を、第１アクセス技術を使用することによって第１アクセスネットワークデバイスへ送信することを含み、あるいは、第１コアネットワーク要素によって、第１アクセス技術の指示情報に対応する第４指示情報と、第１アクセス技術の指示情報と、第２アクセス技術の指示情報に対応する第５指示情報と、第２アクセス技術の指示情報とを含む第３メッセージを第２コアネットワーク要素へ送信することと、第２コアネットワーク要素によって、第１アクセス技術を使用することによって、対応に基づいて第４指示情報を第１アクセスネットワークデバイスへ送信することとを含む。
【００９７】
本願のこの実施形態における通信方法に従って、第１コアネットワーク要素によって、第４指示情報を、第１アクセス技術を使用することによって第１アクセスネットワークデバイスへ送信することは、次の通りであってよい：第１コアネットワーク要素は最初に、２つのメッセージを第２コアネットワーク要素へ送信し、第２コアネットワーク要素は、２つのメッセージを夫々第１アクセスネットワークデバイス及び第２アクセスネットワークデバイスへ送信し、あるいは、次の通りであってよい：第１コアネットワーク要素は最初に、１つのメッセージを第２コアネットワーク要素へ送信し、第２コアネットワーク要素は、メッセージを、異なるアクセス技術に基づいて２つのメッセージに分け、２つのメッセージを夫々第１アクセスネットワークデバイス及び第２アクセスネットワークデバイスへ送信する。
【００９８】
いくつかの実施形態において、第１コアネットワーク要素によって、第４指示情報を、第１アクセス技術を使用することによって第１アクセスネットワークデバイスへ送信することは、次の通りである：第１コアネットワーク要素は、第１メッセージを第２コアネットワーク要素へ送信し、第１メッセージは、第１アクセス技術の指示情報及び第４指示情報を含み、第２コアネットワーク要素は、第４指示情報を、第１アクセス技術を使用することによって第１アクセスネットワークデバイスへ送信する。
【００９９】
いくつかの他の実施形態において、第１コアネットワーク要素によって、第４指示情報を、第１アクセス技術を使用することによって第１アクセスネットワークデバイスへ送信することは、次の通りである：第１コアネットワーク要素は、第３メッセージを第２コアネットワーク要素へ送信し、第３メッセージは、第４指示情報、第１アクセス技術の指示情報、第５指示情報、及び第２アクセス技術の指示情報を含み、第４指示情報は第１アクセス技術の指示情報に対応し、第５指示情報は第２アクセス技術の指示情報に対応し、第２コアネットワーク要素は、第１アクセス技術を使用することによって、対応に基づいて第４指示情報を第１アクセスネットワークデバイスへ送信する。
【０１００】
第６の態様及び第６の態様の上記の実施を参照して、第６の態様の他の実施において、第１コアネットワーク要素によって、第５指示情報を、第２アクセス技術を使用することによって第２アクセスネットワークデバイスへ送信することは、第１コアネットワーク要素によって、第５メッセージを第２コアネットワーク要素へ送信することであり、第２メッセージは、第２アクセス技術の指示情報及び第５指示情報を含む、ことと、第２コアネットワーク要素によって、第５指示情報を、第２アクセス技術を使用することによって第２アクセスネットワークデバイスへ送信することとを含み、あるいは、第１コアネットワーク要素によって、第３メッセージを第２コアネットワーク要素へ送信することであり、第３メッセージは、第４指示情報、第１アクセス技術の指示情報、第５指示情報、及び第２アクセス技術の指示情報を含み、第４指示情報は、第１アクセス技術の指示情報に対応し、第５指示情報は、第２アクセス技術の指示情報に対応する、ことと、第２コアネットワーク要素によって、第２アクセス技術を使用することによって、対応に基づいて第５指示情報を第２アクセスネットワークデバイスへ送信することとを含む。
【０１０１】
本願のこの実施形態における通信方法に従って、第１コアネットワーク要素によって、第５指示情報を、第２アクセス技術を使用することによって第２アクセスネットワークデバイスへ送信することは、次の通りであってよい：第１コアネットワーク要素は最初に、２つのメッセージを第２コアネットワーク要素へ送信し、第２コアネットワーク要素は、２つのメッセージを夫々第１アクセスネットワークデバイス及び第２アクセスネットワークデバイスへ送信し、あるいは、次の通りであってよい：第１コアネットワーク要素は最初に、１つのメッセージを第２コアネットワーク要素へ送信し、第２コアネットワーク要素は、メッセージを、異なるアクセス技術に基づいて２つのメッセージに分け、２つのメッセージを夫々第１アクセスネットワークデバイス及び第２アクセスネットワークデバイスへ送信する。
【０１０２】
第７の態様に従って、通信方法が提供され、通信方法は、アクセスネットワークデバイスによって、端末デバイスから送信された第１データパケットを受信することであり、第１データパケットのパケットヘッダは、第５識別子を運び、第５識別子は、第１データパケットが複数のアクセス技術を使用することによってフロー分割をサポートすることを示すために使用可能である、前記受信することと、アクセスネットワークデバイスによって、第２データパケットを第１コアネットワーク要素へ送信することであり、第２データパケットのパケットヘッダは、第６識別子を含み、第６識別子は、第２データパケットが複数のアクセス技術を使用することによってフロー分割をサポートすることを示すために使用可能であり、第２データパケットは、第２データパケットのデータコンテンツを含む、前記送信することとを含む。
【０１０３】
第５識別子又は第６識別子が、データパケットが複数のアクセス技術を使用することによってフロー分割をサポートすることを示すために使用可能であることは、第５識別子又は第６識別子が、データパケットがＴＦＣＰプロトコルをサポートすること、又はデータパケットがＴＦＣＰパケットヘッダ又はデータパケットのシーケンス番号を含むことを示すために使用可能であることを含む。
【０１０４】
第１コアネットワーク要素が第６識別子に基づいてデータパケットを取得することは、第６識別子に基づいて、第１コアネットワーク要素がＴＦＣＰパケットヘッダをパースし、又はデータパケットを順位付けすることを含む。
【０１０５】
本願のこの実施形態における通信方法に従って、サービスフローがパケット粒度フロー分割をサポートし、端末デバイスがマルチアクセスフロー分割をサービスフローに対して実行すると決定する場合に、端末デバイスは、サービスフローのデータパケットを第１データパケット内にカプセル化し、第１データパケットをアクセスネットワークデバイスへ送信して、サービスフローがパケット粒度フロー分割をサポートするサービスフローであることを示す。アクセスネットワークデバイスは、第６識別情報及び第１データパケットを第２データパケットヘッダにおいてカプセル化し、第２データパケットヘッダを第１コアネットワーク要素へ送信する。第２データパケットヘッダ内の第６識別子に基づいて、第１コアネットワーク要素は、ＴＦＣＰデータパケットヘッダをパースし、又はデータパケットを順位付けする。
【０１０６】
本願のこの実施形態における通信方法に従って、データパケットがフロー分割をサポートする場合に、端末デバイスは第１コアネットワーク要素のための指示を供給するので、第１コアネットワーク要素は、指示に基づいてパースすることにより、対応するデータパケットを取得することができる。
【０１０７】
第８の態様に従って、通信方法が提供され、通信方法は、端末デバイスによって、第３サービスフローを新たに追加又は更新するよう要求するか、あるいは、ＰＤＵセッションを確立するよう要求する要求メッセージを、第１アクセス技術を使用することによって第１コアネットワーク要素へ送信することと、端末デバイスによって、第１アクセス技術及び／又は第２アクセス技術を使用することによって、第１コアネットワーク要素から送信された応答メッセージを受信することと、端末デバイスによって、複数のアクセス技術を使用することによって、応答メッセージに基づいて第３サービスフロー又はＰＤＵセッションを伝送することとを含む。
【０１０８】
第８の態様を参照して、第８の態様の他の実施において、要求メッセージ又は応答メッセージは、第３識別子及びマルチアクセス技術ベース伝送指示を更に含み、マルチアクセス技術ベース伝送指示は、端末デバイスが第３識別子に基づいて決定される第３サービスフロー又はＰＤＵセッションに対してマルチアクセス技術ベース伝送又はＴＦＣＰプロトコルベースカプセル化を実行するよう要求することを示すために使用可能である。
【０１０９】
第８の態様及び第８の態様の上記の実施を参照して、第８の態様の他の実施において、第３識別子は、サービスフローの記述情報、クオリティ・オブ・サービスフロー識別子ＱＦＩ、又はパケットデータユニットＰＤＵセッション識別子のうちの少なくとも１つを含む。
【０１１０】
第８の態様及び第８の態様の上記の実施を参照して、第８の態様の他の実施において、マルチアクセス伝送指示は、ＴＦＣＰプロトコル指示、ＴＦＣＰプロトコルベースカプセル化指示、又はパケット粒度フロー分割指示である。端末デバイスは、ＱＦＩに基づいて、データパケットがＴＦＣＰヘッダを含むことを決定し、あるいは、データパケットが属するＰＤＵセッションに基づいて、データパケットがＴＦＣＰヘッダを含むことを決定し、あるいは、エンドマーカ（end  marker）データパケットに基づいて、エンドマーカデータパケットの後に受信されたデータパケットがＴＦＣＰヘッダを含むことを決定する。
【０１１１】
本願のこの実施形態における通信方法に従って、データパケットがマルチアクセス伝送に含まれることを示す複数の形が存在してよい。端末デバイスが、エンドマーカ（end  marker）データパケットに基づいて、エンドマーカデータパケットの後に受信されたデータパケットがＴＦＣＰヘッダを含むことを決定することは、サービスフローが開始するときに、ＴＦＣＰヘッダは運ばれず、フロー分割がデータパケットに対して行われる必要があるときに、エンドマーカデータパケットは、続くデータパケットがＴＦＣＰを含むことを示すために送信される、ことを示す。エンドマーカデータパケットはまた、続くデータパケットがフロー分割をサポートすることを特定するためにも使用されてよいが、エンドマーカデータパケットに続くデータパケットがＴＦＣＰを含むかどうかは、制限されない。
【０１１２】
第１アクセス技術及び第２アクセス技術は、マルチアクセスＰＤＵセッションにおける２つの異なるアクセス技術であってよい。
【０１１３】
第８の態様及び第８の態様の上記の実施を参照して、第８の態様の他の実施において、端末デバイスは、ＴＦＣＰパケットヘッダに含まれるシーケンス番号に基づいて、データパケットを順位付けする。
【０１１４】
第９の態様に従って、通信方法が提供され、通信方法は、第１コアネットワーク要素によって、第１アクセス技術を使用することによって端末デバイスから、第３サービスフローを新たに追加又は更新するよう要求するか、あるいは、ＰＤＵセッションを確立するよう要求する要求メッセージを受信することと、第１コアネットワーク要素によって、応答メッセージを、第１アクセス技術及び／又は第２アクセス技術を使用することによって端末デバイスへ送信することとを含み、応答メッセージは、第３サービスフロー又はＰＤＵセッションが複数のアクセス技術を使用することによる伝送を許すことを示すために使用可能である。
【０１１５】
第９の態様を参照して、第９の態様の他の実施において、要求メッセージ又は応答メッセージは、第３識別子及びマルチアクセス技術ベース伝送指示を更に含み、マルチアクセス技術ベース伝送指示は、端末デバイスが第３識別子に基づいて決定される第３サービスフロー又はＰＤＵセッションに対してマルチアクセス技術ベース伝送又はＴＦＣＰプロトコルベースカプセル化を実行するよう要求することを示すために使用可能である。
【０１１６】
第９の態様及び第９の態様の上記の実施を参照して、第９の態様の他の実施において、第３識別子は、サービスフローの記述情報、クオリティ・オブ・サービスフロー識別子ＱＦＩ、又はＰＤＵセッション識別子のうちの少なくとも１つを含む。
【０１１７】
第９の態様及び第９の態様の上記の実施を参照して、第９の態様の他の実施において、マルチアクセス伝送指示は、ＴＦＣＰプロトコル指示、ＴＦＣＰプロトコルベースカプセル化指示、又はパケット粒度フロー分割指示である。
【０１１８】
第９の態様及び第９の態様の上記の実施を参照して、第９の態様の他の実施において、第１コアネットワーク要素は、第４識別子及びマルチアクセス技術ベース伝送指示をユーザプレーンネットワーク要素へ送信する。
【０１１９】
第９の態様及び第９の態様の上記の実施を参照して、第９の態様の他の実施において、第４識別子は、サービスフローの記述情報、クオリティ・オブ・サービスフロー識別子ＱＦＩ、ＰＤＵセッション識別子、又はＮ４セッション識別子のうちの少なくとも１つである。
【０１２０】
第９の態様及び第９の態様の上記の実施を参照して、第９の態様の他の実施において、ＱＦＩは、端末デバイスによって、データパケットがＴＦＣＰヘッダを含むことを決定するために使用され、あるいは、トンネル識別子は、端末デバイスによって、ＰＤＵセッション内のデータパケットがＴＦＣＰヘッダを含むことを決定するために使用され、あるいは、エンドマーカ（end  marker）データパケットは、端末デバイスによって、エンドマーカデータパケットの後に受信されたデータパケットがＴＦＣＰヘッダを含むことを決定するために使用される。
【０１２１】
第９の態様及び第９の態様の上記の実施を参照して、第９の態様の他の実施において、ＴＦＣＰパケットヘッダに含まれるシーケンス番号は、データパケットを順位付けするために使用される。
【０１２２】
第１０の態様に従って、通信方法が提供され、通信方法は、データ送信ネットワーク要素によってデータ受信ネットワーク要素に対して、データが複数のリンクで伝送されるべきであることを示すパラメータを送信することと、データ送信ネットワーク要素によって、データが複数のリンクで伝送されるべきであることを示す、データ受信ネットワーク要素から送信される肯定応答情報を受信することとを含む。
【０１２３】
本願のこの実施形態における通信方法に従って、データは、複数のリンクで伝送可能である。
【０１２４】
第１０の態様を参照して、第１０の態様の他の実施において、データ送信ネットワーク要素によってデータ受信ネットワーク要素に対して、データが複数のリンクで伝送されるべきであることを示すパラメータを送信することは、データ送信ネットワーク要素によってデータ受信ネットワーク要素に対して制御プレーンを使用することによって、データが複数のリンクで伝送されるべきであることを示すパラメータを送信すること、又はデータ送信ネットワーク要素によってデータ受信ネットワーク要素に対してユーザプレーンを使用することによって、データが複数のリンクで伝送されるべきであることを示すパラメータを送信することを含む。
【０１２５】
本願のこの実施形態における通信方法に従って、データが複数のリンクで伝送されるべきであることを示すパラメータは、ユーザプレーンを使用することによって直接送信されてよく、あるいは、制御プレーンを使用することによって送信されてもよい。
【０１２６】
第１０の態様及び第１０の態様の上記の実施を参照して、第１０の態様の他の実施において、データが複数のリンクで伝送されるべきであることを示すパラメータは、データの識別情報と、データが複数のリンクで伝送されるべきであることを示す指示情報とを含む。
【０１２７】
第１０の態様及び第１０の態様の上記の実施を参照して、第１０の態様の他の実施において、データが複数のリンクで伝送されるべきであることを示すパラメータは、第１ウィンドウ長さを更に含み、第１ウィンドウ長さは、データ送信ネットワーク要素の第２ウィンドウ長さを示すために使用可能である。
【０１２８】
第１０の態様及び第１０の態様の上記の実施を参照して、第１０の態様の他の実施において、データの識別情報は、サービスフローの記述情報、クオリティ・オブ・サービスフロー識別子ＱＦＩ、パケットデータユニットＰＤＵセッション識別子、又はＮ４セッション識別子のうちの少なくとも１つを含む。
【０１２９】
第１０の態様及び第１０の態様の上記の実施を参照して、第１０の態様の他の実施において、指示情報は、トラフィックフロー制御プロトコル（ＴＦＣＰ）指示、ＴＦＣＰベースカプセル化指示、パケット粒度フロー分割指示、コンバージドトンネル指示、コンバージドトンネル識別子、又はネットワーク要素インターネットプロトコル（ＩＰ）アドレスのうちの少なくとも１つを含み、コンバージドトンネル指示は、コンバージドトンネルがサービスフローのために確立されることを示すために使用可能であり、ネットワーク要素ＩＰアドレスは、データ送信ネットワーク要素のＩＰアドレス及び／又はデータ受信ネットワーク要素のＩＰアドレスである。
【０１３０】
第１０の態様及び第１０の態様の上記の実施を参照して、第１０の態様の他の実施において、データ送信ネットワーク要素は、端末デバイスであり、データ受信ネットワーク要素は、ユーザプレーンネットワーク要素であり、あるいは、データ送信ネットワーク要素は、ユーザプレーンネットワーク要素であり、データ受信ネットワーク要素は、端末デバイスであり、あるいは、データ送信ネットワーク要素は、セッション管理機能ネットワーク要素であり、データ受信ネットワーク要素は、端末デバイス及びユーザプレーンネットワーク要素である。
【０１３１】
第１０の態様及び第１０の態様の上記の実施を参照して、第１０の態様の他の実施において、データが複数のリンクで伝送されるべきであることを示す肯定応答情報は、データが複数のリンクで伝送されるべきであることを示すパラメータを含み、あるいは、データが複数のリンクで伝送されるべきであることを示す肯定応答情報は、肯定応答メッセージを含む。
【０１３２】
第１０の態様及び第１０の態様の上記の実施を参照して、第１０の態様の他の実施において、複数のリンクは、３ＧＰＰリンク及び非３ＧＰＰリンクを含み、あるいは、複数のリンクは、具体的に、異なるアクセス技術が使用されるリンクであって、異なるアクセスネットワークデバイスへ接続されるリンクを含み、あるいは、複数のリンクは、具体的に、同じアクセス技術が使用されるリンクであって、異なるアクセスネットワークデバイスへ接続されるリンクを含む。
【０１３３】
第１１の態様に従って、通信方法が提供され、通信方法は、データ送信ネットワーク要素によって、第１リンクのリンクステータス及び／又は第２リンクのリンクステータスを決定することと、第１リンクのリンクステータス及び／又は第２リンクのリンクステータスに基づいて、データ送信ネットワーク要素によって、第１リンクで第１データパケットを伝送し、第２リンクで第２データパケットを伝送することとを含み、第１データパケット及び第２データパケットは同じサービスフローに属し、第１データパケットは第１ＴＦＣＰヘッダを含み、第１ＴＦＣＰヘッダは、第１データパケットのシーケンス番号を含み、第２データパケットは第２ＴＦＣＰヘッダを含み、第２ＴＦＣＰヘッダは、第２データパケットのシーケンス番号を含む。
【０１３４】
第１１の態様及び第１１の態様の上記の実施を参照して、第１１の態様の他の実施において、通信方法は、データ送信ネットワーク要素によって、第１リンクの第１ラウンドトリップ時間ＲＴＴ及び第２リンクの第２ＲＴＴが第１の前もってセットされた条件を満足することを決定すること、又はデータ送信ネットワーク要素によって、第１リンクの遅延及び第２リンクの遅延が第２の前もってセットされた条件を満足することを決定することを更に含む。
【０１３５】
第１１の態様及び第１１の態様の上記の実施を参照して、第１１の態様の他の実施において、第１の前もってセットされた条件は、第１ＲＴＴと第２ＲＴＴとの間の差が第１の前もってセットされた閾値以下であることを含み、あるいは、第２の前もってセットされた条件は、第１リンクの遅延と第２リンクの遅延との間の差が第２の前もってセットされた閾値以下であることを含む。
【０１３６】
第１１の態様及び第１１の態様の上記の実施を参照して、第１１の態様の他の実施において、第１データパケット及び第２データパケットは、同じデータパケットである。
【０１３７】
第１１の態様及び第１１の態様の上記の実施を参照して、第１１の態様の他の実施において、通信方法は、フロー分割ポリシーにおける第１リンク及び第２リンクの両方のフロー分割割合が１００％である場合に、データ送信ネットワーク要素によって、第１データパケット及び第２データパケットが同じデータパケットであると決定することを更に含む。
【０１３８】
第１２の態様に従って、通信方法が提供され、通信方法は、データ受信ネットワーク要素によって第１リンクで、データ送信ネットワーク要素から送信された第１データパケットを受信することであり、第１データパケットは第１ＴＦＣＰヘッダを含み、第１ＴＦＣＰヘッダは、第１データパケットのシーケンス番号を含む、ことと、データ受信ネットワーク要素によって第２リンクで、データ送信ネットワーク要素から送信された第２データパケットを受信することであり、第２データパケットは第２ＴＦＣＰヘッダを含み、第２ＴＦＣＰヘッダは、第２データパケットのシーケンス番号を含み、第１データパケット及び第２データパケットは同じサービスフローに属する、ことと、データ受信ネットワーク要素によって、第１データパケットのシーケンス番号及び第２データパケットのシーケンス番号に基づいて第１データパケット及び／又は第２データパケットをキャッシュに格納することとを含む。
【０１３９】
第１２の態様及び第１２の態様の上記の実施を参照して、第１２の態様の他の実施において、データ受信ネットワーク要素によって、第１データパケットのシーケンス番号及び第２データパケットのシーケンス番号に基づいて第１データパケット及び／又は第２データパケットをキャッシュに格納することは、データ受信ネットワーク要素によって、第１データパケットのシーケンス番号及び第２データパケットのシーケンス番号に基づいて第１データパケット及び第２データパケットをバッファに格納することを含む。
【０１４０】
第１２の態様及び第１２の態様の上記の実施を参照して、第１２の態様の他の実施において、通信方法は、データ受信ネットワーク要素によって、バッファ内のデータパケットのステータスを決定することを更に含む。
【０１４１】
第１２の態様及び第１２の態様の上記の実施を参照して、第１２の態様の他の実施において、データパケットのステータスは、喪失状態を含み、通信方法は、データ受信ネットワーク要素が前もってセットされた継続期間を越えてデータパケットを受信しない場合に、データ受信ネットワーク要素によって、データパケットのステータスが喪失状態であると決定することを更に含む。
【０１４２】
第１２の態様及び第１２の態様の上記の実施を参照して、第１２の態様の他の実施において、通信方法は、データ受信ネットワーク要素によって、第１リンクのリンク遅延及び／又は第２リンクのリンク遅延に基づいて、前もってセットされた継続期間を決定すること、又はデータ受信ネットワーク要素によって、第１リンクのラウンドトリップ時間ＲＴＴ及び／又は第２リンクのラウンドトリップ時間に基づいて、前もってセットされた継続期間を決定することを更に含む。
【０１４３】
第１２の態様及び第１２の態様の上記の実施を参照して、第１２の態様の他の実施において、前もってセットされた継続期間を越える期間は、残存期間であり、残存期間は、現在の時間とデータパケットの推定受信時間との間の差であり、データパケットの推定受信時間は、データパケットの前のデータパケットの受信時間及び／又はデータパケットの次のデータパケットの受信時間に基づいて取得され、あるいは、前もってセットされた継続期間タイマは、データパケットの前のデータパケットの受信時間及び／又はデータパケットの次のデータパケットの受信時間に基づいて開始される。具体的に、前もってセットされた継続期間タイマは、データパケットの前のデータパケットが受信されると開始される。代替的に、前もってセットされた継続期間玉は、データパケットの次のデータパケットが受信されると開始される。代替的に、前もってセットされた継続期間玉は、データパケットの前のデータパケット及び次のデータパケットが受信される前の如何なる時点でも開始される。
【０１４４】
第１２の態様及び第１２の態様の上記の実施を参照して、第１２の態様の他の実施において、データ受信ネットワーク要素によって、第１データパケットのシーケンス番号及び第２データパケットのシーケンス番号に基づいて第１データパケット及び／又は第２データパケットをキャッシュに格納することは、バッファが第１データパケット及び／又は第２データパケットを含む場合に、データ受信ネットワーク要素によって、第１データパケット及び／又は第２データパケットを捨てること、又は第１データパケットのシーケンス番号及び／又は第２データパケットのシーケンス番号がバッファ内のデータパケットの最小シーケンス番号より小さい場合に、データ受信ネットワーク要素によって、第１データパケット及び／又は第２データパケットを捨てることを含む。
【０１４５】
第１３の態様に従って、通信装置が提供される。装置は、第１の態様又は第１の態様の可能な実施のうちのいずれか１つに従って通信装置の動作を実行するよう構成されてよい。具体的に、通信装置は、第１の態様で記載されるステップ又は機能を実行するよう構成された対応するコンポーネント（手段）を含み、コンポーネントは、第１の態様における第１通信装置であってよい。ステップ又は機能は、ソフトウェア、ハードウェア、又はハードウェアとソフトウェアとの組み合わせによって実装されてよい。
【０１４６】
第１４の態様に従って、通信装置が提供される。装置は、第２の態様又は第２の態様の可能な実施のうちのいずれか１つに従って通信装置の動作を実行するよう構成されてよい。具体的に、通信装置は、第２の態様で記載されるステップ又は機能を実行するよう構成された対応するコンポーネント（手段）を含んでよい。ステップ又は機能は、ソフトウェア、ハードウェア、又はハードウェアとソフトウェアとの組み合わせによって実装されてよい。
【０１４７】
第１５の態様に従って、通信装置が提供される。装置は、第３の態様又は第３の態様の可能な実施のうちのいずれか１つに従って通信装置の動作を実行するよう構成されてよい。具体的に、通信装置は、第３の態様で記載されるステップ又は機能を実行するよう構成された対応するコンポーネント（手段）を含み、コンポーネントは、第３の態様における第１通信装置であってよい。ステップ又は機能は、ソフトウェア、ハードウェア、又はハードウェアとソフトウェアとの組み合わせによって実装されてよい。
【０１４８】
第１６の態様に従って、通信装置が提供される。装置は、第４の態様又は第４の態様の可能な実施のうちのいずれか１つに従って通信装置の動作を実行するよう構成されてよい。具体的に、通信装置は、第４の態様で記載されるステップ又は機能を実行するよう構成された対応するコンポーネント（手段）を含んでよい。ステップ又は機能は、ソフトウェア、ハードウェア、又はハードウェアとソフトウェアとの組み合わせによって実装されてよい。
【０１４９】
第１７の態様に従って、通信装置が提供される。装置は、第５の態様又は第５の態様の可能な実施のうちのいずれか１つに従って通信装置の動作を実行するよう構成されてよい。具体的に、通信装置は、第５の態様で記載されるステップ又は機能を実行するよう構成された対応するコンポーネント（手段）を含んでよい。ステップ又は機能は、ソフトウェア、ハードウェア、又はハードウェアとソフトウェアとの組み合わせによって実装されてよい。
【０１５０】
第１８の態様に従って、通信装置が提供される。装置は、第６の態様又は第６の態様の可能な実施のうちのいずれか１つに従って通信装置の動作を実行するよう構成されてよい。具体的に、通信装置は、第６の態様で記載されるステップ又は機能を実行するよう構成された対応するコンポーネント（手段）を含んでよい。ステップ又は機能は、ソフトウェア、ハードウェア、又はハードウェアとソフトウェアとの組み合わせによって実装されてよい。
【０１５１】
第１９の態様に従って、通信装置が提供される。装置は、第７の態様又は第７の態様の可能な実施のうちのいずれか１つに従って通信装置の動作を実行するよう構成されてよい。具体的に、通信装置は、第７の態様で記載されるステップ又は機能を実行するよう構成された対応するコンポーネント（手段）を含んでよい。ステップ又は機能は、ソフトウェア、ハードウェア、又はハードウェアとソフトウェアとの組み合わせによって実装されてよい。
【０１５２】
第２０の態様に従って、通信装置が提供される。装置は、第８の態様又は第８の態様の可能な実施のうちのいずれか１つに従って通信装置の動作を実行するよう構成されてよい。具体的に、通信装置は、第８の態様で記載されるステップ又は機能を実行するよう構成された対応するコンポーネント（手段）を含んでよい。ステップ又は機能は、ソフトウェア、ハードウェア、又はハードウェアとソフトウェアとの組み合わせによって実装されてよい。
【０１５３】
第２１の態様に従って、通信装置が提供される。装置は、第９の態様又は第９の態様の可能な実施のうちのいずれか１つに従って通信装置の動作を実行するよう構成されてよい。具体的に、通信装置は、第９の態様で記載されるステップ又は機能を実行するよう構成された対応するコンポーネント（手段）を含んでよい。ステップ又は機能は、ソフトウェア、ハードウェア、又はハードウェアとソフトウェアとの組み合わせによって実装されてよい。
【０１５４】
第２２の態様に従って、通信装置が提供される。装置は、第１０の態様又は第１０の態様の可能な実施のうちのいずれか１つに従って通信装置の動作を実行するよう構成されてよい。具体的に、通信装置は、第１０の態様で記載されるステップ又は機能を実行するよう構成された対応するコンポーネント（手段）を含んでよい。ステップ又は機能は、ソフトウェア、ハードウェア、又はハードウェアとソフトウェアとの組み合わせによって実装されてよい。
【０１５５】
第２３の態様に従って、通信装置が提供される。装置は、第１１の態様又は第１１の態様の可能な実施のうちのいずれか１つに従って通信装置の動作を実行するよう構成されてよい。具体的に、通信装置は、第１１の態様で記載されるステップ又は機能を実行するよう構成された対応するコンポーネント（手段）を含んでよい。ステップ又は機能は、ソフトウェア、ハードウェア、又はハードウェアとソフトウェアとの組み合わせによって実装されてよい。
【０１５６】
第２４の態様に従って、通信装置が提供される。装置は、第１２の態様又は第１２の態様の可能な実施のうちのいずれか１つに従って通信装置の動作を実行するよう構成されてよい。具体的に、通信装置は、第１２の態様で記載されるステップ又は機能を実行するよう構成された対応するコンポーネント（手段）を含んでよい。ステップ又は機能は、ソフトウェア、ハードウェア、又はハードウェアとソフトウェアとの組み合わせによって実装されてよい。
【０１５７】
第２５の態様に従って、通信装置が提供され、通信装置は、プロセッサ及びメモリを含む。メモリは、コンピュータプログラムを記憶するよう構成さえ、プロセッサは、通信装置が、第１の態様乃至第１２の態様又は第１の態様乃至第１２の態様の可能な実施のうちのいずれか１つに従う通信方法を実行するように、メモリからコンピュータプログラムを呼び出し、コンピュータプログラムを実行するよう構成される。
【０１５８】
１つ以上のプロセッサ及び１つ以上のメモリが存在する。
【０１５９】
メモリは、プロセッサに組み込まれてよく、あるいは、メモリ及びプロセッサは、別々に配置される。
【０１６０】
通信装置は、送信器（transmitter）及び受信器（receiver）を更に含む。
【０１６１】
可能な設計において、通信装置が提供され、通信装置は、トランシーバ、プロセッサ、及びメモリを含む。プロセッサは、信号を受信及び送信するようにトランシーバを制御するよう構成される。メモリは、コンピュータプログラムを記憶するよう構成される。プロセッサは、通信装置が、第１の態様乃至第１２の態様又は第１の態様乃至第１２の態様の可能な実施のうちのいずれか１つに従う方法を実行するように、メモリからコンピュータプログラムを呼び出し、コンピュータプログラムを実行するよう構成される。
【０１６２】
第２６の態様に従って、システムが提供され、システムは、上記の通信装置を含む。
【０１６３】
第２７の態様に従って、コンピュータプログラム製品が提供され、コンピュータプログラム製品は、コンピュータプログラム（コード又は命令とも呼ばれ得る）を含む。コンピュータプログラムが実行されると、コンピュータは、第１の態様乃至第１２の態様又は第１の態様乃至第１２の態様の可能な実施のうちのいずれか１つに従う方法を実行することを可能にされる。
【０１６４】
第２８の態様に従って、コンピュータ可読媒体が提供され、コンピュータ可読媒体は、コンピュータプログラム（コード又は命令とも呼ばれ得る）を記憶する。コンピュータプログラムが実行されると、コンピュータは、第１の態様乃至第１２の態様又は第１の態様乃至第１２の態様の可能な実施のうちのいずれか１つに従う方法を実行することを可能にされる。
【０１６５】
第２９の多様に従って、チップシステムが提供され、チップシステムは、メモリ及びプロセッサを含む。メモリは、コンピュータプログラムを記憶するよう構成さえ、プロセッサは、チップシステムが設置されている通信装置が、第１の態様乃至第１２の態様又は第１の態様乃至第１２の態様の可能な実施のうちのいずれか１つに従う通信方法を実行するように、メモリからコンピュータプログラムを呼び出し、コンピュータプログラムを実行するよう構成される。
【０１６６】
本発明の実施形態における通信方法及び通信装置に従って、マルチアクセスＰＤＵセッションの更新プロシージャが実装可能である。
【図面の簡単な説明】
【０１６７】
【図１】本願の実施形態が適用されるシステムアーキテクチャの図である。
【図２】マルチアクセスＰＤＵセッションの概略図である。
【図３】通信方法の略フローチャートである。
【図４】他の通信方法の略フローチャートである。
【図５】他の通信方法の略フローチャートである。
【図６】他の通信方法の略フローチャートである。
【図７】他の通信方法の略フローチャートである。
【図８】本願の第１の具体的な実施形態に従う通信方法の略フローチャートである。
【図９】本願の第２の具体的な実施形態に従う通信方法の略フローチャートである。
【図１０】本願の第３の具体的な実施形態に従う通信方法の略フローチャートである。
【図１１】本願の第４の具体的な実施形態に従う通信方法の略フローチャートである。
【図１２】本願の第５の具体的な実施形態に従う通信方法の略フローチャートである。
【図１３】本願の第６の具体的な実施形態に従う通信方法の略フローチャートである。
【図１４】通信装置の略ブロック図である。
【図１５】他の通信装置の略ブロック図である。
【図１６】他の通信装置の略ブロック図である。
【図１７】他の通信装置の略ブロック図である。
【図１８】他の通信装置の略ブロック図である。
【発明を実施するための形態】
【０１６８】
以下は、添付の図面を参照して、本願の技術的解決法について記載される。
【０１６９】
本願の実施形態における技術的解決法は、様々な通信システム、例えば、ロング・ターム・エボリューション（Long  Term  Evolution，ＬＴＥ）システム、ＬＴＥ周波数分割復信（Frequency  Division  Duplex，ＦＤＤ）システム、ＬＴＥ時分割復信（Time  Division  Duplex，ＴＤＤ）システム、将来の第５世代（5th  Generation，５Ｇ）システム、及び後続の進化した通信システムに適用されてよい。
【０１７０】
本願の実施形態における端末デバイスは、ユーザ設備、アクセス端末、加入者ネットワーク要素、加入者局、移動局、遠隔局、遠隔端末、モバイルデバイス、ユーザ端末、端末、無線通信装置、ユーザエージェント、又はユーザ装置と呼ばれ得る。端末デバイスは、代替的に、携帯電話機、コードレス電話機、セッション開始プロトコル（Session  Initiation  Protocol，ＳＩＰ）電話機、無線ローカルループ（Wireless  Local  Loop，ＷＬＬ）局、パーソナル・デジタル・アシスタント（Personal  Digital  Assistant，ＰＤＡ）、無線通信機能を備えた手持ち式デバイス、コンピューティングデバイス、無線モデムへ接続された他の処理デバイス、車載型デバイス、ウェアラブルデバイス、将来の５Ｇネットワーク内の端末デバイス、将来の進化した公衆地上移動体ネットワーク（Public  Land  Mobile  Network，ＰＬＭＮ）、又は同様のものであってもよい。これは、本願の実施形態で制限されない。
【０１７１】
例として、限定なしで、本願の実施形態において、端末デバイスは、代替的に、ウェアラブルデバイスであってもよい。ウェアラブルデバイスは、ウェアラブルインテリジェントデバイスとも呼ばれることがあり、日常着のインテリジェント設計にウェアラブル技術を適用することによって開発されるメガネ、手袋、時計、衣服、及び靴のようなウェアラブルデバイスの一般的な用語である。ウェアラブルデバイスは、身体に直接装着されるか、あるいは、ユーザの衣服又はアクセサリに組み込まれる持ち運び可能なデバイスである。ウェアラブルデバイスは、ハードウェアデバイスであるだけでなく、ソフトウェアサポート、データ交換、及びクラウドインタラクションを通じて強力な機能も実装する。広い意味で、ウェアラブルインテリジェントデバイスは、スマートウォッチ又はスマートグラスのような、スマートフォンに依存せずに完全な又は部分的な機能を実装可能であるフル装備かつ大規模のデバイスと、身体的徴候をモニタする様々なスマートバンド又はスマートジュエリーのような、ただ１つのタイプのアプリケーション機能に焦点を当て、スマートフォンのような他のデバイスと協働する必要があるデバイスとを含む。
【０１７２】
本願の実施形態において、端末デバイス又はアクセスネットワークデバイスは、ハードウェアレイヤと、ハードウェアレイヤで実行されるオペレーティングシステムレイヤと、オペレーティングシステムレイヤで実行されるアプリケーションレイヤとを含む。ハードウェアレイヤは、中央演算処理装置（Central  Processing  Unit，ＣＰＵ）、メモリ管理ユニット（Memory  Management  Unit，ＭＭＵ）、及びメモリ（メインメモリとも呼ばれる）のようなハードウェアを含む。オペレーティングシステムは、プロセス（Process）を実行することによってサービス処理を実装する任意の１つ以上のコンピュータオペレーティングシステム、例えば、Ｌｉｎｕｘオペレーティングシステム、Ｕｎｉｘオペレーティングシステム、Ａｎｄｒｏｉｄオペレーティングシステム、ｉＯＳオペレーティングシステム、又はＷｉｎｄｏｗｓオペレーティングシステムであってよい。アプリケーションレイヤは、ブラウザ、アドレス帳、ワードプロセッシングソフトウェア、及びインスタントメッセージングソフトウェアのようなアプリケーションを含む。その上、本願の実施形態で提供される方法の実行本体の具体的な構造は、本願の実施形態で提供される方法のコードを記録するプログラムが、本願の実施形態で提供される方法に従って通信を行うよう実行され得るという条件で、本願の実施形態で特定に制限されない。例えば、本願の実施形態で提供される方法は、端末デバイス若しくはコアネットワークデバイス、又は端末デバイス若しくはコアネットワークデバイスにおいてプログラムを呼び出し実行することができる機能モジュールによって実行されてよい。
【０１７３】
更に、本願の実施形態における態様又は特徴は、標準のプログラミング及び／又はエンジニアリング技術を使用する方法、装置、又は製品として実装されてよい。本願で使用される「製品」という語は、如何なるコンピュータ可読デバイスからもアクセス可能なコンピュータプログラム、担体、又は媒体を網羅する。例えば、コンピュータ可読媒体には、制限なしに、磁気記憶デバイス（例えば、ハードディスク、フロッピーディスク、又は磁気テープ）、光ディスク（例えば、コンパクト・ディスク（Compact  Disc，ＣＤ）、デジタル・バーサタイル・ディスク（Digital  Versatile  Disc，ＤＶＤ）、スマートカード、及びフラッシュメモリデバイス（例えば、消去可能なプログラム可能リード・オンリー・メモリ（Erasable  Programmable  Read-Only  Memory，ＥＰＲＯＭ）、カード、スティック、又はキードライブ）が含まれ得る。更に、本明細書で記載される様々な記憶媒体は、情報を記憶するよう構成される１つ以上のデバイス及び／又は他のマシン可読媒体を示し得る。「マシン可読媒体」という用語には、制限なしに、無線チャネルと、命令及び／又はデータを記憶し、含み、及び／又は運ぶことができる様々な他の媒体が含まれ得る。
【０１７４】
図１及び図２を参照して、以下は、本願の実施形態において、ネットワークシステムアーキテクチャ及びアーキテクチャ内のマルチアクセスＰＤＵセッションについて詳細に記載する。
【０１７５】
図１は、本願の実施形態が適用されるシステムアーキテクチャの図である。アーキテクチャ図は、３つの部分、すなわち、端末デバイス１１６、アクセスネットワークデバイス２２０、及びコアネットワークデバイス１０２を含む。以下は、３つの部分について詳細に記載する。
【０１７６】
端末デバイス１１６は、上述された複数の可能な形態を含んでよい。詳細は、ここで再び記載されない。
【０１７７】
アクセスネットワークデバイス２２０（図１に示されるアクセスネットワークデバイス２２０ａ及びアクセスネットワークデバイス２２０ｂを含む）は夫々、３ＧＰＰアクセス技術に対応する無線アクセスネットワーク（Radio  Access  Network，ＲＡＮ）デバイス並びに／又は非３ＧＰＰアクセス技術に対応する非３ＧＰＰアクセスネットワークデバイス及び／若しくはアクセスゲートウェイデバイスであってよく、これらはアクセスネットワークデバイスと総称される。３ＧＰＰアクセス技術の無線アクセスネットワークには、制限なしに、次世代無線アクセスネットワーク（Next  Generation  RAN，ＮＧ−ＲＡＮ）、ＬＴＥネットワーク、又は同様のものが含まれる。対応するアクセスネットワークデバイスは、次世代無線アクセスノード（Next  Generation-Radio  Access  Node，ＮＧ−ＲＡＮ）又はエボルブド・ノードＢ（evolved  NodeB，ｅＮＢ又はｅＮｏｄｅＢ）であってよい。非３ＧＰＰアクセス技術のアクセスネットワークには、制限なしに、高信頼性ＷＬＡＮアクセスネットワーク、信頼できないＷＬＡＮアクセスネットワーク、固定アクセスネットワーク、又は有線アクセスネットワークが含まれる。ＷＬＡＮアクセスネットワークでは、対応するアクセスネットワークデバイスは、アクセスポイント（access  point，ＡＰ）、Ｎ３ＩＷＦネットワーク要素、ＮＧＰＤＧ、又は同様のものであってよい。
【０１７８】
端末デバイス１１６は、コアネットワーク（Core  network，ＣＮ）にアクセスするために３ＧＰＰ無線技術を使用してよい。代替的に、端末デバイス１１６は、Ｎ３ＩＷＦネットワーク要素又はＮＧＰＤＧを使用することによってコアネットワークにアクセスするために、非第３世代パートナーシッププロジェクトｎｏｎ−３ＧＰＰアクセス技術を使用してもよい。
【０１７９】
図１に示されるシステムアーキテクチャは、信頼できない非３ＧＰＰアクセス技術を使用してコアネットワークデバイスにアクセスすることを更にサポートしてもよい。信頼できない非３ＧＰＰアクセス技術を使用してコアネットワークデバイスにアクセスすることは、信頼できない無線ローカル・エリア・ネットワーク（Wireless  Local  Area  Networks，ＷＬＡＮ）を使用してコアネットワークデバイスにアクセスすることであってよい。
【０１８０】
高信頼性非３ＧＰＰアクセス技術を使用してコアネットワークデバイスにアクセスすることは、信頼できない非３ＧＰＰアクセス技術を使用してコアネットワークデバイスにアクセスすることと類似する。信頼できない非３ＧＰＰアクセス技術に対応するアクセスネットワークデバイスは、高信頼性非３ＧＰＰアクセス技術に対応するアクセスネットワークデバイスにより置換されてよく、Ｎ３ＩＷＦネットワーク要素は、信頼できるアクセスゲートウェイにより置換されてよい。代替的に、信頼できない非３ＧＰＰアクセスゲートウェイが存在しない場合に、アクセスネットワークデバイスは、高信頼性非３ＧＰＰアクセスネットワークデバイスである。
【０１８１】
３ＧＰＰアクセス技術、すなわち、高信頼性非３ＧＰＰアクセス技術、又は信頼性非３ＧＰＰアクセス技術に関わらず、第１コアネットワーク要素（例えば、ＳＭＦネットワーク要素）は、ポイント・ツー・ポイントのインターフェースプロトコル又は、３ＧＰＰがコアネットワークにアクセスするために使用されるアーキテクチャと同じであるが、サービス指向のインターフェースが使用されるアーキテクチャをサポートしてよい。
【０１８２】
コアネットワークデバイスにアクセスするために端末デバイスによって使用される具体的なアクセス技術は、本願で制限されず、既存の又は将来のアクセス技術の中の任意の１つが、コアネットワークデバイスにアクセスするために使用されてよい、ことが理解されるべきである。
【０１８３】
この実施形態において、３ＧＰＰアクセスネットワークデバイスがＮＧ−ＲＡＮであり、非３ＧＰＰアクセスネットワークデバイスがＮ３ＩＷＦネットワーク要素である例が、記載のために使用される。
【０１８４】
コアネットワークデバイス１０２は、機能に基づいて、ユーザプレーン機能（User  plane  function，ＵＰＦ）ネットワーク要素と、制御プレーン機能（Control  plane  function，ＣＰ）ネットワーク要素とに分けられる。
【０１８５】
ユーザプレーン機能ネットワーク要素は、パケットデータパケットを転送すること、クオリティ・オブ・サービス（Quality  of  Service，ＱｏＳ）を制御すること、課金情報に関する統計量を収集する、等に主に関与する。
【０１８６】
制御プレーンネットワーク要素機能ネットワーク要素は、端末デバイスの登録及び認証、モビリティ管理、ユーザプレーン機能ネットワーク要素へのデータパケット転送ポリシー及びＱｏＳ制御ポリシーの供給、等に主に関与する。
【０１８７】
制御プレーンネットワーク要素機能ネットワーク要素は、更に具体的には、機能に基づいて、アクセス及びモビリティ管理機能（Access  and  Mobility  Management  Function，ＡＭＦ）ネットワーク要素と、セッション管理機能（Session  Management  Function，ＳＭＦ）ネットワーク要素とに分けられてよい。
【０１８８】
ＡＭＦネットワーク要素は、端末デバイスがコアネットワークデバイスにアクセスする場合の登録プロシージャと、端末デバイスの移動工程における位置管理とに関与する。
【０１８９】
ＳＭＦネットワーク要素は、端末デバイスのための特定のサービスを提供するために、端末デバイスがサービスを開始する場合にコアネットワーク要素によって確立される対応するセッション接続に関与する。サービスは、データパケット転送ポリシー、クオリティ・オブ・サービス（Quality  of  Service，ＱｏＳ）ポリシー、等を、ＳＭＦネットワーク要素とＵＰＦネットワーク要素との間のインターフェースに基づいて、ＵＰＦネットワーク要素へ供給することを含む。
【０１９０】
コアネットワークデバイスは、認証サーバ機能（Authentication  Server  Function，ＡＵＳＦ）ネットワーク要素、統合データ管理（Unified  Data  Management，ＵＤＭ）ネットワーク要素、ポリシー制御機能（Policy  Control  function，ＰＣＦ）ネットワーク要素、アプリケーション機能（Application  Function，ＡＦ）ネットワーク要素、データネットワーク（Data  Network，ＤＮ）ネットワーク要素、ネットワークスライス選択機能（Network  Slice  Selection  Function，ＮＳＳＦ）ネットワーク要素、ネットワーク公開機能（Network  Exposure  Function，ＮＥＦ）ネットワーク要素、及びネットワークリポジトリ機能（Network  Repository  Function，ＮＲＦ）ネットワーク要素を更に含む。ＡＵＳＦネットワーク要素は、端末デバイスの妥当性を決定するために、端末デバイスに対して認証を実行すること主に関与する。
【０１９１】
ＵＤＭネットワーク要素は、端末デバイスのサブスクリプションデータを保持するよう主に構成される。
【０１９２】
ＰＣＦネットワーク要素は、ＡＭＦ又はＳＭＦへサービス関連ポリシーを供給するよう主に構成される。
【０１９３】
ＡＦは、ＰＣＦが対応するポリシーを生成するように、アプリケーション関連要件をＰＣＦへ送信するよう構成される。
【０１９４】
ＮＳＳＦは、ネットワークスライスを選択するよう構成される。
【０１９５】
ＮＥＦは、サードパーティネットワークへ５Ｇネットワーク機能を公開するよう構成される。
【０１９６】
ＮＲＦは、上記のネットワーク機能ネットワーク要素を選択するよう構成される。
【０１９７】
データネットワーク（Data  Network，ＤＮ）は、ユーザのためのサービスを提供するよう、例えば、モバイルオペレータサービス、インターネットサービス、ネットワークサービス、又はサードパーティサービスを提供するよう構成される。
【０１９８】
本願のこの実施形態は、端末デバイスと、アクセスネットワークデバイス（第１アクセスネットワークデバイスＮＧ−ＲＡＮ及び第２アクセスネットワークデバイスＮ３ＩＷＦを含む）と、図１ではコアネットワークデバイス内にあるＳＭＦネットワーク要素、ＡＭＦネットワーク要素、ＰＣＦネットワーク要素、及びＵＰＦネットワーク要素と主に関係がある。
【０１９９】
コアネットワークデバイス内にあるＳＭＦネットワーク要素、ＡＭＦネットワーク要素、ＰＣＦネットワーク要素、及びＵＰＦネットワーク要素以外のネットワーク要素の機能の記載は、本願の技術的解決法が添付の図面を参照して以下で記載される場合に与えられず、コアネットワークデバイス内の他のネットワーク要素の機能は、本願で制限されない、ことが理解されるべきである。
【０２００】
図１に記載されているコアネットワークデバイスは、他の機能ネットワーク要素を更に含んでもよい、ことが理解されるべきである。これは、本願で制限されない。
【０２０１】
５Ｇネットワークアーキテクチャによってサポートされるマルチアクセス技術に基づいて、マルチアクセスＰＤＵセッションは、先行技術において確立されてよい。「マルチアクセス」は、ＰＤＵセッションが複数のアクセスネットワークデバイスを使用することによってコアネットワークへアクセスされることを意味し、異なるアクセスネットワークデバイスは、異なるアクセス技術に対応してよく、あるいは、同じアクセス技術に対応してもよい。
【０２０２】
例えば、マルチアクセスは、第１アクセスネットワークデバイスＮＧ−ＲＡＮ及び第２アクセスネットワークデバイスＮ３ＩＷＦを使用することによってコアネットワークデバイスにアクセスすることを含む。相応して、コアネットワークデバイスがＮＧ−ＲＡＮを使用することによってアクセスされる場合に対応する第１アクセス技術は、３ＧＰＰアクセス技術又はＮＧ−ＲＡＮアクセス技術であり、コアネットワークデバイスがＮ３ＩＷＦを使用することによってアクセスされる場合に対応する第２アクセス技術は、非３ＧＰＰアクセス技術又は信頼できないＷＬＡＮアクセス技術である。
【０２０３】
サービスフローがマルチアクセスＰＤＵセッションに加えられるか、あるいは、セッション内のサービスフローが変化する場合に、端末デバイスは、第１アクセス技術に対応する第１アクセスネットワークデバイスを使用することによって、更新要求をコアネットワークデバイスへ送信し、第１アクセスネットワークデバイスのＱｏＳプロファイル確立又は更新プロシージャを完了する。代替的に、端末デバイスは、第２アクセス技術に対応する第２アクセスネットワークデバイスを使用することによって、更新要求を第１コアネットワーク要素へ送信し、第２アクセスネットワークデバイスのＱｏＳプロファイル確立又は更新プロシージャを完了する。
【０２０４】
以下の実施形態は、端末デバイスが第１アクセスネットワークデバイスを使用することによって更新要求を送信する例を使用することによって、記載される。例えば、端末デバイスは、マルチアクセスＰＤＵセッションにサービスフロー１を追加する必要があり、端末デバイスは、ＮＧ−ＲＡＮ及び３ＧＰＰアクセス技術を使用することによってサービスフロー１を伝送するよう要求するために、ＮＧ−ＲＡＮを使用することによって第１コアネットワーク要素へ更新要求を送信する。第１コアネットワーク要素は、要求メッセージに基づいてＮＧ−ＲＡＮのＱｏＳプロファイルを更新する。ＱｏＳプロファイルが更新される前に５Ｍサービスフローの伝送をサポート可能であって、サービスフロー１が５Ｍリソースを使用することによって伝送される必要があるとすれば、更新されたＱｏＳプロファイルは、１０Ｍサービスフローの伝送をサポートする。
【０２０５】
３ＧＰＰアクセス技術を使用する形態は、単に例に過ぎないことが理解されるべきである。第１アクセス技術は、マルチアクセスＰＤＵセッションにおけるアクセス技術の中の任意の１つである。
【０２０６】
マルチアクセスＰＤＵセッションは、図２を参照して以下で簡単に記載される。図２は、マルチアクセスＰＤＵセッションの概略図である。
【０２０７】
アクセス技術３１０（図２に示されるアクセス技術３１０ａ及びアクセス技術３１０ｂを含む）は、端末デバイス１１６及びユーザプレーン機能ネットワーク要素３３０がＰＤＵセッションにおいてサービスフローデータパケットを伝送する場合にネットワーク側にアクセスするアクセス技術様態を指す。
【０２０８】
アクセス技術３１０は、上記の３ＧＰＰアクセス技術又は上記の非３ＧＰＰアクセス技術のようなアクセス技術であってよい。代替的に、アクセス技術３１０は、ＬＴＥアクセス技術、ＮＧ−ＲＡＮアクセス技術、高信頼性非３ＧＰＰアクセス技術、信頼できない非３ＧＰＰアクセス技術、ＷＬＡＮアクセス技術、及び固定ネットワークアクセス技術のようなアクセス技術であってよい。アクセス技術の具体的な様態は、本願で制限されない。アクセス技術３１０ａ及びアクセス技術３１０ｂは、異なるアクセス技術、又は異なるアクセスネットワークデバイスによって使用される同じアクセス技術である。
【０２０９】
ユーザプレーントンネル３２０（図２に示されるユーザプレーントンネル３２０ａ及びユーザプレーントンネル３２０ｂを含む）は夫々、アクセスネットワークデバイスとＵＰＦとの間のユーザプレーントンネルである。異なるユーザプレーントンネル３２０ａ及び３２０ｂは、異なるアクセスネットワークデバイスと同じＵＦＰとの間に確立される。アクセスネットワークデバイス及びＵＰＦは夫々、トンネル識別子を割り当て、トンネル識別子を記憶のためにピアデバイスへ送信する。例えば、アクセスネットワークデバイス１は、トンネル識別子１をユーザプレーントンネル３２０ａに割り当て、トンネル識別子１を記憶のためにＵＰＦへ送信する。ＵＰＦは、トンネル識別子２をユーザプレーントンネル３２０ａに割り当て、トンネル識別子２を記憶のためにアクセスネットワークデバイスへ送信する。トンネル識別子１及びトンネル識別子２は、アクセスネットワークデバイス１とＵＰＦとの間のユーザプレーントンネル３２０ａのトンネル識別子である。ユーザプレーントンネル３２０ｂのトンネル識別子は、ユーザプレーントンネル３２０ａのトンネル識別子と同様である。アクセスネットワークデバイス２は、トンネル識別子３をユーザプレーントンネル３２０ｂに割り当て、ＵＰＦは、トンネル識別子４をユーザプレーントンネル３２０ｂに割り当てる。ＵＰＦによって割り当てられるユーザプレーントンネル３２０ａのトンネル識別子２及びユーザプレーントンネル３２０ｂのトンネル識別子４は、同じ又は異なってよい。これは、本願で制限されない。
【０２１０】
ＰＤＵセッションは、端末とＵＰＦとの間のセッションである。ユーザプレーントンネル３２０ａ及び３２０ｂは、同じＰＤＵセッションに属する。アクセス技術３１０は、同じＰＤＵセッション内の異なるアクセス技術、又は同じＰＤＵセッション内にあるが、異なるアクセスネットワークデバイスに対応する同じアクセス技術である。
【０２１１】
先行技術において、５Ｇネットワークアーキテクチャはマルチアクセスをサポートし、マルチアクセスＰＤＵセッションが確立され得る。
【０２１２】
異なる粒度でのサービスフロー分割は、マルチアクセスＰＤＵセッションを使用することによって実装可能である。具体的に言えば、異なるサービスフローは、異なるアクセス技術及び異なるアクセスネットワークデバイス、又は同じアクセス技術及び異なるアクセスネットワークデバイスを使用することによって伝送され得る。異なるアクセス技術及び異なるアクセスネットワークデバイスが使用されるシナリオが、以下、記載のために例として使用される。同じアクセス技術及び異なるアクセスネットワークデバイスが使用されるシナリオでは、アクセス技術は、以下の記載中のアクセスネットワークデバイスにより置換されれば足りる。
【０２１３】
サービスフローの最小のフロー分割粒度は、パケット粒度である。具体的に言えば、同じサービスフローの異なるデータパケットは、異なるアクセス技術を使用することによって伝送され得る。
【０２１４】
図２に示されるマルチアクセスＰＤＵセッションを使用することによってパケット粒度フロー分割を実装するよう、トラフィックフロー制御プロトコル（Traffic  Flow  Control  Protocol，ＴＦＣＰ）ヘッダに基づくカプセル化は、ＰＤＵセッションにおける全てのセッションフローデータパケット、同じクオリティ・オブ・サービスフロー（ＱｏＳフロー）に属する全てのサービスフローデータパケット、又は同じサービスフローに属する全てのデータパケットに対して実行される必要がある。ＴＦＣＰプロトコルは、ＵＥとＵＰＦとの間のユーザプレーンプロトコルレイヤであり、データパケットシーケンス番号を運ぶために使用されるか、あるいは、ＵＥとＵＰＦとの間のリンクのステータスを検出するために使用される。プロトコルレイヤのプロトコルタイプは、本願において制限されず、例えば、代替的に、汎用ルーティングカプセル化（Generic  Routing  Encapsulation，ＧＲＥ）プロトコル又は他のプロトコルタイプであってよい。ＴＦＣＰプロトコルは、以下の記載において一例として使用される。
【０２１５】
サービスフローが図２に示されるマルチアクセスＰＤＵセッションに新たに加えられる必要があるか、あるいは、マルチアクセスＰＤＵセッションにおけるサービスフローが更新される必要がある場合に、マルチアクセスＰＤＵセッションは更新される必要がある。サービスフローを更新することは、サービスフローのＱｏＳパラメータが変更されること、又はサービスフローのアクセス技術が変更されることを含む。
【０２１６】
いくつかの実施形態において、端末デバイスは、図２に示される第１アクセス技術を使用することによって、例えば、サービスフロー１を加えるために、マルチアクセスＰＤＵセッションの更新要求を送信する。第１コアネットワーク要素は、伝送のために、更新要求を送るために使用される第１アクセス技術にサービスフロー１を割り当て、第１アクセス技術に対応する第１アクセスネットワークデバイスに、現在のＱｏＳパラメータを更新するよう要求する。
【０２１７】
いくつかの他の実施形態において、端末デバイスは、図２に示される第２アクセス技術を使用することによって、例えば、サービスフロー１を加えるために、マルチアクセスＰＤＵセッションの更新要求を送信する。第１コアネットワーク要素は、伝送のために、更新要求を送信するために使用される第２アクセス技術にサービスフロー１を割り当て、第２アクセス技術に対応する第２アクセスネットワークデバイスに、現在のＱｏＳパラメータを更新するよう要求する。
【０２１８】
先行技術では、マルチアクセスＰＤＵセッションが５Ｇネットワークアーキテクチャにおいて更新される場合に、更新要求を送信するアクセスネットワークデバイス（例えば、第１アクセスネットワークデバイス）のＱｏＳパラメータしか更新することができず、マルチアクセスＰＤＵセッションにおいて他方の側にあるアクセスネットワークデバイス（例えば、第２アクセスネットワークデバイス）のＱｏＳパラメータは更新され得ないことが、上記の説明から分かる。
【０２１９】
例えば、新しいサービスフロー１が伝送される必要がある場合に、端末デバイスは、第１アクセス技術を使用することによって、サービスフロー１を伝送するよう要求するために使用される要求メッセージを送信して、相応して第１アクセス技術のＱｏＳパラメータを更新し、それにより、サービスフロー１は、第１アクセス技術を使用することによって伝送可能であるが、第２アクセス技術のＱｏＳパラメータは、第２アクセス技術を使用することによってサービスフロー１を伝送するために更新され得ない。その上、新しいサービスフロー１及び新しいサービスフロー２が夫々第１アクセス技術及び第２アクセス技術を使用することによって伝送される必要がある場合に、先行技術では、更新要求メッセージが、第１アクセス技術及び第２アクセス技術を使用することによって別々に送信される必要があり、それにより、第１技術１は相応してサービスフロー１を使用することによって更新され、第２技術２は相応してサービスフロー２を使用することによって更新される。
【０２２０】
更に、先行技術は、パケット粒度フロー分割をサポートしない。結果として、一方の側でのアクセス技術がサービスフローのＱｏＳ要件を満足することができない場合に、他方の側でのアクセス技術は、サービスフローの伝送サービスを提供するために使用され得ない。
【０２２１】
上記の問題を解消するために、本願のいくつかの実施形態は、マルチアクセスＰＤＵセッションの複数のアクセス技術がマルチアクセスＰＤＵセッションに基づいて更新可能であるような通信方法を提供する。
【０２２２】
本願のいくつかの他の実施形態は、パケット粒度フロー分割を実装するよう、複数の粒度でのＴＦＣＰベースのカプセル化をサポートしてよい。複数の粒度でのＴＦＣＰベースのカプセル化は、ＰＤＵセッション粒度でのＴＦＣＰベースのカプセル化、ＱｏＳフロー粒度でのＴＦＣＰベースのカプセル化、又はサービスフロー粒度若しくはサービスフローテンプレート粒度でのＴＦＣＰベースのカプセル化を含む。サービスフロー粒度又はサービスフローテンプレート粒度でのＴＦＣＰベースのカプセル化の場合に、ＴＦＣＰヘッダに基づくカプセル化は、サービスフロー又はサービスフローテンプレートに対応する全てのサービスフローに対して実行しさえすればよく、ＴＦＣＰヘッダに基づくカプセル化は、同じＱｏＳフローに属するサービスフローに対して実行される必要がない。
【０２２３】
上記のＰＤＵの英語フルネーム及びコアネットワークデバイス内のネットワーク要素のような名称は全て、区別を簡単にするために定義された名称であり、本願に対する如何なる制限も構成すべきでないことが更に理解されるべきである。他の名称が既存のプロトコル又は将来のプロトコルにおいて上記名称を置き換えるために使用される可能性は、本願で排除されない。
【０２２４】
図３を参照して、以下は、本願の実施形態で提供される通信方法について詳述する。
【０２２５】
図３は、本願の実施形態に従う通信方法の略フローチャートである。Ｓ１１０．端末デバイスは、要求メッセージを第１コアネットワーク要素へ送信する。
【０２２６】
要求メッセージが端末デバイスとＵＰＦネットワーク要素との間のマルチアクセスＰＤＵセッションを更新するよう要求する場合については、以下の場合１の記載を参照されたい。
【０２２７】
要求メッセージが端末デバイスとＵＰＦネットワーク要素との間のマルチアクセスＰＤＵセッションにおけるアクセス技術の１つを削除するよう要求する場合については、以下の場合２の記載を参照されたい。
【０２２８】
場合１：端末デバイスは、第１アクセス技術を使用することによって、要求メッセージを第１コアネットワーク要素へ送信し、このとき、要求メッセージは、サービスフローを新たに追加又は更新するよう要求する。
【０２２９】
任意に、要求メッセージは第１識別子を含み、第１識別子は、サービスフローを決定するために使用可能である。サービスフローは、１つ以上のサービスフローであってよい。
【０２３０】
第１識別子は、サービスフローの記述情報、クオリティ・オブ・サービスフロー識別子ＱＦＩ、又はＰＤＵセッション識別子のうちの少なくとも１つを含む。
【０２３１】
いくつかの実施形態において、端末デバイスは、第３識別子とマルチアクセス技術に基づく伝送指示との間の対応を要求メッセージに追加し、そして、要求メッセージを第１コアネットワーク要素へ送信する。第３識別子は、第１識別子と同じであってよく、サービスフローを決定するために使用可能である。代替的に、第３識別子は、第２識別子と同じであり、ＰＤＵセッション識別子（ＰＤＵセッションＩＤ）であり、ＰＤＵセッションを決定するために使用可能である。代替的に、第３識別子は、ＱｏＳフロー識別子（ＱＦＩ）であり、ＱｏＳフローを決定するために使用可能である。マルチアクセス技術に基づく伝送指示は、端末デバイスが、第３識別子に基づいて決定される第３サービスフローに対してマルチアクセス技術に基づく伝送を実行するよう要求することを示すために使用可能であるか、あるいは、第３識別子に基づいて決定される第３サービスフローに対してＴＦＣＰプロトコルベースのカプセル化を実行するよう要求することを示すために使用可能である。マルチアクセス伝送指示は、ＴＦＣＰプロトコル指示、ＴＦＣＰプロトコルベースのカプセル化指示、又はパケット粒度フロー分割指示である。
【０２３２】
いくつかの実施形態において、サービスフローは、端末デバイスとＵＰＦネットワーク要素との間のマルチアクセスＰＤＵセッションにおける変更されたサービスフロー又は新たに加えられたサービスフローとして理解されてよい。変更されたサービスフローは、サービスフローのＱｏＳパラメータが変更されること、又はサービスフローのアクセス技術が変更されることであってよい。
【０２３３】
いくつかの実施形態において、要求メッセージは、第１識別情報及び第１アクセス技術の指示情報を含み、端末デバイスは、第１アクセス技術を使用することによってサービスフローに伝送リソースを割り当てるよう第１コアネットワーク要素に要求し、それにより、サービスフローは第１アクセス技術を使用することによって伝送される。
【０２３４】
いくつかの他の実施形態において、要求メッセージは、第１識別情報及び第２アクセス技術の指示情報を含み、端末デバイスは、第２アクセス技術を使用することによってサービスフローに伝送リソースを割り当てるよう第１コアネットワーク要素に要求し、それにより、サービスフローは第２アクセス技術を使用することによって伝送される。
【０２３５】
いくつかの他の実施形態において、要求メッセージは、第１識別情報、第１アクセス技術の指示情報、及び第２アクセス技術の指示情報を含み、端末デバイスは、第１アクセス技術及び第２アクセス技術を使用することによってサービスフローに伝送リソースを割り当てるよう第１コアネットワーク要素に要求し、それにより、サービスフローは第１アクセス技術及び第２アクセス技術を使用することによって伝送される。
【０２３６】
第１識別情報は、サービスフロー記述又はサービスフローテンプレートであり、サービスフロー又はサービスフローテンプレート内の全てのサービスフローは、パケット粒度フロー分割をサポートする。
【０２３７】
要求メッセージは、端末デバイスとＵＰＦネットワーク要素との間のマルチアクセスＰＤＵセッションにおけるアクセス技術のＱｏＳプロファイルを更新するよう要求し、それにより、端末デバイスは、第１アクセス技術及び／又は第２アクセス技術を使用することによってサービスフローを伝送することができることが更に理解され得る。
【０２３８】
マルチアクセスＰＤＵセッションは、ＰＤＵセッションが複数のアクセス技術を使用することによってコアネットワークデバイスにアクセスされ得、１つ以上のアクセス技術が１つのアクセスネットワークデバイスに対応し得ることを意味する。
【０２３９】
本願で、説明は、端末デバイスとＵＰＦネットワーク要素との間のマルチアクセスＰＤＵセッションが２つのアクセス技術を含み、２つのアクセス技術の中の第１アクセス技術及び第２アクセス技術が異なるところの例を使用することによって、与えられる。
【０２４０】
本願のこの実施形態において、マルチアクセスＰＤＵセッションにおけるアクセス技術は、ただ２つのアクセス技術に制限されないことが理解されるべきである。マルチアクセスＰＤＵセッションは、２よりも多いアクセス技術を含んでよく、そのようなアクセス技術は異なる。
【０２４１】
第１アクセス技術及び第２アクセス技術は具体的な実施では異なり、あるいは、１つのアクセス技術は２つのアクセスネットワークデバイスに対応してよいことが更に理解されるべきである。この場合に、後述される「アクセス技術」は、「アクセスネットワークデバイス」により置き換えられ、すなわち、異なるアクセス技術は、異なるアクセスネットワークデバイスにより置き換えられる。
【０２４２】
いくつかの実施形態において、第１アクセス技術は３ＧＰＰアクセス技術であり、第２アクセス技術は非３ＧＰＰアクセス技術である。
【０２４３】
いくつかの他の実施形態において、第１アクセス技術は非３ＧＰＰアクセス技術であり、第２アクセス技術は３ＧＰＰアクセス技術である。
【０２４４】
いくつかの他の実施形態において、第１アクセス技術はＮＧ−ＲＡＮアクセス技術であり、第２アクセス技術はＷＬＡＮアクセス技術である。
【０２４５】
第１アクセス技術及び第２アクセス技術は夫々、３ＧＰＰアクセス技術、非３ＧＰＰアクセス技術、ＬＴＥアクセス技術、ＮＧ−ＲＡＮアクセス技術、高信頼性非３ＧＰＰアクセス技術、信頼できない非３ＧＰＰアクセス技術、ＷＬＡＮアクセス技術、及び固定ネットワークアクセス技術のようなアクセス技術の中のいずれか１つであってよい。
【０２４６】
可能な実施では、ステップ１０１の要求メッセージは、端末デバイスとＵＰＦネットワーク要素との間のマルチアクセスＰＤＵセッションに対してサービスフローを新たに追加又は更新するよう要求する。
【０２４７】
可能な実施では、第１アクセス技術及び／又は第２アクセス技術の複数のＱｏＳプロファイル／１つのＱｏＳプロファイルが更新されてよく、それにより、新たに加えられたサービスフローは、第１アクセス技術及び／又は第２アクセス技術を使用することによって伝送可能である。
【０２４８】
いくつかの実施形態において、要求メッセージは第２識別子を運び、第２識別子はマルチアクセスＰＤＵセッション識別子（ＰＤＵセッションＩＤ）である。ＰＤＵセッション識別子は、マルチアクセスＰＤＵセッションを示すために使用可能である。端末デバイスとＵＰＦネットワーク要素との間には複数のマルチアクセスＰＤＵセッションが存在し得るので、各マルチアクセスＰＤＵセッションは、対応するセッション識別子を有している。
【０２４９】
マルチアクセスＰＤＵセッション識別子をどのように生成すべきかは、本願のこの実施形態において制限されないことが理解されるべきである。本願のこの実施形態において、マルチアクセスＰＤＵセッションは、確立されたマルチアクセスＰＤＵセッションに基づいて更新される。
【０２５０】
可能な実施では、ステップ３０１の要求メッセージは第１識別子を含み、第１識別子は、サービスフローを決定するために使用可能である。第１識別子は、サービスフローを記述するために使用され得るデータパケットフィルタ（Packet  Filter）であってよく、従って、サービスフロー記述とも呼ばれ得る。代替的に、第１識別子は、サービスデータフロー（Service  data  flow，ＳＤＦ）テンプレートであってよく、サービスデータフローテンプレートは、サービスフロー記述セット、すなわち、パケットフィルタセットである。従って、第１識別子は、サービスフロー記述とも呼ばれ得る。
【０２５１】
第１識別子は、サービスフローを記述するために使用され、すなわち、マルチアクセスＰＤＵセッションにおける新たに加えられた又は変更されたサービスフローを記述するために使用される。第１コアネットワーク要素は、第１識別子に基づいてサービスフローを決定してよい。
【０２５２】
いくつかの実施形態において、サービスフロー記述は、サービスフローの発信元インターネットプロトコル（Internet  Protocol，ＩＰ）アドレス及びあて先ＩＰアドレスを含む。
【０２５３】
任意に、サービスフロー記述は、サービスフローの発信元ポート番号及びあて先ポート番号を含む。
【０２５４】
任意に、サービスフロー記述情報は、サービスフローのプロトコルタイプを含む。
【０２５５】
任意に、サービスフロー記述情報は、サービスフローのアプリケーションタイプを含む。
【０２５６】
任意に、サービスフロー記述情報は、サービスフローの発信元ＩＰアドレス及びあて先ＩＰアドレス、サービスフローの発信元ＭＡＣアドレス及びあて先ＭＡＣアドレス、サービスフローの発信元ポート番号及びあて先ポート番号、サービスフローのプロトコルタイプ、又はサービスフローのアプリケーションタイプのうちの少なくとも１つを含む。
【０２５７】
上記の様々なタイプのサービスフロー記述情報は一例に過ぎず、サービスフロー記述情報は、代替的に、マルチアクセスＰＤＵセッションにおける新たに加えられた又は更新されたサービスフローを記述するために使用され得る他の情報を含んでもよいことが理解されるべきである。
【０２５８】
いくつかの実施形態において、要求メッセージは、サービスフローが第１アクセス技術及び／又は第２アクセス技術を使用することによって伝送されるべきであることを示すために使用される第１識別子及びアクセス技術の指示情報を更に含む。
【０２５９】
例えば、第１識別子とサービスフローに対応するアクセス技術との間の対応が含まれる。サービスフローは、第１識別子に基づいて決定されるサービスフローであり、アクセス技術は、サービスフローに対応するアクセス技術である。第１コアネットワーク要素は、端末デバイスによって要求されているサービスフローに対応するアクセス技術及び／又はコアネットワークのフロー分割ポリシーに基づいて、サービスフローに対応するアクセス技術を決定する。
【０２６０】
いくつかの実施形態において、サービスフローに対応するアクセス技術は、３ＧＰＰアクセス技術である。
【０２６１】
いくつかの他の実施形態において、サービスフローに対応するアクセス技術は、非３ＧＰＰアクセス技術である。
【０２６２】
いくつかの他の実施形態において、サービスフローに対応するアクセス技術は、３ＧＰＰアクセス技術及び非３ＧＰＰアクセス技術である。
【０２６３】
本願のこの実施形態で、説明は、第１アクセス技術が３ＧＰＰアクセス技術でありかつ第２アクセス技術が非３ＧＰＰアクセス技術であるところの例を使用することによって、与えられることが理解されるべきである。第１アクセス技術及び第２アクセス技術が他のタイプのアクセス技術である場合に、サービスフローに対応するアクセス技術は、代替的に、他のタイプのアクセス技術、例えば、ＬＴＥアクセス技術、５Ｇ  ＲＡＮアクセス技術、高信頼性非３ＧＰＰアクセス技術、信頼できない非３ＧＰＰアクセス技術、ＷＬＡＮアクセス技術、又は固定ネットワークアクセス技術であってもよい。
【０２６４】
いくつかの実施形態において、要求メッセージは、クオリティ・オブ・サービスＱｏＳ規則を更に含んでよく、ＱｏＳ規則は、サービスフローによって必要とされるＱｏＳパラメータを含む。第１識別子とＱｏＳ規則との間には対応がある。ＱｏＳ規則が第２アクセス技術に対応する場合に、それは、第１識別子に基づいて決定されるサービスフローが第２アクセス技術を使用することによって伝送されるべきであることを示す。代替的に、ＱｏＳ規則が第１アクセス技術及び第２アクセス技術に対応する場合に、それは、第１識別子に基づいて決定されるサービスフローが第１アクセス技術及び第２アクセス技術を使用することによって伝送されるべきであることを示す。
【０２６５】
上記のＱｏＳパラメータは、バンド幅、保証バンド幅、最大バンド幅、及びＱｏＳ識別子（５ＱＩ）のうちの少なくとも１つを含む。
【０２６６】
端末デバイスが要求メッセージを第１コアネットワーク要素へ送信することは、端末デバイスが要求をアクセスネットワークデバイスへ送信し、次いで、アクセスネットワークデバイスが要求メッセージを第１コアネットワーク要素へ送信することを含む。
【０２６７】
端末デバイスが、要求メッセージを、第１アクセス技術を使用することによって第１コアネットワーク要素へ送信することは、次を含む。
【０２６８】
方法１：第１アクセス技術が３ＧＰＰアクセス技術である場合に、端末デバイスは、マルチアクセスＰＤＵセッションを更新するよう要求するために、３ＧＰＰアクセス技術を使用することによって要求メッセージを送信する。具体的に言えば、端末デバイスは、要求メッセージを、３ＧＰＰアクセス技術を使用することによってアクセスネットワークデバイスへ送信する。この場合に、アクセスネットワークデバイスはＮＧ−ＲＡＮである。
【０２６９】
端末デバイスは、要求メッセージを、第１アクセス技術を使用することによって第１コアネットワーク要素へ送信する。端末デバイスは最初に、要求メッセージをＮＧ−ＲＡＮへ送信し、次いで、ＮＧ−ＲＡＮは、要求メッセージを第１コアネットワーク要素へ送信する。
【０２７０】
方法２：第１アクセス技術が非３ＧＰＰアクセス技術である場合に、端末デバイスは、マルチアクセスＰＤＵセッションを更新するよう要求するために、非３ＧＰＰアクセス技術を使用することによって要求メッセージを送信する。具体的に言えば、端末デバイスは、要求メッセージを、非３ＧＰＰアクセス技術を使用することによってアクセスネットワークデバイスへ送信する。この場合に、アクセスネットワークデバイスはＮ３ＩＷＦである。
【０２７１】
端末デバイスは、要求メッセージを、第１アクセス技術を使用することによって第１コアネットワーク要素へ送信する。端末デバイスは最初に、要求メッセージをＮ３ＩＷＦへ送信し、次いで、Ｎ３ＩＷＦは、要求メッセージを第１コアネットワーク要素へ送信する。
【０２７２】
端末デバイスが要求メッセージを送信する方法が方法１及び方法２であることは、一例に過ぎない。第１アクセス技術が３ＧＰＰアクセス技術以外のアクセス技術であり、第２アクセス技術が非３ＧＰＰアクセス技術以外のアクセス技術である場合に、端末デバイスは、方法１及び方法２以外の送信方法で、第１アクセス技術を使用することによって要求メッセージを第１コアネットワーク要素へ送信してよい。
【０２７３】
要求メッセージが第１識別子とアクセス技術との間の対応情報を含むことは、次のいくつかの場合を含む。
【０２７４】
第１の場合：要求メッセージは、第１識別子及びアクセス技術を運ぶ。第１識別子は、新たに加えられた又は更新されたサービスフローを示し、アクセス技術は、サービスフローに対応するアクセス技術である。
【０２７５】
例えば、端末デバイスから送信された要求メッセージにおいて運ばれている第１識別子に対応するサービスフロー１は、３ＧＰＰアクセス技術に対応する。加えて、端末デバイスから送信された要求メッセージにおいて運ばれている第１識別子に対応するサービスフロー２は、非３ＧＰＰアクセス技術に対応する。第１識別子が１つ以上のパケットフィルタである場合に、パケットフィルタ１がサービスフロー１を記述するために使用され、パケットフィルタ２がサービスフロー２を記述するために使用される。
【０２７６】
第１コアネットワーク要素は、要求メッセージにおいて運ばれる第１識別子及びアクセス技術に基づいて、新たに加えられた又は更新されたサービスフローに対応するアクセス技術を決定する。
【０２７７】
端末デバイスは、対応をフロー分割規則に加え、そして、フロー分割規則を第１コアネットワーク要素へ送信してよい。フロー分割規則は、ＡＴＳＳＳ規則（Access  traffic  Splitting,  Switching,  Steering  rule）であってよい。
【０２７８】
第２の場合：要求メッセージは、サービスフローの記述情報とフロー分割規則との間の対応を運ぶ。フロー分割規則は、端末デバイスから第１コアネットワーク要素へ送信されるフロー分割規則であってよく、あるいは、第１コアネットワーク要素から端末デバイスへ送信されるフロー分割規則であってよい。
【０２７９】
第１コアネットワーク要素は、フロー分割規則とアクセス技術との間の対応を確立している。
【０２８０】
例えば、端末デバイスから送信された要求メッセージは、サービスフロー１の記述情報と、フロー分割規則１とを運ぶ。端末デバイスから送信された要求メッセージは、サービスフロー２の記述情報と、フロー分割規則２とを運ぶ。
【０２８１】
フロー分割規則とアクセス技術との間にあって、第１コアネットワーク要素によって確立される対応は、次の通りである：フロー分割規則１は３ＧＰＰアクセス技術に対応し、フロー分割規則２は非３ＧＰＰアクセス技術に対応する。
【０２８２】
第１コアネットワーク要素は、要求メッセージにおいて運ばれるサービスフローの記述情報に基づいて、新たに加えられた又は更新されたサービスフローに対応するアクセス技術を決定してよい。
【０２８３】
第３の場合：サービスフローとクオリティ・オブ・サービス規則（Quality  of  Service  rule，ＱｏＳ規則）、ＳＤＦテンプレート（Service  Data  Flow  Template）、又はクオリティ・オブ・サービスフロー（Quality  of  Service  flow，ＱｏＳフロー）との間には対応が存在し、サービスフローは、要求メッセージに運ばれる第１識別子に基づいて決定されるサービスフローである。
【０２８４】
第１コアネットワーク要素側は、アクセス技術とＱｏＳ規則またはＱｏＳフローとの間の対応を確立している。
【０２８５】
例えば、端末デバイスから送信された第１識別子に基づいて決定されるサービスフロー１は、ＱｏＳ規則１、ＳＤＦテンプレート１、又はＱｏＳフロー１に属する。端末デバイスから送信された第１識別子に基づいて決定されるサービスフロー２は、ＱｏＳ規則２、ＳＤＦテンプレート２、又はＱｏＳフロー２に属する。
【０２８６】
アクセス技術とＱｏＳ規則、ＳＤＦテンプレート、又はＱｏＳフローとの間にあって、第１コアネットワーク要素側で確立される対応は、次の通りである：ＱｏＳ規則１、ＳＤＦテンプレート１、又はＱｏＳフロー１は３ＧＰＰアクセス技術に対応し、ＱｏＳ規則２、ＳＤＦテンプレート２、又はＱｏＳフロー２は非３ＧＰＰアクセス技術に対応する。
【０２８７】
第１コアネットワーク要素は、要求メッセージ内の第１識別子に基づいて、新たに加えられた又は更新されたサービスフローを決定し、そして、第１コアネットワーク要素は、ＱｏＳ規則、ＳＤＦテンプレート、又はＱｏＳフローに対応するアクセス技術を知っている。この場合に、第１コアネットワーク要素は、変更又は追加されたサービスフローに対応するアクセス技術を決定することができる。
【０２８８】
第４の場合：要求メッセージは、第１識別子と第１アクセス技術及び／又は第２アクセス技術との間の対応を運ぶ。
【０２８９】
この実施形態では、異なる粒度でのサービスフロー分割は、マルチアクセスＰＤＵセッションにおけるサービスフローを使用することによって実装可能である。サービスフローのフロー分割粒度は、クオリティ・オブ・サービスフロー（Quality  of  Service  flow，ＱｏＳフロー）粒度、フロー粒度、又はパケット粒度を含む。以下は、フロー分割方法について詳述する。
【０２９０】
（１）ＱｏＳフロー粒度フロー分割：ＱｏＳフロー粒度フロー分割は、異なるＱｏＳフローが異なるアクセス技術に割り当てられ得ることを示す。
【０２９１】
例えば、サービスフロー１及びサービスフロー２のＱｏＳパラメータは類似しており、サービスフロー１及びサービスフロー２はＱｏＳフロー１に集約される。ＱｏＳフロー１は、クオリティ・オブ・サービスフロー識別子１（ＱｏＳフローＩＤ１，ＱＦＩ１）を使用することによって識別され得る。サービスフロー３及びサービスフロー４のＱｏＳパラメータは類似しており、サービスフロー３及びサービスフロー４はＱｏＳフロー２に集約される。ＱｏＳフロー２は、クオリティ・オブ・サービスフロー識別子２（ＱｏＳフローＩＤ２，ＱＦＩ２）を使用することによって識別され得る。
【０２９２】
ＱＦＩ１に対応するサービスフローは、第１アクセス技術を使用することによって伝送される。ＱＦＩ２に対応するサービスフローは、第２アクセス技術を使用することによって伝送される。代替的に、ＱＦＩ１に対応するサービスフローは、第２アクセス技術を使用することによって伝送される。ＱＦＩ２に対応するサービスフローは、第１アクセス技術を使用することによって伝送される。
【０２９３】
上記のサービスフローのＱｏＳパラメータが類似していることは、サービスフローのＱｏＳパラメータ内のＮ個のパラメータのうちの少なくともＭ個の値が同じか又は近似していることを含み、このとき、Ｎは正の整数であり、Ｍは１以上かつＮ以下の整数である。
【０２９４】
（２）フロー粒度フロー分割：フロー粒度フロー分割は、異なるサービスフローが異なるアクセス技術に割り当てられ得ることを示す。サービスフローは同じＱｏＳフローに属してよい。
【０２９５】
例えば、ＱＦＩ１はサービスフロー１及びサービスフロー２に対応する。サービスフロー１は第１アクセス技術を使用することによって伝送される。サービスフロー２は第２アクセス技術を使用することによって伝送される。代替的に、サービスフロー１は第２アクセス技術を使用することによって伝送される。サービスフロー２は第１アクセス技術を使用することによって伝送される。具体的に言えば、異なるアクセス技術は、異なるサービスフローに基づいて割り当てられ、フロー分割は、サービスフローのＱｏＳパラメータに基づいて実行されない。
【０２９６】
いくつかの実施形態において、フロー粒度フロー分割は、ＳＤＦテンプレートに基づくフロー分割を更に含む。
【０２９７】
ＳＤＦテンプレートに基づくフロー分割は、次の通りである：ふろーきじゅつじょうほうにもと付いて、サービスフロー１及びサービスフロー２はＳＤＦテンプレート１として使用され、ＳＤＦテンプレート１は第１アクセス技術に対応し、サービスフロー３及びサービスフロー４はＳＤＦテンプレート２として使用され、ＳＤＦテンプレート２は第２アクセス技術に対応する。サービスフロー１、サービスフロー２、サービスフロー３、及びサービスフロー４は、同じＱｏＳフローに属する。
【０２９８】
（３）パケット粒度フロー分割：サービスフロー内の異なるデータパケットは、異なるアクセス技術に割り当てられてよい。
【０２９９】
例えば、サービスフロー１はデータパケット１及びデータパケット２を含む。データパケット１は第１アクセス技術を使用することによって伝送される。データパケット２は第２アクセス技術を使用することによって伝送される。代替的に、データパケット１は第２アクセス技術を使用することによって伝送される。データパケット２は第１アクセス技術を使用することによって伝送される。
【０３００】
上記の対応は、一例に過ぎず、サービスフローとアクセス技術との間にあって、サービスフローの記述情報を使用することによって決定される他の対応も、本願の保護範囲の中に含まれている。
【０３０１】
サービスフロー１、サービスフロー２、第１アクセス技術、及び第２アクセス技術は、例に過ぎず、本願の保護範囲を制限することはできない。
【０３０２】
いくつかの実施形態において、端末デバイスは、第１指示情報を第１コアネットワーク要素へ送信する。第１指示情報は、第１コアネットワーク要素がサービスフローに対応するアクセス技術を変更することを許可されていることを示すために使用可能である。
【０３０３】
第１指示情報は、要求メッセージに含まれ、端末デバイスから第１コアネットワーク要素へ送信されてよい。
【０３０４】
端末デバイスの要求メッセージ内にある、サービスフローの記述情報は、サービスフロー１が第１アクセス技術に対応することを要求メッセージに基づいて決定するために使用可能である。
【０３０５】
端末デバイスが第１指示情報を第１コアネットワーク要素へ送信する場合に、具体的に言えば、端末デバイスが、サービスフロー１と第１アクセス技術との間にあって端末デバイスから送信される対応が変更可能であることを第１コアネットワーク要素に示す場合に、例えば、第１コアネットワーク要素は、サービスフロー１と第１アクセス技術との間の対応を、サービスフロー１と第２アクセス技術との間の対応に変更してよい。
【０３０６】
例えば、端末デバイスは、追加又は更新されたサービスフロー１を伝送するために第１アクセス技術を使用するよう第１コアネットワーク要素に要求するために、要求メッセージを第１コアネットワーク要素へ送信する。しかし、第１コアネットワーク要素は、第１アクセス技術がサービスフロー１の伝送要件を満足しないと決定し、第１コアネットワーク要素は、サービスフロー１を伝送するために第２アクセス技術を使用してよく、そして、第１コアネットワーク要素は、端末デバイスの要求を変更する。代替的に、第１コアネットワーク要素は、サービスフロー１を伝送するために第１アクセス技術及び第２アクセス技術の両方を使用する。
【０３０７】
例えば、端末デバイスは、ＷＬＡＮを使用することによってアクセスを実行するよう要求するが、第１コアネットワーク要素は、現在のＷＬＡＮが端末デバイスのアクセス要求をサポート不可能であると決定する。端末デバイスが第１指示情報を第１コアネットワーク要素へ送信する場合に、第１コアネットワーク要素は、ＮＧ−ＲＡＮを使用することによってアクセスを実行するよう端末デバイスに指定してよい。
【０３０８】
場合２：端末デバイスは、第１アクセス技術を使用することによって要求メッセージを第１コアネットワーク要素へ送信し、このとき、要求メッセージは、マルチアクセスＰＤＵセッションにおける第２アクセス技術を削除するよう要求する。
【０３０９】
任意に、要求メッセージは第１識別子を運び、第１識別子は、第２アクセス技術を識別するために使用される。
【０３１０】
端末デバイスが端末デバイスとＵＰＦネットワーク要素との間のマルチアクセスＰＤＵセッションをシングルアクセスＰＤＵセッションに更新する必要がある場合に、端末デバイスは、第１コアネットワーク要素に対して一方の側でのアクセス技術を使用することによって、他方の側でのアクセス技術を削除するために使用される要求を開始してよい。
【０３１１】
いくつかの実施形態において、端末デバイスは、第２アクセス技術を削除するよう要求するために、第１アクセス技術を使用することによって要求メッセージを第１コアネットワーク要素へ送信する。
【０３１２】
要求メッセージは、第２アクセス技術と、第２アクセス技術を削除するために使用される第１識別子とを含む。
【０３１３】
いくつかの他の実施形態において、端末デバイスは、第２アクセス技術を削除するよう要求するために、第１アクセス技術を使用することによって要求メッセージを第１コアネットワーク要素へ送信する。要求メッセージは、第２アクセス技術と、マルチアクセスＰＤＵセッションをシングルアクセスＰＤＵセッションに更新するために使用される第１識別子とを含む。第１識別子は削除命令であり、第２アクセス技術を削除することを指示する。
【０３１４】
いくつかの他の実施形態において、端末デバイスは、第２アクセス技術を削除するよう要求するために、第１アクセス技術を使用することによって要求メッセージを第１コアネットワーク要素へ送信する。要求メッセージは、第１アクセス技術の指示情報と、マルチアクセスＰＤＵセッションをシングルアクセスＰＤＵセッションに更新するために使用される第１識別子とを含む。第１識別子は予約命令であり、第１アクセス技術を予約することを示す。
【０３１５】
いくつかの他の実施形態において、端末デバイスは、第２アクセス技術を削除するよう要求するために、第１アクセス技術を使用することによって要求メッセージを第１コアネットワーク要素へ送信する。要求メッセージは削除メッセージ又は接続解放メッセージであり、要求メッセージはアクセス技術を運ぶ。要求メッセージに含まれる第１識別子が第２アクセス技術である場合に、それは、マルチアクセスＰＤＵセッションにおける第２アクセス技術の側での接続が削除されるべきであることを示す。第１識別子が第１アクセス技術である場合に、それは、マルチアクセスＰＤＵセッションにおける第１アクセス技術の側での接続が削除されるべきであることを示す。
【０３１６】
本願のこの実施形態では、端末デバイスは、第１アクセス技術を削除するよう要求するために、第１アクセス技術を使用することによって要求メッセージを第１コアネットワーク要素へ送信してもよいことが理解されるべきである。例えば、要求メッセージは、アクセス技術の指示情報を含む必要がなく、第１コアネットワーク要素は、要求メッセージを目下伝送するために使用されているアクセス技術を削除する。
【０３１７】
本願のこの実施形態では、端末デバイスは、代替的に、第１アクセス技術を削除するよう要求するために、第２アクセス技術を使用することによって要求メッセージを第１コアネットワーク要素へ送信してもよいことが理解されるべきである。アクセス技術がシングルアクセスＰＤＵセッションへのマルチアクセスＰＤＵセッションの更新を開始するために使用される側は、本願において制限されない。
【０３１８】
Ｓ１２０．端末デバイスは、第１コアネットワーク要素から応答メッセージを受信する。
【０３１９】
応答メッセージは、サービスフローが第２アクセス技術又は、第１アクセス技術及び第２アクセス技術を使用することによって、伝送されるべきであることを示すために使用可能である。詳細については、以下の場合１の説明を参照されたい。
【０３２０】
応答メッセージは、マルチアクセスＰＤＵセッションにおける第２アクセス技術が成功裏に削除されることを示すために使用可能である。詳細については、以下の場合２の説明を参照されたい。
【０３２１】
場合１：端末デバイスは、第１アクセス技術及び／又は第２アクセス技術を使用することによって、コアネットワーク要素から要求メッセージの応答メッセージを受信する。
【０３２２】
端末デバイスは、第２アクセス技術又は、第１アクセス技術及び第２アクセス技術を使用することによって、応答メッセージに基づいてサービスフローを伝送する。
【０３２３】
いくつかの実施形態において、端末デバイスによって受信された応答メッセージは、第３識別子とマルチアクセス技術に基づく伝送指示との間の対応を含む。対応は、第１コアネットワーク要素が、第３識別子に基づいて決定された第３サービスフローのマルチアクセス技術に基づく伝送を許可又は認証することを示すために、あるいは、第１コアネットワーク要素が、第３識別子に基づいて決定された第３サービスフローのＴＦＣＰベースのカプセル化を許可又は認証することを示すために、使用可能である。第３識別子は、サービスフロー記述（１つ以上のパケットフィルタ）、サービスデータフロー（Service  data  flow，ＳＤＦ）テンプレート、ＱＦＩ、又はＰＤＵセッションＩＤである。マルチアクセス技術に基づく伝送指示は、ＴＦＣＰプロトコル指示、ＴＦＣＰプロトコルベースのカプセル化指示、又はパケット粒度フロー分割指示である。
【０３２４】
具体的に、マルチアクセス技術に基づく伝送は、図４に示される通信方法を使用することによって、決定された第３サービスフローに対して更に実行されてよい。図４は、本願の実施形態に従う他の通信方法の概略図である。Ｓ１１１及びＳ１１２が含まれる。
【０３２５】
Ｓ１１１．データ送信ネットワーク要素は、データ受信ネットワーク要素に対して、データが複数のリンクで伝送されるべきであることを示すパラメータを送信する。
【０３２６】
場合１：データ送信ネットワーク要素は、図２に示される端末デバイスであってよい。データ受信ネットワーク要素は、図２に示されるユーザプレーン機能（User  plane  function，ＵＰＦ）ネットワーク要素であってよい。
【０３２７】
端末デバイスが、ＵＰＦに対して、データが複数のリンクで伝送されるべきであることを示すパラメータを送信する場合に、図３の要求メッセージは、データが複数のリンクで伝送されるべきであることを示すパラメータを含んでよい。
【０３２８】
具体的に、データが複数のリンクで伝送されるべきであることを示すパラメータは、データの識別情報と、データが複数のリンクで伝送されるべきであることを示す指示情報とを含む。伝送されるべきデータは、図３に示される第３サービスフローであってよい。
【０３２９】
データの識別情報は、データの記述情報、クオリティ・オブ・サービスフロー識別子ＱＦＩ、又はパケットデータユニットＰＤＵセッション識別子のうちの少なくとも１つであってよい。データの記述情報は、サービスフローの上記の記述情報と同等である。データの記述情報、クオリティ・オブ・サービスフロー識別子ＱＦＩ、又はパケットデータユニットＰＤＵセッション識別子は、先に詳細に記載されている。詳細は、ここで再び記載されない。
【０３３０】
指示情報は、トラフィックフロー制御プロトコル（ＴＦＣＰ）指示、ＴＦＣＰベースカプセル化指示、パケット粒度フロー分割指示、コンバージドトンネル指示、コンバージドトンネル識別子、又はネットワーク要素インターネットプロトコル（ＩＰ）アドレスのうちの少なくとも１つを含み、コンバージドトンネル指示は、コンバージドトンネルがサービスフローのために確立されることを示すために使用可能であり、ネットワーク要素ＩＰアドレスは、データ送信ネットワーク要素のＩＰアドレス及び／又はデータ受信ネットワーク要素のＩＰアドレスである。ＴＦＣＰ指示、ＴＦＣＰベースカプセル化指示、及びパケット粒度フロー分割指示は、先に詳細に記載されている。コンバージドトンネル指示、コンバージドトンネル識別子、及びネットワーク要素インターネットプロトコル（ＩＰ）アドレスは、ここで大いに記載される。
【０３３１】
ＴＦＣＰプロトコルは、汎用ルーティングカプセル化（Generic  Routing  Encapsulation，ＧＲＥ）プロトコル、マルチパス伝送制御プロトコル（MultiPath  Transmission  Control  Protocol，ＭＰＴＣＰ）、インターネットプロトコル（Internet  Protocol，ＩＰ）、クイックＵＤＰインターネット接続（Quick  UDP  Internet  Connection，ＱＵＩＣ）プロトコル、インターネットプロトコルセキュリティ（Internet  Protocol  Security，ＩＰＳｅｃ）プロトコル、又は他のプロトコルタイプであってよいことが理解されるべきである。ＵＤＰは、ユーザ・データグラム・プロトコル（User  Datagram  Protocol，ＵＤＰ）である。ＴＦＣＰプロコトルのタイプは、本願において制限されず、上記のプロトコルのいずれか１つであってよい。
【０３３２】
コンバージドトンネル指示は、コンバージドトンネルが、伝送されるべきデータのために確立されることを示す。コンバージドトンネルはＰＤＵセッション識別子に対応し、すなわち、コンバージドトンネルは、このＰＤＵセッションのために確立される。代替的に、コンバージドトンネルはＱＦＩであり、すなわち、コンバージドトンネルは、このＱｏＳフローのために確立される。代替的に、コンバージドトンネルはサービスフロー識別子に対応し、すなわち、コンバージドトンネルは、このサービスフローのために確立される。相応して、コンバージドトンネル識別子はまた、コンバージドトンネルを示すこともできる。
【０３３３】
ネットワーク要素インターネットプロトコル（ＩＰ）アドレスは、データ送信ネットワーク要素のＩＰアドレス及び／又はデータ受信ネットワーク要素のＩＰアドレスである。ＩＰアドレスはＰＤＵセッション識別子に対応し、すなわち、ＩＰに基づくカプセル化がこのＰＤＵセッションに対して行われる。代替的に、ＩＰアドレスは、対応するＱＦＩに対応し、すなわち、ＩＰに基づくカプセル化がこのＱｏＳフローに対して行われる。代替的に、ＩＰアドレスは、対応するサービスフロー識別子に対応し、すなわち、ＩＰに基づくカプセル化がこのサービスフローに対して行われる。
【０３３４】
具体的に、データが複数のリンクで伝送されるべきであることを示すパラメータは、第１ウィンドウ長さを更に含み、第１ウィンドウ長さは、端末デバイスの伝送ウィンドウ長さを示すために使用可能である。第１ウィンドウ長さは、伝送制御プロトコル（Transmission  Control  Protocol，ＴＣＰ）レイヤでの端末デバイスの伝送ウィンドウ長さにセットされてよい。
【０３３５】
第１ウィンドウ長さは、ＵＰＦによって、データが複数のリンクで伝送されるべきであることを示すパラメータをＵＰＦが受信する場合に、ＵＰＦの受信ウィンドウ長さの値をセットするために使用される。ＵＰＦの受信ウィンドウ長さの値は、第１ウィンドウ長さ以上であってよい。
【０３３６】
端末デバイスが、ＵＰＦに対して、データが複数のリンクで伝送されるべきであることを示すパラメータを送信する場合に、端末デバイスは直接にＵＰＦに対して、データが複数のリンクで伝送されるべきであることを示すパラメータを送信してよく、あるいは、端末デバイスは、ＳＭＦに対して、データが複数のリンクで伝送されるべきであることを示すパラメータを送信し、ＳＭＦが、ＵＰＦに対して、データが複数のリンクで伝送されるべきであることを示すパラメータを送信する、ことが理解されるべきである。
【０３３７】
例えば、端末デバイスは、ＳＭＦに対して、データが複数のリンクで伝送されるべきであることを示すパラメータを送信し、ＳＭＦは、Ｎ４インターフェースメッセージをＵＰＦへ送信する。Ｎ４インターフェースメッセージは、データが複数のリンクで伝送されるべきであることを示すパラメータを運ぶ。
【０３３８】
データが複数のリンクで伝送されるべきであることを示すパラメータをＮ４インターフェースメッセージが運ぶ場合に、データが複数のリンクで伝送されるべきであることを示すパラメータに含まれるデータの識別情報は、データの記述情報、クオリティ・オブ・サービスフロー識別子ＱＦＩ、パケットデータユニットＰＤＵセッション識別子、又はＮ４インターフェース識別子のうちの少なくとも１つであってよい、ことが理解されるべきである。
【０３３９】
具体的に、データが複数のリンクで伝送されるべきであることを示す肯定応答情報は、データが複数のリンクで伝送されるべきであることを示すパラメータを含み、あるいは、データが複数のリンクで伝送されるべきであることを示す肯定応答情報は、肯定応答メッセージを含む。
【０３４０】
例えば、ＵＰＦは、端末デバイスに対して、データが複数のリンクで伝送されるべきであることを示す肯定応答情報を送信する。肯定応答情報は、ＵＰＦによって承認されたデータの識別情報と、データが複数のリンクで伝送されるべきであることを示す指示情報とを含んでよい。代替的に、肯定応答情報は、データが複数のリンクで伝送されるべきであることを示すパラメータを端末デバイスが送信することを認めるために使用される肯定応答メッセージを含む。任意に、肯定応答情報は、ＵＰＦの伝送ウィンドウ長さを更に含んでもよい。
【０３４１】
具体的に、複数のリンクは、上記の異なるアクセス技術に対応する伝送リンクであってよく、３ＧＰＰリンク及び非３ＧＰＰリンクであってよい。
【０３４２】
例えば、２つの伝送リンクが含まれる。第１伝送リンクは、３ＧＰＰアクセス技術に対応する伝送リンクであり、第２伝送リンクは、非３ＧＰＰアクセス技術に対応する伝送リンクである。具体的に言えば、データは、異なるアクセス技術に対応する伝送リンクを使用することによって伝送される。
【０３４３】
具体的に、複数のリンクは、代替的に、異なるアクセスネットワークデバイスへ接続されており、異なるアクセス技術が使用されるリンクであってよい。
【０３４４】
例えば、２つの伝送リンクが含まれる。第１伝送リンクは、５Ｇ  ＲＡＮを使用することによってデータを伝送すべきであり、第２伝送リンクは、Ｎ３ＩＷＦを使用することによってデータを伝送すべきである。代替的に、２つの伝送リンクが含まれる。第１伝送リンクは、Ｗ−５Ｇ  ＡＮ（Wireline  5G  AN，wireline  access  network）を使用することによってデータを伝送すべきであり、第２伝送リンクは、５Ｇ  ＲＡＮを使用することによってデータを伝送するために使用される。
【０３４５】
具体的に、複数のリンクは、代替的に、異なるアクセスネットワークデバイスへ接続されており、同じアクセス技術が使用されるリンクであってよい。
【０３４６】
例えば、２つの伝送リンクが含まれる。第１伝送リンクは、３ＧＰＰアクセス技術及び５Ｇ  ＲＡＮデバイス１を使用することによってデータを伝送すべきであり、第２伝送リンクは、３ＧＰＰアクセス技術及び５Ｇ  ＲＡＮデバイス２を使用することによってデータを伝送すべきである。代替的に、２つの伝送リンクが含まれる。第１伝送リンクは、非３ＧＰＰアクセス技術及びＮ３ＩＷＦ１を使用することによってデータを伝送すべきであり、第２伝送リンクは、非３ＧＰＰアクセス技術及びＮ３ＩＷＦ２を使用することによってデータを伝送すべきである。代替的に、データは、同じアクセス技術及びＮ個の異なるアクセスネットワークデバイスを使用することによって伝送され、Ｎは、２よりも大きい正の整数である。
【０３４７】
場合２：データ送信ネットワーク要素は、図２に示されるユーザプレーン機能（User  plane  function，ＵＰＦ）ネットワーク要素であってよい。データ受信ネットワーク要素は、図２に示される端末デバイスであってよい。
【０３４８】
場合２において、端末デバイスからＵＰＦへ送信される要求メッセージは、データが複数のリンクで伝送されるべきであることを示すパラメータを運ぶ必要がなくてもよく、ＵＰＦがマルチアクセス伝送指示を開始する、ことが理解されるべきである。ＵＰＦがマルチアクセス伝送指示を開始する場合に、データが複数のリンクで伝送されるべきであることを示すパラメータは、場合１におけるそれと同様である。詳細は、ここで再び記載されない。違いは、データが複数のリンクで伝送されるべきであることを示すパラメータがＵＰＦから端末デバイスへ送信される場合に、第１ウィンドウ長さがＵＰＦの伝送ウィンドウ長さを示すために使用可能である点にある。第１ウィンドウ長さは、伝送制御プロトコル（Transmission  Control  Protocol，ＴＣＰ）プロトコルレイヤでのＵＰＦの伝送ウィンドウ長さにセットされてよい。
【０３４９】
第１ウィンドウ長さは、端末デバイスによって、データが複数のリンクで伝送されるべきであることを示すパラメータを端末デバイスが受信する場合に端末デバイスの受信ウィンドウ長さの値をセットするために使用される。端末デバイスの受信ウィンドウ長さの値は、第１ウィンドウ長さ以上であってよい。
【０３５０】
場合３：データ送信ネットワーク要素は、図１に示されるセッション管理機能（Session  Management  Function，ＳＭＦ）ネットワーク要素であってよい。データ受信ネットワーク要素は、図２に示される端末デバイス及びユーザプレーン機能（User  plane  function，ＵＰＦ）ネットワーク要素であってよい。
【０３５１】
データが複数のリンクで伝送されるべきであることを示すパラメータは、ＳＭＦから端末デバイス及びＵＰＦへ送信されてよいことが理解されるべきである。例えば、ＳＭＦは、データが複数のリンクで伝送されるべきであることを示すパラメータをコマンドメッセージに付加し、そして、コマンドメッセージを端末デバイスへ送信し、かつ、データが複数のリンクで伝送されるべきであることを示すパラメータをＮ４インターフェースメッセージに付加し、そして、Ｎ４インターフェースメッセージをＵＰＦへ送信する。
【０３５２】
Ｓ１１２．データ受信ネットワーク要素は、データ送信ネットワーク要素に対して、データが複数のリンクで伝送されるべきであることを示す受信された肯定応答情報を送信する。
【０３５３】
Ｓ１１１で示される場合１では、ＵＰＦが肯定応答情報を端末デバイスへ送信する。肯定応答情報は、データが複数のリンクで伝送されるべきであることを示すパラメータを含む。代替的に、肯定応答情報は、データが複数のリンクで伝送されるべきであることを示すパラメータが受信されることを認めるために使用される肯定応答メッセージを含む。
【０３５４】
任意に、肯定応答情報は、ＵＰＦの伝送ウィンドウ長さを示すために使用される第２ウィンドウ長さを更に含む。
【０３５５】
Ｓ１１１に示される場合２では、端末デバイスが肯定応答情報をＵＰＦへ送信する。肯定応答情報は、データが複数のリンクで伝送されるべきであることを示すパラメータを含む。代替的に、肯定応答情報は、データが複数のリンクで伝送されるべきであることを示すパラメータが受信されることを認めるために使用される肯定応答メッセージを含む。
【０３５６】
任意に、肯定応答情報は、端末デバイスの伝送ウィンドウ長さを示すために使用される第２ウィンドウ長さを更に含む。
【０３５７】
Ｓ１１１に示される場合３では、端末デバイスが肯定応答情報をＳＭＦへ送信する。肯定応答情報は、端末デバイスからＳＭＦへ送信される第１肯定応答情報を含み、第１肯定応答情報は、データが複数のリンクで伝送されるべきであることを示すパラメータを含む。代替的に、第１肯定応答情報は、データが複数のリンクで伝送されるべきであることを示すパラメータが受信されること認めるために使用される肯定応答メッセージを含む。
【０３５８】
任意に、第１肯定応答情報は、端末デバイスの伝送ウィンドウ長さを示すために使用される第２ウィンドウ長さを更に含む。
【０３５９】
いくつかの他の実施形態において、端末デバイスは、第１アクセス技術を使用することによって要求メッセージを第１コアネットワーク要素へ送信する。端末デバイスは、第１アクセス技術を使用することによって第１コアネットワーク要素から応答メッセージを受信する。
【０３６０】
いくつかの他の実施形態において、端末デバイスは、第１アクセス技術を使用することによって要求メッセージを第１コアネットワーク要素へ送信する。端末デバイスは、第２アクセス技術を使用することによって第１コアネットワーク要素から応答メッセージを受信する。
【０３６１】
いくつかの他の実施形態において、端末デバイスは、第１アクセス技術を使用することによって要求メッセージを第１コアネットワーク要素へ送信する。端末デバイスは、第１アクセス技術及び第２アクセス技術を使用することによって第１コアネットワーク要素から応答メッセージを受信する。
【０３６２】
応答メッセージは、サービスフローが第２アクセス技術又は、第１アクセス技術及び第２アクセス技術を使用することによって、伝送されるべきであることを示すために使用可能である。次のいくつかの場合が具体的に含まれる。
【０３６３】
いくつかの実施形態において、応答メッセージは、第１識別子と、第２アクセス技術の指示情報とを含む。第１識別子は第２アクセス技術に対応することが理解される。これは、サービスフローが第２アクセス技術を使用することによって伝送されるべきであることを示すために使用可能である。例えば、第１識別子はサービスフローの記述情報であり、対応するサービスフローはサービスフロー１である。この場合に、端末デバイスがサービスフロー１を伝送する必要がある場合に、サービスフロー１は、第２アクセス技術を使用することによって伝送される。
【０３６４】
いくつかの他の実施形態において、応答メッセージは、第１識別子と、第１アクセス技術の指示情報と、第２アクセス技術の指示情報とを含む。第１識別子は、第１アクセス技術及び第２アクセス技術に対応することが理解される。これは、サービスフローが第１アクセス技術及び第２アクセス技術を使用することによって伝送されるべきであることを示すために使用可能である。例えば、第１識別子はサービスフローの記述情報であり、対応するサービスフローはサービスフロー１である。この場合に、端末デバイスがサービスフロー１を伝送する必要がある場合に、サービスフロー１は、第１アクセス技術及び第２アクセス技術を使用することによって別々に伝送される。
【０３６５】
いくつかの他の実施形態において、応答メッセージは、第１識別子とクオリティ・オブ・サービスＱｏＳ規則との間の対応を含む。ＱｏＳ規則は、第２アクセス技術に対応するＱｏＳ規則であり、あるいは、ＱｏＳ規則は、第１アクセス技術及び第２アクセス技術に対応するＱｏＳ規則である。
【０３６６】
応答メッセージは、要求メッセージ命令情報であってよい。例えば、応答メッセージは、ＰＤＵセッション変更コマンド（PDU  session  modification  command）メッセージであり、端末デバイスに対して、追加又は更新されたサービスフローを第２アクセス技術又は第１アクセス技術及び第２アクセス技術を使用することによって伝送することを示す。
【０３６７】
応答メッセージは、サービスフローの記述情報及び第１コアネットワーク要素によって認められている第２アクセス技術、又はサービスフローの記述情報及び第１コアネットワーク要素によって認められている第１アクセス技術及び第２アクセス技術を含む。
【０３６８】
本願のこの実施形態では、第１アクセス技術を使用することによって端末デバイスから第１コアネットワーク要素へ送信される要求メッセージは、第１アクセスネットワークデバイスを使用することによって送信される必要がある。例えば、端末デバイスは最初に、要求メッセージを、第１アクセス技術に対応する第１アクセスネットワークデバイスへ送信し、次いで、第１アクセスネットワークデバイスは、要求メッセージを第１コアネットワーク要素へ送信する。
【０３６９】
代替的に、第２アクセス技術を使用することによって端末デバイスから第１コアネットワーク要素へ送信される要求メッセージは、第２アクセスネットワークデバイスを使用することによって送信される必要がある。例えば、端末デバイスは最初に、要求メッセージを、第２アクセス技術に対応する第２アクセスネットワークデバイスへ送信し、次いで、第２アクセスネットワークデバイスは、要求メッセージを第１コアネットワーク要素へ送信する。
【０３７０】
第１アクセス技術及び／又は第２アクセス技術を使用することによって第１コアネットワーク要素から端末デバイスによって受信される応答メッセージは、第１アクセスネットワークデバイス及び／又は第２アクセスネットワークデバイスを使用することによって送信される必要がある、ことが理解されるべきである。
【０３７１】
例えば、第１コアネットワーク要素は最初に、応答メッセージを、第１アクセス技術に対応する第１アクセスネットワークデバイスへ送信し、次いで、第１アクセスネットワークデバイスは、応答メッセージを端末デバイスへ送信する。
【０３７２】
代替的に、第１コアネットワーク要素は最初に、応答メッセージを、第２アクセス技術に対応する第２アクセスネットワークデバイスへ送信し、次いで、第２アクセスネットワークデバイスは、応答メッセージを端末デバイスへ送信する。
【０３７３】
代替的に、第１コアネットワーク要素は最初に、応答メッセージを、第１アクセス技術に対応する第１アクセスネットワークデバイス及び第２アクセス技術に対応する第２アクセスネットワークデバイスへ送信し、次いで、第１アクセスネットワークデバイス及び第２アクセスネットワークデバイスは、応答メッセージを端末デバイスへ送信する。
【０３７４】
いくつかの実施形態において、応答メッセージは、フロー分割規則を更に含み、フロー分割規則は、第１アクセス技術及び第２アクセス技術によって夫々サポートされる伝送内のデータ量、第１アクセス技術及び第２アクセス技術によって夫々サポートされる伝送内のバンド幅値、第２アクセス技術によってサポートされる伝送内のデータ量に対する、第１アクセス技術によってサポートされる伝送内のデータ量の比、又は第２アクセス技術によってサポートされる伝送内のバンド幅に対する、第１アクセス技術によってサポートされる伝送内のバンド幅の比を示すために使用可能である。
【０３７５】
例えば、フロー分割規則は、第１アクセス技術及び第２アクセス技術における利用可能なバンド幅値を示すために使用可能であり、あるいは、フロー分割規則は、第１アクセス技術における利用可能なバンド幅値及び第２アクセス技術における利用可能なバンド幅値の和と、第２アクセス技術における利用可能なバンド幅値に対する第１アクセス技術における利用可能なバンド幅値の比に関する情報とを示すために使用可能である。
【０３７６】
第１アクセス技術及び第２アクセス技術を使用することによってサービスフローを伝送する場合に、端末デバイスは、第１アクセス技術及び第２アクセス技術によってサポートされ得るバンド幅値を考慮して、第１アクセス技術及び第２アクセス技術を使用することによって異なるバンド幅値でデータパケットを別々に伝送し得る。
【０３７７】
例えば、サービスフローは、パケット粒度フロー分割をサポートし、具体的に言えば、サービスフローは、第１アクセス技術及び第２アクセス技術を使用することによって伝送可能である。第１アクセス技術における利用可能なバンド幅値はＡであり、第２アクセス技術における利用可能なバンド幅値はＢである。
【０３７８】
代替的に、例えば、サービスフローは、パケット粒度フロー分割をサポートし、具体的に言えば、サービスフローは、第１アクセス技術及び第２アクセス技術を使用することによって伝送可能である。第１アクセス技術における利用可能なバンド幅値および第２アクセス技術における利用可能なバンド幅値の和はＡであり、第２アクセス技術における利用可能なバンド幅値に対する第１アクセス技術における利用可能なバンド幅値の比はａ：ｂである。以下は、Ａ及びａ：ｂに基づいて求められ得る：
第１アクセス技術における利用可能なバンド幅値は、Ａ×ａ／（ａ＋ｂ）であり；かつ
第２アクセス技術における利用可能なバンド幅値は、Ａ×ｂ／（ａ＋ｂ）である。
【０３７９】
場合２：端末デバイスは、第１アクセス技術を使用することによって第１コアネットワーク要素から応答メッセージを受信し、このとき、応答メッセージは、マルチアクセスＰＤＵセッションにおける第２アクセス技術が成功裏に削除されることを示すために使用可能である。
【０３８０】
本願のこの実施形態では、端末デバイスが、マルチアクセスＰＤＵセッションをシングルアクセスＰＤＵセッションに更新するために、第２アクセス技術を削除するよう要求する場合に、第１コアネットワーク要素は、第２アクセス技術を削除した後に、端末デバイスに削除結果を通知する必要がある。
【０３８１】
いくつかの実施形態において、応答メッセージは、サービスフローが第１アクセス技術を使用することによって伝送されるべきであることを示すために更に使用され、第２アクセス技術が削除されていない場合に、サービスフローは、第２アクセス技術を使用することによって伝送されるサービスフローである。
【０３８２】
例えば、サービスフロー１及びサービスフロー２は現在、第２アクセス技術を使用することによって伝送されている。第２アクセス技術が削除される場合に、サービスフロー１及びサービスフロー２は、削除されていない第１アクセス技術を使用することによって伝送されるべきである。具体的に言えば、第１アクセス技術とサービスフロー１及びサービスフロー２の記述情報との間の対応は、第１アクセス技術を使用することによってサービスフロー１及びサービスフロー２を伝送することを端末デバイスに示す。
【０３８３】
第１コアネットワーク要素から応答メッセージを受信した後、端末デバイスは、回答メッセージを送信する必要がある。例えば、端末デバイスは、回答メッセージを第１コアネットワーク要素へ送信し、回答メッセージは、応答メッセージの返答メッセージである。回答メッセージは、端末デバイスが、第１コアネットワーク要素から送信された応答メッセージに含まれている、サービスフローとアクセス技術との間の対応を受け入れると決定することを第１コアネットワーク要素に知らせるために、端末デバイスによって使用される。端末デバイスが要求メッセージに対応を付加しない場合に、端末デバイスは、端末デバイスが、第１コアネットワーク要素から送信された応答メッセージに含まれている、サービスフローとアクセス技術との間の対応を受け入れることを示すために、応答メッセージの肯定応答指示を第１コアネットワーク要素へ送信する。対応の肯定応答指示は、端末デバイスが受信され受け入れられた対応を第１コアネットワーク要素へ返すことである。
【０３８４】
第１コアネットワーク要素が、第２アクセス技術が成功裏に削除されることを端末デバイスに示すことは、次の２つの方法を含む。
【０３８５】
方法１：第１コアネットワーク要素は、第１メッセージを第２コアネットワーク要素へ送信し、このとき、第１メッセージは、第１アクセス技術の指示情報及び応答メッセージを含む。任意に、第１メッセージは第３指示情報を含み、第３指示情報はＮ２セッション管理情報（N2  Session  management  information，Ｎ２  ＳＭ情報）であり、ＱｏＳプロファイルを含む。ＱｏＳプロファイルは、第２アクセス技術を置換する第１アクセス技術を使用することによって伝送されるサービスフローに対応するＱｏＳパラメータである。第１アクセスネットワークデバイスは、応答メッセージを端末デバイスへ送信する。任意に、Ｎ２セッション管理情報が受信されると、第１アクセスネットワークデバイスはＮ２セッション管理情報を記憶する。
【０３８６】
第１コアネットワーク要素は、第２メッセージを第２コアネットワーク要素へ送信し、このとき、第２メッセージは、第２アクセス技術の指示情報及びＮ２リソース解放要求を含む。Ｎ２リソース解放要求は第２識別子、すなわち、ＰＤＵセッションＩＤを含む。Ｎ２リソース解放要求は、ＰＤＵセッションリソースを解放するよう第２アクセスネットワークデバイスに指示する。第２アクセスネットワークデバイスは、Ｎ２リソース解放要求に基づいてＰＤＵセッションリソースを解放する。
【０３８７】
方法２：第１コアネットワーク要素は、第３メッセージを第２コアネットワーク要素へ送信し、このとき、第３メッセージは、第１アクセス技術の指示情報と応答メッセージ及び任意のＮ２セッション管理情報の組み合わせとの間の第１の対応と、第２アクセス技術の指示情報とＮ２リソース解放要求との間の第２の対応とを含む。
【０３８８】
第２コアネットワーク要素は、第１の対応に基づいて、応答メッセージ及び任意のＮ２セッション管理情報を、第１アクセス技術の指示情報に対応する第１アクセスネットワークデバイスへ送信する。Ｎ２セッション管理情報はＱｏＳプロファイルを含む。ＱｏＳプロファイルは、第２アクセス技術を置換する第１アクセス技術を使用することによって伝送されるサービスフローに関するＱｏＳパラメータである。第１アクセスネットワークデバイスは、応答メッセージを端末デバイスへ送信する。任意に、Ｎ２セッション管理情報が受信されると、第１アクセスネットワークデバイスはＮ２セッション管理情報を記憶する。
【０３８９】
第２コアネットワーク要素は、第２の対応に基づいて、Ｎ２リソース解放要求を、第２アクセス技術の指示情報に対応する第２アクセスネットワークデバイスへ送信する。Ｎ２リソース解放要求は第２識別子、すなわち、ＰＤＵセッションＩＤを含む。Ｎ２リソース解放要求は、ＰＤＵセッション接続リソースを解放するよう第２アクセスネットワークデバイスに指示する。第２アクセスネットワークデバイスは、Ｎ２リソース解放要求に基づいてＰＤＵセッションリソースを解放する。
【０３９０】
図５は、本願の実施形態に従う通信方法の略フローチャートである。方法は、次のステップを含む。
【０３９１】
Ｓ２１０．アクセスネットワークデバイスは、ネットワークステータス情報を第１コアネットワーク要素へ送信する。アクセスネットワークデバイスは、ネットワークステータス情報を第１コアネットワーク要素へ送信し、このとき、ネットワークステータス情報は、アクセスネットワークデバイスのデータ伝送ステータスを示すために使用可能である。
【０３９２】
いくつかの実施形態において、アクセスネットワークデバイスから第１コアネットワーク要素へ送信されるネットワークステータス情報は、第１アクセス技術に対応する第１アクセスネットワークデバイスから第１コアネットワーク要素へ送信される第１ネットワークステータス情報である。第１ネットワークステータス情報は、第１アクセス技術によってサポートされる伝送内のデータ量、バンド幅、遅延、パケット損失レート、または信号強度のうちの少なくとも１つを示すために使用可能である。
【０３９３】
いくつかの他の実施形態において、アクセスネットワークデバイスから第１コアネットワーク要素へ送信されるネットワークステータス情報は、第２アクセス技術に対応する第２アクセスネットワークデバイスから第１コアネットワーク要素へ送信される第２ネットワークステータス情報である。第２ネットワークステータス情報は、第２アクセス技術によってサポートされる伝送内のデータ量、バンド幅、遅延、パケット損失レート、又は信号強度のうちの少なくとも１つを示すために使用可能である。
【０３９４】
いくつかの実施形態において、ネットワークステータス情報は、マルチアクセスＰＤＵセッションのためにアクセスネットワークデバイスによって供給され得るバンド幅値パラメータである。例えば、第１アクセスネットワークデバイスに対応する第１アクセス技術は、バンド幅値がＡであるデータの伝送を提供するために使用されてよい。
【０３９５】
いくつかの他の実施形態において、ネットワークステータス情報は、マルチアクセスＰＤＵセッションのためにアクセスネットワークデバイスによって供給され得る遅延パラメータである。例えば、第１アクセスネットワークデバイスに対応する第１アクセス技術における遅延が１ｍｓである場合に、第１アクセス技術は、遅延の要件が１ｍｓよりも大きいデータの伝送を提供するために使用されてよい。
【０３９６】
いくつかの他の実施形態において、ネットワークステータス情報は、マルチアクセスＰＤＵセッションのためにアクセスネットワークデバイスによって供給され得るバンド幅値パラメータ及び遅延パラメータである。例えば、第１アクセスネットワークデバイスに対応する第１アクセス技術は、バンド幅値がＡでありかつ遅延が１ｍｓであるデータの伝送を提供するために使用されてよい。
【０３９７】
いくつかの他の実施形態において、ネットワークステータス情報は、アクセスネットワークデバイスがサービスフローの伝送リソースを解放可能であることである。例えば、第１アクセス技術の現在のアクセス品質は、サービスフロー１の通常の伝送をサポートせず、具体的に言えば、第１アクセス技術は、サービスフロー１の伝送リソースを解放するために使用される。
【０３９８】
いくつかの他の実施形態において、ネットワークステータス情報は、アクセスネットワークデバイスに対応するパケット損失レート又は信号強度である。
【０３９９】
いくつかの実施形態において、ネットワークステータス情報は、アクセスネットワークデバイスのペイロード、バンド幅、遅延、パケット損失レート、又は信号強度のうちの少なくとも１つであってよい。
【０４００】
以下は、アクセスネットワークデバイスの中の第１アクセスネットワークデバイスが、マルチアクセスＰＤＵセッションにおけるアクセス技術のＱｏＳプロファイルを更新するよう要求するためにネットワークステータス情報を送信するところの例を使用する。
【０４０１】
いくつかの実施形態において、ネットワークステータス情報は、サービスフロー識別情報を含み、サービスフロー識別情報は、第１アクセス技術を使用することによって削除されるサービスフローを示すために使用可能である。ただ１つのサービスフローが第１アクセス技術を使用することによって伝送される場合に、サービスフロー識別情報は、対応するサービスフローを示すために不要である、ことが理解されるべきである。
【０４０２】
いくつかの他の実施形態において、第１ネットワークステータス情報は、マルチアクセスＰＤＵセッション識別情報を含み、マルチアクセスＰＤＵセッション識別情報は、サービスフローが第１アクセス技術を使用することによって削除されるマルチアクセスＰＤＵセッションを示すために使用可能である。ただ１つのマルチアクセスＰＤＵセッションが端末デバイスとＵＰＦネットワーク要素との間に含まれる場合に、マルチアクセスＰＤＵセッション識別情報は、対応するマルチアクセスＰＤＵセッションを示すために不要である。
【０４０３】
第１アクセス技術がサービスフローの伝送要件を満足することができない、例えば、第１サービスの品質要件が第１アクセス技術の性能劣化により満足され得ない場合に、第１アクセスネットワークデバイスは、第１アクセス技術を使用することによってサービスフローを伝送するために使用されるリソースが第１アクセスネットワークデバイスによって解放されることを示すために、第１アクセス技術を使用することによって第１ネットワークステータス情報を第１コアネットワーク要素へ送信する。
【０４０４】
いくつかの実施形態において、第１ネットワークステータス情報は、第２アクセス技術のＱｏＳプロファイルを設定するよう第１コアネットワーク要素に指示するために更に使用されてよく、第２アクセス技術は、端末デバイスとＵＰＦネットワーク要素との間のマルチアクセスＰＤＵセッションにおけるアクセス技術の中の第１アクセス技術以外のアクセス技術である。例えば、マルチアクセスＰＤＵセッションが確立される場合に、第１アクセス技術のＱｏＳは１０Ｍに等しく、第２アクセス技術のＱｏＳは１０Ｍに等しい。第１アクセス技術がＱｏＳの５Ｍしかサポートすることができないことを第１ネットワークステータス情報が示す場合に、第１コアネットワーク要素は、第２アクセス技術のＱｏＳの１５Ｍを設定する。
【０４０５】
Ｓ２２０．アクセスネットワークデバイスは、第１コアネットワーク要素から指示情報を受信する。アクセスネットワークデバイスは、第１コアネットワーク要素から送信された指示情報を受信し、このとき、指示情報は、ネットワークステータス情報に対応するＱｏＳパラメータを割り当てるようアクセスネットワークデバイスに要求する。
【０４０６】
第１アクセスネットワークデバイスは、第１アクセス技術を使用することによって第１コアネットワーク要素から第４指示情報を受信し、このとき、第４指示情報は、第１アクセス技術のＱｏＳプロファイルを更新することを第１アクセスネットワークデバイスに示す。
【０４０７】
いくつかの実施形態において、第１アクセス技術のＱｏＳプロファイルを更新することは、次を含む：
第１アクセスネットワークデバイスは、第１アクセス技術におけるバンド幅値をａにセットし、このとき、ａは、Ａ以下である。
【０４０８】
いくつかの他の実施形態において、第１アクセス技術のＱｏＳプロファイルを更新することは、次を含む：
第１アクセスネットワークデバイスは、第１アクセス技術における遅延をｘｍｓにセットし、このとき、ｘｍｓは、１ｍｓ以下である。
【０４０９】
いくつかの他の実施形態において、第１アクセス技術のＱｏＳプロファイルを更新することは、次を含む：
第１アクセスネットワークデバイスは、第１アクセス技術におけるバンド幅値をａにかつ第１アクセス技術における遅延の要件をｘｍｓにセットし、このとき、ａは、Ａ以下であり、ｘｍｓは、１ｍｓ以下である。
【０４１０】
いくつかの実施形態において、第１アクセスネットワークデバイスは、第１アクセス技術を使用することによって第１コアネットワーク要素から第４指示情報を受信する。第４指示情報は、サービスフローが第２アクセス技術を使用することによって伝送されるべきであることを示すために使用可能であり、サービスフローは、サービスフローの記述情報に対応するサービスフローであり、サービスフローの記述情報は、第１アクセス技術を使用することによって端末デバイスから第１コアネットワーク要素へ送信される情報であり、第１アクセス技術及び第２アクセス技術は、端末デバイスとＵＰＦネットワーク要素との間のマルチアクセスＰＤＵセッションにおけるアクセス技術である。
【０４１１】
第２アクセスネットワークデバイスが第１コアネットワーク要素から第５指示情報を受信することは、次を含む：
第２アクセスネットワークデバイスは、第１コアネットワーク要素から送信された第５指示情報を受信し、このとき、第５指示情報は、第１ネットワークステータス情報に対応する第２ＱｏＳプロファイルを割り当てるよう第２アクセスネットワークデバイスに要求し、ＱｏＳプロファイルは、関連するＱｏＳパラメータを含む。
【０４１２】
第１コアネットワーク要素は、第１アクセスネットワークデバイスによって報告された第１ネットワークステータス情報に基づいて、第２アクセス技術のＱｏＳプロファイルを更新してよく、このとき、ＱｏＳプロファイルは、関連するＱｏＳパラメータを含む。
【０４１３】
いくつかの実施形態において、第１アクセスネットワークデバイスによって送信された第１ネットワークステータス情報が、第１アクセスネットワークデバイスが第１アクセス技術におけるサービスフローの伝送リソースを削除することを示すために使用可能である場合に、第２アクセスネットワークデバイスは、第２アクセス技術を使用することによって第１コアネットワーク要素から第５指示情報を受信する。第５指示情報は、第２アクセス技術のＱｏＳプロファイルを更新することを第２アクセスネットワークデバイスに示し、それにより、サービスフローは、第２アクセス技術を使用することによって伝送可能である。
【０４１４】
例えば、第１アクセス技術におけるサービスフロー１の伝送品質が満足され得ない場合に、第１アクセスネットワークデバイスは、第１アクセス技術においてサービスフロー１を伝送するために使用される伝送リソースを削除し、ネットワークステータス情報を、第１コアネットワーク要素に通知するために送信する。第１コアネットワーク要素は、サービスフロー１の通常の伝送を確かにするために、サービスフロー１が第２アクセス技術を使用することによって伝送可能であるように、第２アクセス技術のＱｏＳプロファイルをセットする必要がある。目下、第２アクセス技術のＱｏＳプロファイルに含まれるＱｏＳパラメータは、ＱｏＳ１である。サービスフロー１の通常の伝送は、ＱｏＳ１がＱｏＳ２に更新される場合にのみ満足され得る。この場合に、第１コアネットワーク要素から送信された第５指示情報はＱｏＳ２を含み、第２アクセスデバイスは、第５指示情報を受信してＱｏＳ１をＱｏＳ２に更新する。
【０４１５】
いくつかの実施形態において、第２アクセスネットワークデバイスは、第２ネットワークステータス情報を第１コアネットワーク要素へ送信してよい。第２ネットワークステータス情報は、第２アクセスネットワークデバイスのペイロード、バンド幅、遅延、パケット損失レート、又は信号強度のうちの少なくとも１つを含む。
【０４１６】
第１コアネットワーク要素は、端末デバイスの要求メッセージ及びアクセスネットワークデバイスの指示情報を処理し、対応する回答メッセージを返す必要があることが、図３及び図５から分かる。以下は、図６及び図７を参照して本願の実施形態における通信方法について詳述する。
【０４１７】
図６は、本願の実施形態に従う他の通信方法の略フローチャートである。方法は、次のステップを含む。
【０４１８】
Ｓ３１０．第１コアネットワーク要素は、端末デバイスから要求メッセージを受信する。
【０４１９】
第１コアネットワーク要素は、第１アクセス技術を使用することによって端末デバイスから要求メッセージを受信し、このとき、要求メッセージは、サービスフローを新たに追加又は更新するよう要求し、要求メッセージは第１識別子を含み、第１識別子は、サービスフローを決定するために使用可能である。
【０４２０】
第１アクセス技術及び第２アクセス技術は、端末デバイスとＵＰＦネットワーク要素との間のマルチアクセスＰＤＵセッションにおける２つの異なるアクセス技術である。要求メッセージは、図３の場合１における要求メッセージと同じであり、複数のタイプの情報を運び得る。詳細は、ここで再び記載されない。
【０４２１】
方法は、第１コアネットワーク要素がサービスフローに対応するアクセス技術を決定することを更に含む。
【０４２２】
第１コアネットワーク要素は、要求メッセージ及び第１コアネットワーク要素ポリシーに基づいて、サービスフローが第２アクセス技術又は、第１アクセス技術及び第２アクセス技術を使用することによって、伝送されるべきであることを決定する。コアネットワークポリシーは、ＰＣＦ又はＳＭＦで設定されたフロー分割ポリシー情報である。ＰＣＦがフロー分割ポリシーを設定する場合に、ＰＣＦはフロー分割ポリシーをＳＭＦへ送信する。任意に、ＰＣＦからＳＭＦへ送信されるＰＣＣ（Policy  and  Charging  Control）規則は、フロー分割ポリシーを含む。フロー分割ポリシーは、サービスフロー記述（更なるパケットフィルタの１つ）又はサービスデータフローテンプレート（ＳＤＦテンプレート）とアクセス技術との間の対応と、任意のルーティングファクタとを含む。アクセス技術は、第１アクセス技術、第２アクセス技術、第１アクセス技術及び第２アクセス技術、又はマルチアクセス指示である。第１アクセス技術及び第２アクセス技術、又はマルチアクセス指示は、サービスフローが第１アクセス技術及び第２アクセス技術のいずれか１つ又は２つを使用することによって伝送され得ることを示すために使用可能である。フロー分割ポリシーが第１アクセス技術及び第２アクセス技術の両方を含む場合に、ルーティングファクタ（routing  factor）はアクセス技術ごとに更に含まれる。ルーティングファクタが“ＮＵＬＬ”にセットされる場合に、それは、各アクセス技術を使用することによって実行されるべき伝送内のデータ量が制限されないことを示す。ルーティングファクタが特定の値（例えば、ａ：ｂ）である場合に、各アクセス技術を使用することによって実行されるべき伝送内の特定のデータ量、バンド幅値、データ量比、又はバンド幅比が示される。フロー分割ポリシーがフロー記述１又はフローテンプレート１を含み、第１アクセス技術に対応するルーティングファクタがａであり、第２アクセス技術に対応するルーティングファクタがｂである場合に、総データ量又は総バンド幅のａ／（ａ＋ｂ）は、第１アクセス技術を使用することによって実行されるべき伝送内にあり、総データ量又は総バンド幅のｂ／（ａ＋ｂ）は、第２アクセス技術を使用することによって伝送されるべき伝送内にある。同じフロー分割ポリシー情報は、代替的に、ＳＭＦで設定されてもよい。代替的に、ＰＣＦのフロー分割ポリシー情報は、第１アクセス技術及び第２アクセス技術を示し、ＳＭＦは、ネットワークリンクステータスに基づいて各アクセス技術のルーティングファクタを決定する。
【０４２３】
いくつかの実施形態において、端末デバイスは、第１アクセス技術を使用することによってサービスフローを伝送するよう要求する。この場合に、端末デバイスが、要求を変更することを第１コアネットワーク要素に許す場合に、第１コアネットワーク要素は、サービスフローを伝送するために第２アクセス技術を使用することによってリソースを割り当てる。
【０４２４】
いくつかの他の実施形態において、端末デバイスは、第２アクセス技術を使用することによってサービスフローを伝送するよう要求する。第１コアネットワーク要素は、サービスフローを伝送するために第２アクセス技術を使用することによってリソースを割り当てる。
【０４２５】
いくつかの他の実施形態において、端末デバイスは、第１アクセス技術及び第２アクセス技術を使用することによってサービスフローを伝送するよう要求する。第１コアネットワーク要素は、サービスフローを伝送するために第１アクセス技術及び第２アクセス技術を使用することによってリソースを割り当てる。
【０４２６】
任意に、第１コアネットワーク要素は、要求メッセージに含まれている、第３識別子とマルチアクセス技術に基づく伝送指示との間の対応を受信する。第１コアネットワーク要素がＴＦＣＰプロトコルをサポートする場合に、第１コアネットワーク要素は、第３識別子に基づいて決定された第３サービスフローのマルチアクセス技術に基づく伝送を許可するか、あるいは、第３識別子に基づいて決定された第３サービスフローのＴＦＣＰベースのカプセル化を許可する。
【０４２７】
Ｓ３２０．第１コアネットワーク要素は、応答メッセージを端末デバイスへ送信する。
【０４２８】
第１コアネットワーク要素は、第１アクセス技術及び／又は第２アクセス技術を使用することによって応答メッセージを端末デバイスへ送信し、このとき、応答メッセージは、第１識別情報及び第２アクセス技術の指示情報を含む。
【０４２９】
代替的に、応答メッセージは、第１識別情報、第１アクセス技術の指示情報、及び第２アクセス技術の指示情報を含み、サービスフローが第１アクセス技術又は第１アクセス技術及び第２アクセス技術を使用することによって伝送されるべきであることを示すために使用可能である。
【０４３０】
任意に、応答メッセージは、第３識別子及びマルチアクセス技術に基づく伝送指示を含む。第３識別子及びマルチアクセス技術に基づく伝送指示は、第１コアネットワーク要素が、第３識別子に基づいて決定された第３サービスフローのマルチアクセス技術に基づく伝送を許可／認証するか、あるいは、第３識別子に基づいて決定された第３サービスフローのＴＦＣＰベースのカプセル化を許可／認証することを示す。第３識別子は、サービスフロー記述（１つ以上のパケットフィルタ）、サービスフローテンプレート（Service  data  flow  template，ＳＤＦテンプレート）、ＱＦＩ、又はＰＤＵセッションＩＤである。マルチアクセス技術に基づく伝送指示は、ＴＦＣＰプロトコル指示、ＴＦＣＰプロトコルベースカプセル化指示、又はパケット粒度フロー分割指示である。
【０４３１】
いくつかの実施形態において、第１コアネットワーク要素が応答メッセージを端末デバイスへ送信することは、次の方法を含み、第１アクセス技術の指示情報／第２アクセス技術の指示情報はまた、第１アクセス技術指示／第２アクセス技術指示又は第１アクセス技術識別子／第２アクセス技術識別子としても定義されてよい。
【０４３２】
方法１：
第１コアネットワーク要素（図２に示されるＳＭＦネットワーク要素）は、第１メッセージを第２コアネットワーク要素（図２に示されるＡＭＦネットワーク要素）へ送信し、このとき、第１メッセージは、第１アクセス技術の指示情報及び応答メッセージを含む。
【０４３３】
第２コアネットワーク要素は、第１アクセス技術の指示情報に基づいて応答メッセージを第１アクセスネットワークデバイスへ送信し、第１アクセスネットワークデバイスは、応答メッセージを端末デバイスへ送信する。
【０４３４】
方法２：
第１コアネットワーク要素は、第１メッセージを第２コアネットワーク要素へ送信し、このとき、第１メッセージは、第２アクセス技術の指示情報及び応答メッセージを含む。
【０４３５】
第２コアネットワーク要素は、第２アクセス技術の指示情報に基づいて応答メッセージを第２アクセスネットワークデバイスへ送信し、第２アクセスネットワークデバイスは、応答メッセージを端末デバイスへ送信する。
【０４３６】
方法３：
第１コアネットワーク要素は、第１メッセージを第２コアネットワーク要素へ送信し、このとき、第１メッセージは、応答メッセージ及び、第２アクセス技術と第１アクセス技術との間の対応を含む。
【０４３７】
第２コアネットワーク要素は、応答メッセージを第１アクセスネットワークデバイス及び第２アクセスネットワークデバイスへ送信し、第１アクセスネットワークデバイス及び第２アクセスネットワークデバイスは、応答メッセージを端末デバイスへ送信する。
【０４３８】
方法４：
第１コアネットワーク要素は、第３メッセージを第２コアネットワーク要素へ送信し、このとき、第３メッセージは、第１アクセス技術と応答メッセージとの間の対応と、第２アクセス技術と第２指示情報との間の対応を含む。
【０４３９】
第２コアネットワーク要素は、第１アクセス技術と応答メッセージとの間の対応に基づいて、応答メッセージを第１アクセスネットワークデバイスへ送信し、第１アクセスネットワークデバイスは、応答メッセージを端末デバイスへ送信する。
【０４４０】
代替的に、第３メッセージが第２アクセス技術と応答メッセージとの間の対応、又は第２アクセス技術及び、第２アクセス技術と応答メッセージとの間の対応を含む場合に、第２コアネットワーク要素は、対応に基づいて、応答メッセージを対応するアクセスネットワークデバイスへ送信してよい。
【０４４１】
いくつかの実施形態において、サービスフローが第２アクセス技術を使用することによって伝送されるべきであることは、次を含む。
【０４４２】
方法１：
第１コアネットワーク要素は、第２メッセージを第２コアネットワーク要素へ送信し、このとき、第２メッセージは、第２アクセス技術の指示情報及び第２指示情報を含む。第２指示情報は、Ｎ２セッション管理情報（N2  Session  management  information，Ｎ２  ＳＭ情報）であってよい。
【０４４３】
第１コアネットワーク要素は、第２アクセス技術の指示情報に基づいて、第２指示情報を、第２アクセス技術に対応する第２アクセスネットワークデバイスへ送信し、このとき、第２指示情報はＱｏＳプロファイルを含み、ＱｏＳプロファイルは、サービスフローに関するＱｏＳパラメータを含む。
【０４４４】
方法２：
第１コアネットワーク要素は、第３メッセージを第２コアネットワーク要素へ送信し、このとき、第３メッセージは、第１アクセス技術の指示情報と応答メッセージとの間の対応と、第２アクセス技術の指示情報と第２指示情報との間の対応とを含む。
【０４４５】
第２コアネットワーク要素は、第２アクセス技術のＱｏＳパラメータを更新するよう第２アクセスネットワークデバイスに指示するために、第２アクセス技術の指示情報と第２指示情報との間の対応に基づいて第２指示情報を第２アクセスネットワークデバイスへ送信し、それにより、サービスフローは、第２アクセスネットワークデバイスを使用することによって伝送可能である。
【０４４６】
いくつかの実施形態において、サービスフローが第１アクセス技術及び第２アクセス技術を使用することによって伝送されるべきであることは、次を含む。
【０４４７】
方法１：
第１コアネットワーク要素は、第１メッセージを第２コアネットワーク要素へ送信し、このとき、第１メッセージは、第１アクセス技術の指示情報、第３指示情報、及び応答メッセージを含む。第３指示情報はＱｏＳプロファイルを含み、ＱｏＳプロファイルは、サービスフローに関するＱｏＳパラメータを含む。
【０４４８】
第３指示情報は、第１アクセス技術のＱｏＳパラメータを更新するよう指示するために使用されるＮ２セッション管理情報（N2  Session  management  information，Ｎ２  ＳＭ情報）であってよい。
【０４４９】
第１コアネットワーク要素は、第２メッセージを第２コアネットワーク要素へ送信し、このとき、第２メッセージは、第２アクセス技術の指示情報及び第２指示情報を含む。第２指示情報は、第２アクセス技術のＱｏＳパラメータを更新するよう指示するために使用されるセッション管理情報（Session  management  information，ＳＭ情報）であってよい。
【０４５０】
第２コアネットワーク要素は、第１アクセス技術のＱｏＳパラメータを更新するよう第１アクセスネットワークデバイスに指示するために、第３指示情報及び応答メッセージを第１アクセスネットワークデバイスへ送信し、それにより、サービスフローは、第１アクセスネットワークデバイスを使用することによって伝送可能である。更に、第１アクセスネットワークデバイスは、引き続き応答メッセージを端末デバイスへ送信する。
【０４５１】
第２コアネットワーク要素は、第２アクセス技術のＱｏＳパラメータを更新するよう第２アクセスネットワークデバイスに指示するために、第２指示情報を第２アクセスネットワークデバイスへ送信し、このとき、第２指示情報はＱｏＳプロファイルを含み、ＱｏＳプロファイルは、サービスフローに関するＱｏＳパラメータを含む。それにより、サービスフローは、第２アクセスネットワークデバイスを使用することによって伝送可能である。
【０４５２】
方法２：
第１コアネットワーク要素は、第３メッセージを第２コアネットワーク要素へ送信し、このとき、第３メッセージは、第１アクセス技術の指示情報と第３指示情報及び応答メッセージの組み合わせとの間の第１の対応と、第２アクセス技術と第２指示情報との間の第２の対応とを含む。
【０４５３】
第２コアネットワーク要素は、第１の対応に基づいて、第３指示情報及び応答メッセージを、第１アクセス技術の指示情報に対応する第１アクセスネットワークデバイスへ送信して、第１アクセス技術のＱｏＳパラメータを更新するよう第１アクセスネットワークデバイスに指示し、それにより、サービスフローは、第１アクセスネットワークデバイスを使用することによって伝送可能である。更に、第１アクセスネットワークデバイスは、応答メッセージを端末デバイスへ送信する。
【０４５４】
更に、第２コアネットワーク要素は、第２の対応に基づいて、第２指示情報を、第２アクセス技術の指示情報に対応する第２アクセスネットワークデバイスへ送信して、第２アクセス技術のＱｏＳパラメータを更新するよう第２アクセスネットワークデバイスに指示し、それにより、サービスフローは、第２アクセスネットワークデバイスを使用することによって伝送可能である。
【０４５５】
第１コアネットワーク要素（図１に示されるＳＭＦネットワーク要素）は、Ｎ４セッションメッセージを第３コアネットワーク要素（図１に示されるＵＰＦネットワーク要素）へ送信するよう更に構成されてよい。Ｎ４セッションメッセージは、第４識別子及びマルチアクセス伝送指示を含む。第４識別子は、サービスフロー記述（１つ以上のパケットフィルタ）、サービスフローテンプレート（Service  data  flow  template，ＳＤＦテンプレート）、ＱＦＩ、ＰＤＵセッションＩＤ、又はＮ４セッション識別子である。Ｎ４セッションは、ＰＤＵセッションと一対一の対応にある。マルチアクセス技術に基づく伝送指示は、ＴＦＣＰプロトコル指示、ＴＦＣＰベースカプセル化指示、又はパケット粒度フロー分割指示である。ＵＰＦは、第４識別子とマルチアクセス伝送指示との間の対応を記憶し、ＵＰＦは、対応に基づいてユーザプレーンデータに対してＴＦＣＰヘッダ構文解析を実行する。
【０４５６】
具体的に、ユーザプレーンＵＰＦネットワーク要素は、ユーザプレーンで受け取られたＱＦＩに基づいて、データパケットがＴＦＣＰヘッダを含むことを決定するか、あるいは、ユーザプレーントンネル識別子に基づいて、ＰＤＵセッションにおけるデータパケットがＴＦＣＰヘッダを含むことを決定するか、あるいは、エンドマーカ（end  marker）データパケットに基づいて、エンドマーカデータパケットの後に受信されたデータパケットがＴＦＣＰヘッダを含むことを決定する。ユーザプレーンＵＰＦネットワーク要素は、ＴＦＣＰパケットヘッダに含まれているシーケンス番号に基づいてデータパケットを順位付けする。
【０４５７】
図７は、本願の実施形態に従う他の通信方法の略フローチャートである。方法は、次のステップを含む。
【０４５８】
Ｓ３１１．第１コアネットワーク要素は、アクセスネットワークデバイスからネットワークステータス情報を受信する。
【０４５９】
第１コアネットワーク要素は、アクセスネットワークデバイスからネットワークステータス情報を受信し、このとき、ネットワークステータス情報は、アクセスネットワークデバイスのデータ伝送ステータスを示すために使用可能である。
【０４６０】
いくつかの実施形態において、第１コアネットワーク要素は、第１アクセスネットワークデバイスから第１ネットワークステータス情報を受信する。
【０４６１】
いくつかの実施形態において、第１コアネットワーク要素は、第２アクセスネットワークデバイスから第２ネットワークステータス情報を受信する。
【０４６２】
いくつかの実施形態において、第１ネットワークステータス情報は、第１アクセス技術によって現在サポートされている伝送内のデータ量又は伝送バンド幅を示すために使用可能である。例えば、第１ネットワークステータス情報は、第１アクセス技術によってサポートされ得る伝送内のバンド幅値、遅延、パケット損失レート、又は信号強度のうちの少なくとも１つを示す。
【０４６３】
いくつかの他の実施形態において、第１ネットワークステータス情報は、サービスフローの伝送リソースが第１アクセス技術を使用することによって解放されることを示すために使用可能であり、サービスフローは、第１アクセス技術を使用することによって伝送される任意のサービスフローである。例えば、第１ネットワークステータス情報は、第１アクセス技術が品質に起因してサービスフロー１の伝送をサポートしないことを示し、サービスフロー１の伝送リソースは、第１アクセス技術を使用することによって解放される。
【０４６４】
方法は、第１コアネットワーク要素がネットワークステータス情報に対応するＱｏＳプロファイルを決定することを更に含む。
【０４６５】
第１コアネットワーク要素は、ネットワークステータス情報に基づいてアクセスネットワークデバイスのＱｏＳプロファイルを決定する。
【０４６６】
いくつかの実施形態において、第１コアネットワーク要素は、ネットワークステータス情報に基づいて第１アクセス技術のＱｏＳプロファイル、例えば、第１アクセス技術におけるバンド幅値又は遅延値を設定する。
【０４６７】
いくつかの他の実施形態において、第１コアネットワーク要素は、ネットワークステータス情報に基づいて第２アクセス技術のＱｏＳプロファイル、例えば、第２アクセス技術におけるバンド幅値又は遅延値を設定する。
【０４６８】
いくつかの他の実施形態において、第１コアネットワーク要素は、ネットワークステータス情報に基づいて第２アクセス技術のＱｏＳプロファイルを設定し、それにより、第１アクセス技術を使用することによって解放されるリソースに対応するサービスフローは、第２アクセス技術を使用することによって伝送可能である。
【０４６９】
Ｓ３２２．第１コアネットワーク要素は、指示情報をアクセスネットワークデバイスへ送信する。
【０４７０】
第１コアネットワーク要素は、指示情報をアクセスネットワークデバイスへ送信し、このとき、指示情報は、アクセスネットワークデバイスへ送信される、ネットワークステータス情報に対応するクオリティ・オブ・サービスＱｏＳプロファイルを含む。
【０４７１】
例えば、第１コアネットワーク要素は、第１アクセス技術を使用することによって第４指示情報を第１アクセスネットワークデバイスへ送信する。第４指示情報は、第１アクセス技術のＱｏＳプロファイルを更新することを第１アクセスネットワークデバイスに示す。
【０４７２】
いくつかの実施形態において、第４指示情報は、第１アクセス技術におけるバンド幅値又は遅延値を含む。
【０４７３】
いくつかの他の実施形態において、第４指示情報は、サービスフローに対応する伝送リソースが第１アクセス技術を使用することによって解放された後の第１アクセス技術のＱｏＳプロファイルを含む。
【０４７４】
他の例として、第１コアネットワーク要素は、第２アクセス技術を使用することによって第５指示情報を第２アクセスネットワークデバイスへ送信する。第５指示情報は、第２アクセス技術のＱｏＳプロファイルを更新することを第２アクセスネットワークデバイスに示す。
【０４７５】
いくつかの実施形態において、第５指示情報は、第２アクセス技術におけるバンド幅値又は遅延値を含む。
【０４７６】
いくつかの他の実施形態において、第５指示情報は、サービスフローに対応する伝送リソースが第１アクセス技術を使用することによって解放された後の第２アクセス技術のＱｏＳパラメータを含み、第２アクセス技術は、第２アクセス技術のＱｏＳパラメータが設定された後にサービスフローの伝送をサポートすることができる。
【０４７７】
第１コアネットワーク要素によって第４指示情報及び第５指示情報を送信することは、図６に示される、応答メッセージを端末デバイスへ送信することと同様であり、第１コアネットワーク（ＳＭＦ）ネットワーク要素が２つのメッセージを第２コアネットワーク（ＡＭＦ）ネットワーク要素へ送信し、第２コアネットワーク要素がその２つのメッセージを対応するアクセスネットワークデバイスへ送信することであってよい。
【０４７８】
代替的に、第１コアネットワーク要素は、メッセージを第２コアネットワーク要素へ送信し、第２コアネットワーク要素は、第１コアネットワーク要素によって送信されたメッセージに含まれている、夫々の指示情報とアクセス技術との間の対応に基づいて、メッセージ内の指示情報を対応するアクセスネットワークデバイスへ別々に送信する。
【０４７９】
異なる実施形態における通信システム内の部分の機能は、端末デバイス、アクセスネットワークデバイス、及び第１コアネットワーク要素の機能の観点から、図３乃至図７を参照して詳述されている。
【０４８０】
この実施形態では、説明は、第１アクセスネットワークデバイスがＮＧ−ＲＡＮであり、第２アクセスネットワークデバイスがＮ３ＩＷＦであり、第１アクセス技術が３ＧＰＰアクセス技術であり、第２アクセス技術が非３ＧＰＰアクセス技術であり、サービスフローがマルチアクセスＰＤＵセッションにおける新たに追加又は更新されたサービスフロー１であるところの例を使用することによって、与えられる。
【０４８１】
図８は、本願の第１の具体的な実施形態に従う通信方法の略フローチャートである。
【０４８２】
本願の方法では、端末デバイスが、３ＧＰＰアクセス技術を使用することによってＰＤＵセッション変更要求メッセージを開始し、それにより、端末デバイスは、非３ＧＰＰアクセス技術を使用することによってサービスフロー１を伝送することができる。
【０４８３】
本願の方法は、次のステップを含む。
【０４８４】
Ｓ４１０．端末デバイスは、要求メッセージをＮＧ−ＲＡＮへ送信し、このとき、要求メッセージは、ＰＤＵセッション変更要求（PDU  session  Modification  Request）メッセージである。
【０４８５】
可能な実施では、ＰＤＵセッション変更要求メッセージは、非アクセス層転送（Non-Access-Stratum  transport，ＮＡＳ転送）メッセージにおいて運ばれてよい。
【０４８６】
ＰＤＵセッション変更要求メッセージは、図３の要求メッセージであってよい。具体的に、要求メッセージは、第１識別子、第２識別子、要求されているＱｏＳパラメータ、要求されているアクセス技術、又はＱｏＳ規則識別子のうちの少なくとも１つを含む。例えば、第１識別子は、サービスフロー１のフロー記述情報であり、第２識別子は、ＰＤＵセッションＩＤであり、アクセス技術は、非３ＧＰＰアクセス技術である。可能な実施では、要求メッセージは、サービスフロー１とアクセス技術との間の対応を変更することをＳＭＦが許可されていることを示す第１指示情報を更に含む。その上、サービスフロー記述又はＱＦＩ又はＰＤＵセッション識別子とマルチアクセス技術に基づく伝送指示との間の対応が送信される。
【０４８７】
Ｓ４２０．ＮＧ−ＲＡＮは、要求メッセージをＡＭＦネットワーク要素へ送信する。
【０４８８】
可能な実施では、ＮＡＳ転送メッセージがＡＭＦへ送信され、ＮＡＳ転送メッセージは要求メッセージを含む。
【０４８９】
Ｓ４３０．ＡＭＦネットワーク要素は、ＮＡＳ転送メッセージを受信し、要求メッセージをＳＭＦネットワーク要素へ送信する。
【０４９０】
Ｓ４４０．ＳＭＦネットワーク要素がＰＤＵセッション変更要求メッセージ及びＳＭＦポリシーに基づいて非３ＧＰＰアクセス技術側でのサービスフロー１の伝送を許可する場合には、ＳＭＦは、非３ＧＰＰアクセス技術のＱｏＳプロファイルを更新する。ＳＭＦポリシーは、ローカルで設定されたフロー分割規則又はＰＣＦから送信されたフロー分割規則を含む。ＳＭＦは、非３ＧＰＰアクセス技術のＱｏＳプロファイルを送信し、それにより、新たに追加又は更新されたサービスフロー１は、非３ＧＰＰアクセス技術を使用することによって伝送可能である。ＳＭＦポリシーに関する情報は、ＰＣＦから取得され得る。取得方法は、既存の情報伝送におけるそれと同様であり、図示されない。
【０４９１】
要求メッセージを受信し、非３ＧＰＰアクセス技術のＱｏＳプロファイルを決定した後、ＳＭＦは、非３ＧＰＰアクセス技術の対応するＱｏＳプロファイルを更新し、そして、ＰＤＵセッション変更応答メッセージを端末デバイスへ送信するようＮ３ＩＷＦに指示する必要がある。ＰＤＵセッション変更応答メッセージは、第１識別子と認証されたアクセス技術との間の対応を含み、認証されたアクセス技術は、非３ＧＰＰアクセス技術である。その上、メッセージは、サービスフロー記述又はＱＦＩ又はＰＤＵセッション識別子とマルチアクセス技術に基づく伝送指示との間の対応を含み、ネットワーク側が対応するサービスフロー又はＱＦＩ又はＰＤＵセッションのマルチアクセス技術に基づく伝送又はＴＦＣＰベースのカプセル化を許可／認証することを示すために使用可能である。
【０４９２】
プロセスは、次のステップを含む。
【０４９３】
方法１：
Ｓ４５０．ＳＭＦネットワーク要素は、第１メッセージをＡＭＦネットワーク要素へ送信する。第１メッセージは、アクセス技術タイプが３ＧＰＰアクセスにセットされることを示す情報と、ＰＤＵセッション変更応答（PDU  session  Modification  command）メッセージとを含む。ＰＤＵセッション変更応答メッセージは、サービスフロー１のフロー記述情報と非３ＧＰＰアクセス技術との間の対応、又はサービスフロー１のフロー記述情報とＱｏＳ規則１との間の対応を含む。ＱｏＳ規則１は、非３ＧＰＰ側でのＱｏＳ規則である。その上、任意に、サービスフロー記述又はＱＦＩ又はＰＤＵセッション識別子とマルチアクセス技術に基づく伝送指示との間の対応が含まれる。マルチアクセス技術に基づく伝送指示は、対応するサービスフロー又はＱＦＩ又はＰＤＵセッションにおけるデータパケットがマルチアクセス技術に基づく伝送をサポートするか、ＴＦＣＰベースのカプセル化をサポートするか、あるいは、パケット粒度フロー分割をサポートすることを示すために使用可能である。
【０４９４】
Ｓ４６０．ＳＭＦネットワーク要素は、第２メッセージをＡＭＦネットワーク要素へ送信し、このとき、第２メッセージは、アクセス技術タイプが非３ＧＰＰにセットされることを示す情報と、Ｎ２セッション管理情報（N2  Session  Management  information，Ｎ２  ＳＭ情報）とを含み、ＮＳ  ＳＭ情報は、非３ＧＰＰのために設定されたＱｏＳプロファイルを含む。
【０４９５】
Ｓ４７０．ＡＭＦネットワーク要素は、３ＧＰＰアクセスに基づいて第１のＮ２セッション要求メッセージをＮＧ−ＲＡＮへ送信し、このとき、第１のＮ２セッション要求メッセージは、ＰＤＵセッション変更応答メッセージを含む。
【０４９６】
Ｓ４８０．ＡＭＦネットワーク要素は、第２のＮ２セッション要求メッセージをＮ３ＩＷＦへ送信し、このとき、第２のＮ２セッション要求メッセージは、Ｓ４６０のＮ２  ＳＭ情報を含み、非３ＧＰＰ側での現在のＱｏＳプロファイルを更新することをＮ３ＩＷＦに示し、それにより、サービスフロー１は、非３ＧＰＰを使用することによって伝送可能である。
【０４９７】
方法２：
Ｓ４５０．ＳＭＦネットワーク要素は、第３メッセージをＡＭＦネットワーク要素へ送信する。第３メッセージは、アクセス技術タイプが３ＧＰＰアクセスにセットされることを示す情報とＰＤＵセッション変更応答メッセージとの間の対応と、アクセス技術タイプが非３ＧＰＰアクセスにセットされることを示す情報とＮ２  ＳＭ情報との間の対応とを含む。
【０４９８】
Ｓ４７０．ＡＭＦネットワーク要素が第３メッセージを受信した後、ＡＭＦネットワーク要素は、アクセス技術タイプが３ＧＰＰアクセスにセットされることを示す情報とＰＤＵセッション変更応答メッセージとの間の対応に基づいて、Ｎ２セッション要求メッセージをＮＧ−ＲＡＮへ送信し、このとき、Ｎ２セッション要求メッセージは、ＰＤＵセッション変更応答メッセージを含む。
【０４９９】
Ｓ４８０．ＡＭＦネットワーク要素が第３メッセージを受信した後、ＡＭＦネットワーク要素は、アクセス技術タイプが非３ＧＰＰアクセスにセットされることを示す情報とＮ２  ＳＭ情報との間の対応に基づいて、Ｎ２セッション要求メッセージをＮ３ＩＷＦへ送信し、このとき、Ｎ２セッション要求メッセージは、Ｎ２  ＳＭ情報を含み、非３ＧＰＰ側での現在のＱｏＳプロファイルを更新することをＮ３ＩＷＦに示し、それにより、サービスフロー１は、非３ＧＰＰを使用することによって伝送可能である。
【０５００】
Ｓ４９０．ＮＧ−ＲＡＮは、ＰＤＵセッション変更応答メッセージを端末デバイスへ送信する。ＰＤＵセッション変更応答メッセージは、サービスフロー１のフロー記述情報と非３ＧＰＰとの間の対応、又はサービスフロー１のフロー記述情報とＱｏＳ規則との間の対応を含み、対応は、端末デバイスの新たに追加されたサービスフロー１が非３ＧＰＰを使用することによって伝送されることを示すために使用可能である。その上、ＰＤＵセッション変更応答メッセージは、サービスフロー記述又はＱＦＩ又はＰＤＵセッション識別子とマルチアクセス技術に基づく伝送指示との間の対応を含む。マルチアクセス技術に基づく伝送指示は、対応するサービスフロー又はＱＦＩ又はＰＤＵセッションにおけるデータパケットがマルチアクセス技術に基づく伝送をサポートするか、ＴＦＣＰベースのカプセル化をサポートするか、あるいは、パケット粒度フロー分割をサポートすることを示すために使用可能である。
【０５０１】
Ｓ４９１．ＮＧ−ＲＡＮは、ＮＧ−ＲＡＮがＮ２セッション要求メッセージの受信に成功したことを示すために、Ｎ２セッション返答メッセージをＡＭＦネットワーク要素へ送信する。
【０５０２】
Ｓ４９２．端末デバイスは、端末デバイスが更新要求の完了に成功したことを示すために、ＰＤＵセッション変更応答回答メッセージをＳＭＦネットワーク要素へ送信する。
【０５０３】
Ｓ４９３．ＳＭＦネットワーク要素は、ＰＤＵセッションが変更されることを決定するために、Ｎ４セッション確立又は更新要求メッセージをＵＰＦネットワーク要素へ送信する。任意に、Ｎ４セッション確立又は更新要求メッセージは、マルチアクセス技術に基づく伝送指示と、サービスフロー記述、サービスフローテンプレート、ＱＦＩ、ＰＤＵセッションＩＤ、又はＮ４セッション識別子のうちの少なくとも１つとの間の対応を含む。マルチアクセス技術に基づく伝送指示は、対応するサービスフロー又はサービスフローテンプレート又はＱＦＩ又はＰＤＵセッションにおけるデータパケットがマルチアクセス技術に基づく伝送をサポートするか、ＴＦＣＰベースのカプセル化をサポートするか、あるいは、パケット粒度フロー分割をサポートすることを示すために使用可能である。
【０５０４】
図８は、単に、具体的な実施形態を示すにすぎないことが理解されるべきである。サービスフロー１が加えられ、要求メッセージが３ＧＰＰを使用することによって送信される所の例は、一例にすぎず、本願の保護範囲を制限することはできない。例えば、代替的に、元のマルチアクセスＰＤＵセッションにおけるサービスフロー１は変化する可能性があり、従って、セッションにおけるアクセス技術は更新される必要がある。代替的に、要求メッセージは、３ＧＰＰ  ＱｏＳプロファイルを更新するよう要求するために非３ＧＰＰを使用することによって送信されてもよい。
【０５０５】
図８は、端末デバイスが、３ＧＰＰを使用することによって、非３ＧＰＰを更新するために使用される要求メッセージを開始するところの実施形態を示す。アクセスネットワークデバイスがマルチアクセスＰＤＵセッションにおけるアクセス技術の更新を開始するプロシージャは、図９を参照して以下で簡単に記載される。
【０５０６】
図９は、本願の第２の具体的な実施形態に従う通信方法の略フローチャートである。
【０５０７】
この実施形態の方法では、ＮＧ−ＲＡＮが、３ＧＰＰを使用することによって、マルチアクセスＰＤＵセッションにおける非３ＧＰＰ変更要求メッセージを開始し、それにより、３ＧＰＰを使用することによって削除されたサービスフロー１は、非３ＧＰＰを使用することによって伝送可能である。
【０５０８】
Ｓ５１０．ＮＧ−ＲＡＮは、要求メッセージをＡＭＦネットワーク要素へ送信し、このとき、要求メッセージは、Ｎ２要求メッセージである。例えば、３ＧＰＰは、品質低下に起因してサービスフロー１の通常の伝送をサポートすることができない。この場合に、Ｎ２要求メッセージは、３ＧＰＰ側でサービスフロー１を伝送するために使用されかつＮＧ−ＲＡＮによって解放されるリソースを含む。
【０５０９】
Ｓ５２０．ＡＭＦネットワーク要素は、アクセスネットワークデバイスＮＧ−ＲＡＮのステータス変化をＳＭＦネットワーク要素に通知する。
【０５１０】
Ｓ５３０．ＳＭＦネットワーク要素は、Ｎ２  ＳＭ情報をＮ３ＩＷＦへ送信し、このとき、Ｎ２  ＳＭ情報は、更新された非３ＧＰＰ  ＱｏＳプロファイルを運ぶ。従って、サービスフロー１は、非３ＧＰＰを使用することによって伝送可能である。その上、非３ＧＰＰ側でのＱｏＳプロファイルは、３ＧＰＰを使用することによってサービスフロー１を伝送するために使用されかつＮＧ−ＲＡＮによって解放されるＱｏＳパラメータに基づいて、設定される。
【０５１１】
ＳＭＦネットワーク要素が非３ＧＰＰ側でのＱｏＳプロファイル及び３ＧＰＰ側でのＱｏＳプロファイルを更新することは、Ｎ３ＩＷＦが対応する非３ＧＰＰ  ＱｏＳプロファイルを変更するよう指示される必要があり、かつ、ＮＧ−ＲＡＮが対応する３ＧＰＰ  ＱｏＳプロファイルを変更するよう指示される必要があることを含む。プロセスは、次のステップを含む。
【０５１２】
方法１：
Ｓ５４０．ＳＭＦネットワーク要素は、第１メッセージをＡＭＦネットワーク要素へ送信する。第１メッセージは、アクセス技術タイプが３ＧＰＰアクセスに設定されることを示す情報と、任意のＰＤＵセッション変更応答メッセージと、第１更新メッセージとを含む。第１更新メッセージは、第１のＮ２セッション管理情報（N2  Session  Management  information，Ｎ２  ＳＭ情報）であり、第１のＮ２  ＳＭ情報は、３ＧＰＰのために設定されたＱｏＳプロファイルを含む。
【０５１３】
Ｓ５５０．ＳＭＦは、第２メッセージをＡＭＦへ送信し、このとき、第２メッセージは、アクセス技術タイプが非３ＧＰＰアクセスにセットされることを示す情報と、任意のＰＤＵセッション変更応答メッセージと、第２更新メッセージとを含む。第２更新メッセージは、第２のＮ２セッション管理情報（N2  Session  Management  information，Ｎ２  ＳＭ情報）であり、第２のＮ２  ＳＭ情報は、非３ＧＰＰのために設定されたＱｏＳプロファイルを含む。
【０５１４】
ＰＤＵセッション変更応答メッセージはＳ５４０又はＳ５５０でしか存在しないことが理解されるべきである。例えば、ＰＤＵセッション変更応答メッセージがＳ５４０に含まれる場合には、ＰＤＵセッション変更応答メッセージはＳ５５０に含まれない。
【０５１５】
Ｓ５６０．ＡＭＦネットワーク要素は、現在の３ＧＰＰ  ＱｏＳパラメータを更新するようＮＧ−ＲＡＮに指示するために、第１のＮ２  ＳＭ情報をＮＧ−ＲＡＮへ送信する。
【０５１６】
Ｓ５７０．ＡＭＦネットワーク要素は、現在の非３ＧＰＰ  ＱｏＳパラメータを更新するようＮ３ＩＷＦに指示するために、第２のＮ２  ＳＭ情報をＮ３ＩＷＦへ送信し、それにより、サービスフロー１は、非３ＧＰＰを使用することによって伝送可能である。
【０５１７】
ＰＤＵセッション変更応答メッセージを受信した後、ＮＧ−ＲＡＮ又はＮ３ＩＷＦは、引き続きＰＤＵセッション変更応答メッセージを端末デバイスへ送信することが理解されるべきである。
【０５１８】
方法２：
Ｓ５４０．ＳＭＦネットワーク要素は、第３メッセージをＡＭＦネットワーク要素へ送信する。第３メッセージは、アクセス技術タイプが３ＧＰＰアクセスにセットされることを示す情報と第１のＮ２  ＳＭ情報との間の対応と、アクセス技術タイプが非３ＧＰＰアクセスにセットされることを示す情報と第２のＮ２  ＳＭ情報との間の対応とを含む。その上、ＰＤＵセッション変更応答メッセージは、３ＧＰＰアクセス又は非３ＧＰＰアクセスに対応する。
【０５１９】
Ｓ５６０．ＡＭＦネットワーク要素が第３メッセージを受信した後、ＡＭＦネットワーク要素は、アクセス技術タイプが３ＧＰＰアクセスにセットされることを示す情報と第１のＮ２  ＳＭ情報との間の対応に基づいて、Ｎ２セッション要求メッセージをＮＧ−ＲＡＮへ送信し、このとき、Ｎ２セッション要求メッセージは、第１のＮ２  ＳＭ情報を含む。ＰＤＵセッション変更応答メッセージが３ＧＰＰアクセスに対応する場合に、Ｎ２セッション要求メッセージは、ＰＤＵセッション変更応答メッセージを更に含む。
【０５２０】
Ｓ５７０．ＡＭＦネットワーク要素が第３メッセージを受信した後、ＡＭＦネットワーク要素は、アクセス技術タイプが非３ＧＰＰアクセスにセットされることを示す情報と第２のＮ２  ＳＭ情報との間の対応に基づいて、Ｎ２セッション要求メッセージをＮ３ＩＷＦへ送信し、このとき、Ｎ２セッション要求メッセージは、第２のＮ２  ＳＭ情報を含み、現在の非３ＧＰＰ  ＱｏＳパラメータを更新することをＮ３ＩＷＦに示し、それにより、サービスフロー１は、非３ＧＰＰを使用することによって伝送可能である。ＰＤＵセッション変更応答メッセージが非３ＧＰＰアクセスに対応する場合に、Ｎ２セッション要求メッセージは、ＰＤＵセッション変更応答メッセージを更に含む。
【０５２１】
Ｓ５８０．Ｎ３ＩＷＦは、非３ＧＰＰ  ＱｏＳパラメータが更新されていることを示すために、Ｎ２セッション要求メッセージに返答するようＮ２セッション返答メッセージをＡＭＦネットワーク要素へ送信する。
【０５２２】
Ｓ５９０．ＮＧ−ＲＡＮは、３ＧＰＰ  ＱｏＳパラメータが更新されていることを示すために、Ｎ２セッション要求メッセージに返答するようＮ２セッション返答メッセージをＡＭＦネットワーク要素へ送信する。
【０５２３】
Ｓ５９１．ＳＭＦネットワーク要素は、マルチアクセスＰＤＵセッションが変更されていることを決定するために、Ｎ４セッション確立又は変更メッセージをＵＰＦネットワーク要素へ送信する。
【０５２４】
図８は、端末デバイスが、３ＧＰＰを使用することによって、非３ＧＰＰを更新するために使用される要求メッセージを開始するところの実施形態を示す。端末デバイスが、３ＧＰＰを使用することによって、３ＧＰＰ及び非３ＧＰＰを更新するために使用される要求メッセージを開始するプロシージャは、図１０を参照して以下で簡単に記載される。
【０５２５】
図１０は、本願の第３の具体的な実施形態に従う通信方法の略フローチャートである。
【０５２６】
本願の方法では、端末デバイスが、３ＧＰＰアクセス技術を使用することによってＰＤＵセッション変更要求メッセージを開始し、それにより、サービスフロー１がデータパケットフロー分割をサポートする場合に、端末デバイスは、３ＧＰＰ技術及び非３ＧＰＰ技術の両方を使用することによってサービスフロー１を伝送することができる。
【０５２７】
Ｓ６１０．端末デバイスは、３ＧＰＰを使用することによって要求メッセージをＮＧ−ＲＡＮへ送信し、このとき、要求メッセージは、ＰＤＵセッション変更要求（PDU  session  Modification  Request）メッセージである。ＰＤＵセッション変更要求メッセージは、ＮＡＳ転送メッセージにおいて運ばれてよい。
【０５２８】
ＰＤＵセッション変更要求メッセージは、図３の要求メッセージである。具体的に、要求メッセージは、ＰＤＵセッションＩＤ、サービスフロー１のフロー記述情報、要求されているＱｏＳパラメータ、及びサービスフロー１と要求されている３ＧＰＰアクセス技術及び要求されている非３ＧＰＰアクセス技術の組み合わせとの間の対応又はサービスフロー１と要求されているＱｏＳ規則１との間の対応を含む。ＱｏＳ規則１は、３ＧＰＰアクセス技術側及び非３ＧＰＰアクセス技術側に適用可能なＱｏＳ規則である。
【０５２９】
Ｓ６２０．ＮＧ−ＲＡＮは、ＮＡＳ転送メッセージをＡＭＦネットワーク要素へ送信し、このとき、ＮＡＳ転送メッセージは、ＰＤＵセッション変更要求メッセージを含む。
【０５３０】
Ｓ６３０．ＡＭＦネットワーク要素は、ＮＡＳ転送メッセージを受信し、ＰＤＵセッション変更要求メッセージをＳＭＦネットワーク要素へ送信する。
【０５３１】
Ｓ６４０．ＳＭＦネットワーク要素は、ＰＤＵセッション変更要求メッセージ及び第１コアネットワーク要素ポリシーに基づいて、サービスフロー１が３ＧＰＰ側及び非３ＧＰＰ側で伝送可能であることを決定し、ＳＭＦは、３ＧＰＰ  ＱｏＳプロファイル及び非３ＧＰＰ  ＱｏＳプロファイルを更新する。その上、ＳＭＦは、ＰＣＦによって配信されたフロー分割ポリシー、ローカルポリシー、又は２つの側でのネットワーク層のうちの少なくとも１つに従ってルーティングファクタを決定し、具体的に言えば、３ＧＰＰアクセス技術及び３ＧＰＰアクセス技術のルーティングファクタａと、非３ＧＰＰアクセス技術及び非３ＧＰＰアクセス技術のルーティングファクタｂとを決定する。例えば、３ＧＰＰ側でのＱｏＳプロファイル及び非３ＧＰＰ側でのＱｏＳプロファイルは、ＱｏＳプロファイルのためのサービスフロー１の要件に基づいてセットされ、それにより、新たに追加されたサービスフロー１は、３ＧＰＰアクセス技術及び非３ＧＰＰアクセス技術の両方を使用することによって伝送可能である。具体的に、サービスフロー１によって必要とされる保証されたバンド幅がＡであり、非３ＧＰＰアクセス技術側でのルーティングファクタに対する３ＧＰＰ側でのルーティングファクタの比がａ：ｂである場合に、３ＧＰＰアクセス技術側でのＱｏＳプロファイル内の保証バンド幅はＡ×ａ／（ａ＋ｂ）であり、非３ＧＰＰアクセス技術側でのＱｏＳプロファイル内の保証バンド幅はＡ×ｂ（ａ＋ｂ）である。
【０５３２】
ＰＤＵセッション変更要求メッセージを受信し、３ＧＰＰアクセス技術のＱｏＳプロファイル及び非３ＧＰＰアクセス技術のＱｏＳプロファイルを決定した後、ＳＭＦネットワーク要素は、３ＧＰＰ側での対応するＱｏＳプロファイル及び非３ＧＰＰアクセス技術での対応するＱｏＳプロファイルを更新し、そして、ＰＤＵセッション変更応答メッセージを端末デバイスへ送信するようＮＧ−ＲＡＮ及びＮ３ＩＷＦに指示する必要がある。ＰＤＵセッション変更応答メッセージは、第１識別子と第１アクセス技術及び第２アクセス技術の組み合わせとの間の対応を含む。その上、任意に、第１アクセス技術のルーティングファクタ及び第２アクセス技術のルーティングファクタが含まれる。ルーティングファクタの比は、ヌルにセットされてよく、あるいは、特定の値ａ：ｂであってもよい。プロセスは、次のステップを含む。
【０５３３】
方法１：
Ｓ６５０．ＳＭＦネットワーク要素は、第１メッセージをＡＭＦネットワーク要素へ送信する。第１メッセージは、アクセス技術タイプが３ＧＰＰアクセスにセットされることを示す情報と、ＰＤＵセッション変更応答（PDU  session  Modification  command）メッセージと、第１更新情報とを含む。第１更新情報は、第１のＮ２セッション管理情報（N2  Session  Management  information，Ｎ２  ＳＭ情報）であってよい。
【０５３４】
Ｓ６６０．ＳＭＦネットワーク要素は、第２メッセージをＡＭＦネットワーク要素へ送信する。第２メッセージは、アクセス技術タイプが非３ＧＰＰにセットされることを示す情報と、第２更新情報とを含む。第２更新情報は、第２のＮ２セッション管理情報（N2  Session  Management  information，Ｎ２  ＳＭ情報）であってよい。
【０５３５】
ＰＤＵセッション変更コマンドは、第１メッセージ及び／又は第２メッセージにおいて運ばれてよいことが理解されるべきである。ＰＤＵセッション変更コマンドが第１メッセージにおいて運ばれるところの例が、ここでは使用される。
【０５３６】
Ｓ６７０．ＡＭＦネットワーク要素は、Ｎ２セッション要求メッセージをＮＧ−ＲＡＮへ送信し、このとき、Ｎ２セッション要求メッセージは、第１更新情報及びＰＤＵセッション変更応答メッセージを含み、３ＧＰＰ側での対応するＱｏＳプロファイルを更新すること及びＰＤＵセッション変更応答を端末デバイスへ伝送することをＮＧ−ＲＡＮに示す。
【０５３７】
Ｓ６８０．ＡＭＦネットワーク要素は、Ｎ２セッション要求メッセージをＮ３ＩＷＦへ送信し、このとき、Ｎ２セッション要求メッセージは、第２更新情報を含み、非３ＧＰＰ側での対応するＱｏＳプロファイルを更新することをＮ３ＩＷＦに示す。
【０５３８】
方法２：
Ｓ６５０．ＳＭＦネットワーク要素は、第３メッセージをＡＭＦネットワーク要素へ送信する。第３メッセージは、アクセス技術タイプが３ＧＰＰアクセスにセットされることを示す情報と第１更新情報及びＰＤＵセッション変更応答メッセージの組み合わせとの間の対応と、アクセス技術タイプが非３ＧＰＰアクセスにセットされることを示す情報と第２更新情報との間の対応とを含む。
【０５３９】
Ｓ６７０．ＡＭＦネットワーク要素が第３メッセージを受信した後、ＡＭＦネットワーク要素は、アクセス技術タイプが３ＧＰＰアクセスにセットされることを示す情報と第１更新情報及びＰＤＵセッション変更応答メッセージの組み合わせとの間の対応に基づいて、Ｎ２セッション要求メッセージをＮＧ−ＲＡＮへ送信し、このとき、Ｎ２セッション要求メッセージは、第１更新情報及びＰＤＵセッション変更応答メッセージを含み、サービスフロー１が３ＧＰＰを使用することによって伝送可能であるように、かつ、ＰＤＵセッション変更応答メッセージを端末デバイスへ送信するようＮＧ−ＲＡＮに指示するために、現在の３ＧＰＰ  ＱｏＳプロファイルを更新することをＮＧ−ＲＡＮに示す。
【０５４０】
Ｓ６８０．ＡＭＦネットワーク要素が第３メッセージを受信した後、ＡＭＦネットワーク要素は、アクセス技術タイプが非３ＧＰＰアクセスにセットされることを示す情報と第２更新情報との間の対応に基づいて、Ｎ２セッション要求メッセージをＮ３ＩＷＦへ送信し、このとき、Ｎ２セッション要求メッセージは、現在の非３ＧＰＰ  ＱｏＳプロファイルを更新することをＮ３ＩＷＦに示し、それにより、サービスフロー１は、非３ＧＰＰを使用することによって伝送可能である。
【０５４１】
Ｓ６９０．ＮＧ−ＲＡＮは、ＰＤＵセッション変更応答メッセージを端末デバイスへ送信する。ＰＤＵセッション変更応答メッセージは、サービスフロー１のフロー記述と３ＧＰＰアクセス技術及び非３ＧＰＰアクセス技術の組み合わせとの間の対応、又はサービスフロー１のフロー記述とＱｏＳ規則１との間の対応を含む。ＱｏＳ規則１は、３ＧＰＰ側及び非３ＧＰＰ側に適用可能なＱｏＳ規則である。対応は、端末デバイスの新たに追加されたサービスフロー１が３ＧＰＰ及び非３ＧＰＰを使用することによって伝送されることを示すために使用可能である。その上、サービスフロー記述又はＱＦＩ又はＰＤＵセッションＩＤとマルチアクセス伝送指示との間の対応が更に含まれる。マルチアクセス伝送指示は、ネットワーク側が対応するサービスフロー又はＱＦＩ又はＰＤＵセッションにおけるデータパケットがマルチアクセス技術に基づく伝送又はＴＦＣＰベースのカプセル化を許可することを示すために使用可能である。
【０５４２】
Ｓ６９１．ＮＧ−ＲＡＮは、ＮＧ−ＲＡＮがＮ２セッション要求メッセージの受信に成功したことを示すために、Ｎ２セッション返答メッセージをＡＭＦネットワーク要素へ送信する。
【０５４３】
Ｓ６９２．端末デバイスは、端末デバイスが更新要求の完了に成功したことを示すために、ＰＤＵセッション変更応答回答メッセージをＳＭＦネットワーク要素へ送信する。
【０５４４】
Ｓ６９３．ＳＭＦネットワーク要素は、ＰＤＵセッションが変更されることを決定するために、Ｎ４セッション確立又は更新要求メッセージをＵＰＦネットワーク要素へ送信する。メッセージは、フロー記述又はフローテンプレート又はＱＦＩ又はＰＤＵセッションＩＤ又はＮ４セッション識別子とマルチアクセス技術に基づく伝送指示との間の対応を運ぶ。マルチアクセス技術に基づく伝送指示は、トラフィック制御プロトコル（Traffic  flow  control  policy，ＴＦＣＰ）指示又はパケット粒度フロー分割指示である。上記のパラメータの機能は、ユーザプレーン機能ＵＰＦネットワーク要素が、対応するサービスフロー又はＱｏＳフロー又はＰＤＵセッションにおけるデータパケットに対してマルチアクセス技術に基づく伝送又はＴＦＣＰベースのカプセル化を実行することをサポートすることを示すことである。
【０５４５】
Ｓ６９４．端末デバイスは、アップリンクデータをＮＧ−ＲＡＮへ伝送する。端末デバイスは、サービスフローデータパケットをユーザプレーン上でＮＧ−ＲＡＮへ送信する。
【０５４６】
ＮＧ−ＲＡＮは一例であり、アクセスネットワークデバイスは、３ＧＰＰ側のＮＧ−ＲＡＮ、非３ＧＰＰ側のＮ３ＩＷＦ、高信頼性アクセスゲートウェイ、固定ネットワークアクセスゲートウェイデバイス（Access  Gateway  Function，ＡＧＦ）、などであってよい。
【０５４７】
サービスフロー１は、パケット粒度フロー分割をサポートし、具体的に言えば、サービスフロー１は、複数のアクセス技術を使用することによって伝送され得る。サービスフロー１は、ＴＦＣＰベースのカプセル化をサポートし、具体的に言えば、サービスフロー１内の全てのデータパケットは、ＴＦＣＰパケットヘッダを運ぶ。
【０５４８】
パケット粒度フロー分割又はＴＦＣＰプロトコルベースのカプセル化は、３つの粒度、すなわち、サービスフロー粒度、ＱｏＳフロー粒度、又はＰＤＵセッション粒度で実行される。サービスフロー粒度は、パケット粒度フロー分割又はＴＦＣＰプロトコルベースのカプセル化が、関連するサービスフロー内の全てのデータパケットに対して行われることを示す。ＱｏＳフロー粒度は、パケット粒度フロー分割又はＴＦＣＰプロトコルベースのカプセル化が、関連するＱｏＳフロー内の全てのデータパケットに対して行われることを示す。ＰＤＵセッション粒度は、パケット粒度フロー分割又はＴＦＣＰプロトコルベースのカプセル化が、関連するＰＤＵセッション内の全てのデータパケットに対して行われることを示す。以下は、３つの実行粒度について独立して記載する。
【０５４９】
実行粒度１：パケット粒度フロー分割又はＴＦＣＰプロトコルベースのカプセル化は、サービスフロー粒度で実行される。
【０５５０】
いくつかの実施形態において、端末デバイスがサービスフロー１に対してマルチアクセスフロー分割を実行すると決定する場合に、端末デバイスは、サービスフロー１内のデータパケットをＴＦＣＰヘッダにカプセル化する。更に、ＴＦＣＰヘッダベースのカプセル化が実行されるデータパケットについて、端末デバイスは、ＴＦＣＰ指示情報をＮＧ−ＲＡＮへ送信する。ＴＦＣＰ指示情報は、ＴＦＣＰヘッダベースのカプセル化がサービスフロー１内のデータパケットに対して実行されることを示すか、あるいは、ＴＦＣＰ指示情報は、データパケットの上位層プロトコルがＴＦＣＰプロトコルであることを示す。
【０５５１】
いくつかの他の実施形態において、端末デバイスがサービスフロー１に対してマルチアクセスフロー分割を実行すると決定する場合に、端末デバイスは、サービスフロー１内のデータパケットのシーケンス番号をＮＧ−ＲＡＮへ送信する。シーケンス番号は、サービスフロー１内のデータパケットの順位を示す。
【０５５２】
例えば、サービスフロー１は、データパケット１及びデータパケット２を含む。データパケット１が１番目のデータパケットである場合に、データパケット１のシーケンス番号１がＮＧ−ＲＡＮへ送信され、データパケット２が２番目のデータパケットである場合に、データパケット２のシーケンス番号２がＮＧ−ＲＡＮへ送信される。このようにして、たとえデータパケット１及びデータパケット２が異なるアクセス技術を使用することによって伝送され、データパケット２が最初に成功裏に伝送され、次いでデータパケット１が成功裏に伝送されるとしても、データ受信エンドは、データパケットのシーケンス番号に基づいてデータパケットの順位を決定し、正確にサービスフロー１を受信することができる。
【０５５３】
端末デバイスがデータパケットを送信する前に、端末デバイスは、データパケットに対してマルチアクセス技術に基づく伝送を実行するよう要求するために、要求メッセージを第１コアネットワーク要素へ送信することが理解されるべきである。要求メッセージは、第３識別子とマルチアクセス伝送指示との間の対応を含み、第３識別子は、パケット粒度フロー分割又はＴＦＣＰプロトコルヘッダベースのカプセル化が実行されるべきであるサービスフローを決定するために使用可能であり、マルチアクセス伝送指示は、サービスフローが複数のアクセス技術を使用することによる伝送をサポートすることを示すために使用可能である。
【０５５４】
マルチアクセス伝送指示は、ＴＦＣＰプロトコル指示、ＴＦＣＰプロトコルベースカプセル化指示、又はパケット粒度フロー分割指示であってよい。
【０５５５】
Ｓ６９５．ＮＧ−ＲＡＮは、データパケットを送信する。
【０５５６】
いくつかの実施形態において、ＮＧ−ＲＡＮは、データパケット及びＴＦＣＰ指示をＵＰＦへ送信する。具体的に、ＮＧ−ＲＡＮがＴＦＣＰ指示を取得した後、ＮＧ−ＲＡＮは、ＵＰＦへ送信されるべきデータパケットヘッダにＴＦＣＰ指示を付加する。ＵＰＦは、ＴＦＣＰ指示に基づいて、プロトコルレイヤでの上位層プロトコルがＴＦＣＰプロトコルであることを知るか、あるいは、ＵＰＦは、ＴＦＣＰ指示に基づいて、ＴＦＣＰベースのカプセル化が内部データパケットに対して実行されていることを知る。その後に、ＵＰＦは、ＴＦＣＰプロトコルに従って構文解析を通じてデータパケットを取得する。
【０５５７】
いくつかの他の実施形態において、ＮＧ−ＲＡＮは、データパケット及びデータパケットのシーケンス番号をＵＰＦへ送信する。具体的に、アクセスネットワークデバイスがデータパケットのシーケンス番号を取得した後、ＮＧ−ＲＡＮは、ＵＰＦへ送信されるべきメッセージヘッダにデータパケットのシーケンス番号を付加し、メッセージヘッダをＵＰＦへ送信する。ＵＰＦは、シーケンス番号に基づいてデータパケットを再順位付けし、構文解析を通じてサービスフロー１を正確に取得する。
【０５５８】
Ｓ６９４及びＳ６９５のアップリンクデータは、本願のこの実施形態について記載するために一例として使用されていることが理解されるべきである。サービスフローがパケット粒度フロー分割をサポートする場合に、マルチアクセスフロー分割指示は、サービスフローに対してパケット粒度フロー分割を実行するよう指示するために、アップリンクメッセージに付加される必要がある。ダウンリンクデータは、アップリンクデータと同様である。詳細は、ここで再び記載されない。
【０５５９】
実行粒度２：パケット粒度フロー分割又はＴＦＣＰプロトコルベースのカプセル化は、ＱｏＳフロー粒度で実行される。
【０５６０】
Ｓ６９４．端末デバイスは、アップリンクデータをＮＧ−ＲＡＮへ伝送する。端末デバイスは、サービスフローデータパケットをユーザプレーン上でＮＧ−ＲＡＮへ送信する。端末デバイスは、ＮＧ−ＲＡＮに対して、データパケットが属するＱｏＳフロー識別子、すなわち、ＱＦＩを送信する。
【０５６１】
Ｓ６９５．ＮＧ−ＲＡＮは、データパケットを送信する。
【０５６２】
ＮＧ−ＲＡＮは、データパケットをＵＰＦへ送信するとともに、ＱＦＩをＵＰＦへ送信する。具体的に、ＮＧ−ＲＡＮがＱＦＩを取得した後、ＮＧ−ＲＡＮは、ＵＰＦへ送信されるべきデータパケットヘッダにＱＦＩを付加する。ＵＰＦは、ＱＦＩに基づいて、プロトコルレイヤでの上位層プロトコルがＴＦＣＰプロトコルであることを知るか、あるいは、ＵＰＦは、ＱＦＩに基づいて、ＴＦＣＰプロトコルヘッダベースのカプセル化が内部データパケットに対して実行されていることを知る。その後に、ＵＰＦは、ＴＦＣＰプロトコルに従って構文解析を通じてデータパケットを取得する。具体的に、ＵＰＦは、ＴＦＣＰプロトコルヘッダ内のデータパケットのシーケンス番号を取得し、シーケンス番号に基づいてデータパケットを順位付けする。
【０５６３】
ダウンリンクデータは、アップリンクデータと同様である。詳細は、ここで再び記載されない。
【０５６４】
端末デバイスがデータパケットを送信する前に、端末デバイスは、データパケットに対してマルチアクセス技術に基づく伝送を実行するよう要求するために、要求メッセージを第１コアネットワーク要素へ送信することが理解されるべきである。要求メッセージは、第３識別子とマルチアクセス伝送指示との間の対応を含む。第３識別子は、ＱｏＳフロー識別子ＱＦＩである。マルチアクセス伝送指示は、ＴＦＣＰプロトコル指示、ＴＦＣＰプロトコルベースカプセル化指示、又はパケット粒度フロー分割指示であってよい。第３識別子は、パケット粒度フロー分割又はＴＦＣＰプロトコルヘッダベースのカプセル化が実行されるべきであるＱｏＳフローを決定するために使用可能であり、マルチアクセス伝送指示は、ＱｏＳフロー内の全てのサービスフローが複数のアクセス技術を使用することによる伝送をサポートすることを示すために使用可能である。
【０５６５】
実行粒度３：パケット粒度フロー分割又はＴＦＣＰプロトコルヘッダベースのカプセル化は、ＰＤＵセッション粒度で実行される。
【０５６６】
Ｓ６９４．端末デバイスは、アップリンクデータをＮＧ−ＲＡＮへ伝送する。端末デバイスは、サービスフローデータパケットをユーザプレーン上でＮＧ−ＲＡＮへ送信する。端末デバイスは、データパケットが属するＰＤＵセッションに対応するアクセス側接続を通じてＮＧ−ＲＡＮへサービスフローデータパケットを送信する。
【０５６７】
Ｓ６９５．ＮＧ−ＲＡＮは、データパケットを送信する。
【０５６８】
ＮＧ−ＲＡＮは、データパケットをＵＰＦへ送信する。具体的に、ＮＧ−ＲＡＮは、データパケットが属するＰＤＵセッションに対応するユーザプレーントンネルでＵＰＦへデータパケットを送信する。ＵＰＦは、トンネル識別子に基づいて、データパケットが属するＰＤＵセッションを識別し、ＰＤＵセッションに基づいて、上位層プロトコルがＴＦＣＰプロトコルであることを決定する。代替的に、ＵＰＦは、ＰＤＵセッションに基づいて、ＴＦＣＰベースのカプセル化が内部データパケットに対して実行されていることを知る。その後に、ＵＰＦは、ＴＦＣＰプロトコルに従って構文解析を通じてデータパケットを取得する。具体的に、ＵＰＦは、ＴＦＣＰプロトコルヘッダ内のデータパケットのシーケンス番号を取得し、シーケンス番号に基づいてデータパケットを順位付けする。
【０５６９】
ダウンリンクデータは、アップリンクデータと同様である。詳細は、ここで再び記載されない。
【０５７０】
端末デバイスがデータパケットを送信する前に、端末デバイスは、データパケットに対してマルチアクセス技術に基づく伝送を実行するよう要求するために、要求メッセージを第１コアネットワーク要素へ送信することが理解されるべきである。要求メッセージは、第３識別子とマルチアクセス伝送指示との間の対応を含む。第３識別子は、ＰＤＵセッション識別子（ＰＤＵセッションＩＤ）である。マルチアクセス伝送指示は、ＴＦＣＰプロトコル指示、ＴＦＣＰプロトコルベースカプセル化指示、又はパケット粒度フロー分割指示であってよい。第３識別子は、パケット粒度フロー分割又はＴＦＣＰプロトコルヘッダベースのカプセル化が実行されるべきであるＰＤＵセッションを決定するために使用可能であり、マルチアクセス伝送指示は、ＰＤＵセッション内の全てのサービスフローが複数のアクセス技術を使用することによる伝送をサポートすることを示すために使用可能である。
【０５７１】
図９は、ＲＡＮが、３ＧＰＰを使用することによって、非３ＧＰＰを更新するために使用される要求メッセージを開始するところの実施形態を示す。ＲＡＮが３ＧＰＰを使用することによって３ＧＰＰ及び非３ＧＰＰの更新を開始するプロシージャは、図１１を参照して以下で簡単に記載される。
【０５７２】
図１１は、本願の第４の具体的な実施形態に従う通信方法の略フローチャートである。
【０５７３】
この実施形態の方法では、ＮＧ−ＲＡＮが、３ＧＰＰ及び非３ＧＰＰを更新するために、３ＧＰＰ技術側でのネットワークステータス報告を開始する。
【０５７４】
Ｓ７１０．ＮＧ−ＲＡＮは、ＮＧ−ＲＡＮに対応する３ＧＰＰ側での現在のネットワーク接続ステータスを示すよう、ネットワークステータス情報をＡＭＦネットワーク要素へ送信する。例えば、ネットワークステータス情報は、ＮＧ−ＲＡＮによってサポートされる伝送内のバンド幅値、遅延値、パケット損失レート、又は信号強度のうちの少なくとも１つであってよい。
【０５７５】
Ｓ７２０．ＡＭＦネットワーク要素は、ネットワークステータス情報をＳＭＦネットワーク要素へ送信する。
【０５７６】
ＳＭＦネットワーク要素がネットワークステータス情報を受信した後、セッション管理機能ネットワーク要素は、第１ネットワークステータス情報に基づいて３ＧＰＰ及び非３ＧＰＰ  ＱｏＳプロファイルを変更し、ＮＧ−ＲＡＮ及びＮ３ＩＷＦに通知する必要がある。プロセスは、次のステップを含む。
【０５７７】
方法１：
Ｓ７３０．ＳＭＦネットワーク要素は、第１メッセージをＡＭＦネットワーク要素へ送信し、このとき、第１メッセージは、アクセス技術タイプが３ＧＰＰアクセスに設定されることを示す情報と、第１更新メッセージとを含む。第１更新メッセージは、第１のＮ２セッション管理情報（N2  Session  Management  information，Ｎ２  ＳＭ情報）であり、第１のＮ２  ＳＭ情報は、第１ネットワークステータス情報に基づいて３ＧＰＰのために設定されたＱｏＳプロファイルを含む。
【０５７８】
Ｓ７４０．ＳＭＦは、第２メッセージをＡＭＦへ送信し、このとき、第２メッセージは、アクセス技術タイプが非３ＧＰＰアクセスにセットされることを示す情報と、第２更新メッセージとを含む。第２更新メッセージは、第２のＮ２セッション管理情報（N2  Session  Management  information，Ｎ２  ＳＭ情報）であり、第２のＮ２  ＳＭ情報は、第１ネットワークステータス情報に基づいて非３ＧＰＰのために設定されたＱｏＳプロファイルを含む。
【０５７９】
ＰＤＵセッション変更コマンド（PDU  session  Modification  command）は、代替的に、第１メッセージ又は第２メッセージで運ばれてよいことが理解されるべきである。メッセージは、サービスフローと第１アクセス技術及び第２アクセス技術の組み合わせとの間の対応と、各アクセス技術に対応するルーティングファクタとを運ぶ。ルーティングファクタは、第１ネットワークステータス情報に基づいてセットされる。
【０５８０】
Ｓ７５０．ＡＭＦネットワーク要素は、現在の３ＧＰＰ  ＱｏＳプロファイルを更新するようＮＧ−ＲＡＮに指示するために、第１のＮ２  ＳＭ情報をＮＧ−ＲＡＮへ送信する。
【０５８１】
Ｓ７６０．ＡＭＦネットワーク要素は、現在の非３ＧＰＰ  ＱｏＳプロファイルを更新するようＮ３ＩＷＦに指示するために、第２のＮ２  ＳＭ情報をＮ３ＩＷＦへ送信する。
【０５８２】
ＰＤＵセッション変更応答（PDU  session  Modification  command）は、ＮＧ−ＲＡＮ又はＮ３ＩＷＦからＵＥへ送信されることが理解されるべきである。
【０５８３】
方法２：
Ｓ７３０．ＳＭＦネットワーク要素は、第３メッセージをＡＭＦネットワーク要素へ送信する。第３メッセージは、アクセス技術タイプが３ＧＰＰアクセスにセットされることを示す情報と第１のＮ２  ＳＭ情報との間の対応と、アクセス技術タイプが非３ＧＰＰアクセスにセットされることを示す情報と第２のＮ２  ＳＭ情報との間の対応とを含む。ＰＤＵセッション変更応答（PDU  session  Modification  command）は、代替的に、３ＧＰＰアクセス又は非３ＧＰＰアクセスに対応してよい。メッセージは、サービスフローと第１アクセス技術及び第２アクセス技術の組み合わせとの間の対応と、各アクセス技術に対応するルーティングファクタとを運ぶ。ルーティングファクタは、第１ネットワークステータス情報に基づいてセットされる。
【０５８４】
Ｓ７５０．ＡＭＦネットワーク要素が第３メッセージを受信した後、ＡＭＦネットワーク要素は、アクセス技術タイプが３ＧＰＰアクセスにセットされることを示す情報と第１のＮ２  ＳＭ情報との間の対応に基づいて、Ｎ２セッション要求メッセージをＮＧ−ＲＡＮへ送信し、このとき、Ｎ２セッション要求メッセージは、第１のＮ２  ＳＭ情報を含む。
【０５８５】
Ｓ７６０．ＡＭＦネットワーク要素が第３メッセージを受信した後、ＡＭＦネットワーク要素は、アクセス技術タイプが非３ＧＰＰアクセスにセットされることを示す情報と第２のＮ２  ＳＭ情報との間の対応に基づいて、Ｎ２セッション要求メッセージをＮ３ＩＷＦへ送信し、このとき、Ｎ２セッション要求メッセージは、第２のＮ２  ＳＭ情報を含む。
【０５８６】
Ｓ７７０．Ｎ３ＩＷＦは、非３ＧＰＰ  ＱｏＳパラメータが更新されていることを示すために、Ｎ２セッション要求メッセージに返答するようＮ２セッション返答メッセージをＡＭＦネットワーク要素へ送信する。
【０５８７】
Ｓ７８０．ＮＧ−ＲＡＮネットワーク要素は、３ＧＰＰ  ＱｏＳパラメータが更新されていることを示すために、Ｎ２セッション要求メッセージに返答するようＮ２セッション返答メッセージをＡＭＦネットワーク要素へ送信する。
【０５８８】
ＰＤＵセッション変更応答（PDU  session  Modification  command）は、ＮＧ−ＲＡＮ又はＮ３ＩＷＦからＵＥへ送信されることが理解されるべきである。
【０５８９】
Ｓ７９０．ＳＭＦネットワーク要素は、マルチアクセスＰＤＵセッションが変更されていることを決定するために、セッション変更メッセージをＵＰＦネットワーク要素へ送信する。
【０５９０】
図８は、端末デバイスが、第１アクセス技術を使用することによって、第２アクセス技術を更新するために使用される要求メッセージを開始するところの実施形態を示す。端末デバイスが、第１アクセス技術を使用することによって、第２アクセス技術を削除するために使用される要求メッセージを開始するプロシージャは、図１２を参照して以下で簡単に記載される。
【０５９１】
図１２は、本願の第５の具体的な実施形態に従う通信方法の略フローチャートである。
【０５９２】
本願の方法では、端末デバイスが、マルチアクセスＰＤＵセッションにおける非３ＧＰＰ側での接続を削除するために、３ＧＰＰアクセス技術を使用することによってＰＤＵセッション変更要求メッセージ又はＰＤＵセッション解放要求メッセージを開始し、それにより、マルチアクセスＰＤＵセッションは、シングルアクセスＰＤＵセッションへと更新される。
【０５９３】
Ｓ８１０．端末デバイスは、要求メッセージを３ＧＰＰ側のＮＧ−ＲＡＮへ送信し、このとき、要求メッセージは、ＰＤＵセッション変更要求メッセージ又はＰＤＵセッション解放要求メッセージであり、メッセージは、非３ＧＰＰ側での接続を削除するために使用される。具体的な実施形態において、ＰＤＵセッション変更要求メッセージは、図３の要求メッセージである。具体的に、要求メッセージは、第１識別子及び任意の削除命令を含む。第１識別子は、削除される非３ＧＰＰアクセスを示し、削除命令は、第１識別子によって示されるアクセス技術側でのセッション接続を削除することを指示する。
【０５９４】
Ｓ８２０．ＮＧ−ＲＡＮは、ＰＤＵセッション変更要求メッセージ又はＰＤＵセッション解放要求メッセージをＡＭＦネットワーク要素へ送信する。
【０５９５】
Ｓ８３０．ＡＭＦネットワーク要素は、ＰＤＵセッション変更要求メッセージ又はＰＤＵセッション解放要求メッセージをＳＭＦネットワーク要素へ送信する。
【０５９６】
Ｓ８４０．ＳＭＦネットワーク要素は、ＰＤＵセッション変更要求メッセージ又はＰＤＵセッション解放要求メッセージに基づいて非３ＧＰＰ側でのセッション接続を削除する。
【０５９７】
ＳＭＦネットワーク要素が要求メッセージを受信し、非３ＧＰＰ側でのセッション接続を削除することは、ＳＭＦネットワーク要素が、Ｎ３ＩＷＦに対して、対応するセッションリソースを削除し、応答メッセージを端末デバイスへ送信するよう指示する必要があることを含む。プロセスは、次のステップを含む。
【０５９８】
方法１：
Ｓ８５０．ＳＭＦネットワーク要素は、第１メッセージをＡＭＦネットワーク要素へ送信する。第１メッセージは、アクセス技術タイプが３ＧＰＰアクセスにセットされることを示す情報と、ＰＤＵセッション変更応答メッセージ又はＰＤＵセッション解放応答メッセージとを含む。
【０５９９】
Ｓ８６０．ＳＭＦネットワーク要素は、第２メッセージをＡＭＦネットワーク要素へ送信し、このとき、第２メッセージは、アクセス技術タイプが非３ＧＰＰにセットされることを示す情報と、Ｎ２リソース解放要求とを含む。Ｎ２リソース解放要求は、ＰＤＵセッションＩＤを含む。Ｎ３ＩＷＦは、ＰＤＵセッションＩＤに基づいて、削除されるべきＰＤＵセッションリソースを決定する。
【０６００】
Ｓ８７０．ＡＭＦネットワーク要素は、第１のＮ２セッション要求メッセージをＮＧ−ＲＡＮへ送信し、このとき、第１のＮ２セッション要求メッセージは、ＰＤＵセッション変更応答メッセージ又はＰＤＵセッション解放応答メッセージを含む。
【０６０１】
任意に、非３ＧＰＰが削除される前に、サービスフローは、非３ＧＰＰを使用することによって伝送され、非３ＧＰＰが削除された後に、サービスフローは、３ＧＰＰを使用することによって伝送される必要がある。この場合に、ＰＤＵセッション変更応答メッセージ又はＰＤＵセッション解放応答メッセージは、サービスフローが３ＧＰＰを使用することによって伝送されるべきであることを示すために、サービスフローのフロー記述情報と３ＧＰＰとの間の対応を含む。
【０６０２】
Ｓ８８０．ＡＭＦネットワーク要素は、第２のＮ２セッション要求メッセージをＮ３ＩＷＦへ送信し、このとき、第２のＮ２セッション要求メッセージは、非３ＧＰＰ側でのセッションリソースを削除するようＮ３ＩＷＦに指示するために、Ｎ２リソース解放要求を運ぶ。Ｎ２リソース解放要求は、ＰＤＵセッションＩＤを含む。Ｎ３ＩＷＦは、ＰＤＵセッションＩＤに基づいて、削除されるべきＰＤＵセッションリソースを決定する。
【０６０３】
方法２：
Ｓ８５０．ＳＭＦネットワーク要素は、第３メッセージをＡＭＦネットワーク要素へ送信する。第３メッセージは、アクセス技術タイプが３ＧＰＰアクセスにセットされることを示す情報とＰＤＵセッション変更応答メッセージ又はＰＤＵセッション解放応答メッセージとの間の対応と、アクセス技術タイプが非３ＧＰＰアクセスにセットされることを示す情報とＮ２リソース解放要求との間の対応とを含む。
【０６０４】
Ｓ８７０．ＡＭＦネットワーク要素が第３メッセージを受信した後、ＡＭＦネットワーク要素は、アクセス技術タイプが３ＧＰＰアクセスにセットされることを示す情報とＰＤＵセッション変更応答メッセージ又はＰＤＵセッション解放応答メッセージとの間の対応に基づいて、ＰＤＵセッション変更応答メッセージ又はＰＤＵセッション解放応答メッセージをＮＧ−ＲＡＮへ送信する。
【０６０５】
Ｓ８８０．ＡＭＦネットワーク要素が第３メッセージを受信した後、ＡＭＦネットワーク要素は、非３ＧＰＰ側でのセッション接続を削除するようＮ３ＩＷＦに指示するために、アクセス技術タイプが非３ＧＰＰアクセスにセットされることを示す情報とＮ２リソース解放要求との間の対応に基づいて、Ｎ２リソース解放要求をＮ３ＩＷＦへ送信する。Ｎ２リソース解放要求は、ＰＤＵセッションＩＤを含む。Ｎ３ＩＷＦは、ＰＤＵセッションＩＤに基づいて、削除されるべきＰＤＵセッションリソースを決定する。
【０６０６】
Ｓ８９０．ＮＧ−ＲＡＮは、非３ＧＰＰが削除されることを端末デバイスに通知するために、ＰＤＵセッション変更応答メッセージ又はＰＤＵセッション解放応答メッセージを端末デバイスへ送信する。
【０６０７】
代替的に、ＰＤＵセッション変更応答メッセージ又はＰＤＵセッション解放応答メッセージは、非３ＧＰＰを使用することによって伝送されるサービスフローが３ＧＰＰを使用することによって伝送されるべきであることを示す。
【０６０８】
Ｓ８９１．ＮＧ−ＲＡＮは、ＮＧ−ＲＡＮがＡＭＦから送信されたＮ２セッション要求メッセージを受信することを識別するために、Ｎ２セッション返答メッセージをＡＭＦへ送信する。
【０６０９】
Ｓ８９２．端末デバイスは、ＰＤＵセッション変更応答メッセージ又はＰＤＵセッション解放応答メッセージの回答メッセージをＳＭＦネットワーク要素へ送信する。
【０６１０】
Ｓ８９３．ＳＭＦネットワーク要素は、マルチアクセスＰＤＵセッションが変更されることを決定するために、セッション変更情報をＵＰＦネットワーク要素へ送信する。
【０６１１】
上記の方法の実施形態に基づいて、本願の実施形態は、図１３を参照してサービスフロー分割方法を提供する。ここでのサービスフローは、ＰＤＵセッション内のサービスフロー、フロー内のサービスフロー、又は新たに追加されたサービスフローである。
【０６１２】
具体的に言えば、この実施形態のサービスフロー分割は、サービスフロー粒度でのパケット粒度フロー分割、ＱｏＳフロー粒度でのパケット粒度フロー分割、又はＰＤＵセッション粒度でのパケット粒度フロー分割であってよい。
【０６１３】
図１３は、本願の第６の具体的な実施形態に従う通信方法の略フローチャートである。データ送信ネットワーク要素１２１０、データ受信ネットワーク要素１２２０、及びステップＳ１２１０乃至Ｓ１２３０が含まれる。
【０６１４】
データ送信ネットワーク要素１２１０は端末デバイスであってよく、データ受信ネットワーク要素１２２０はＵＰＦであってよい。代替的に、データ送信ネットワーク要素１２１０はＵＰＦであってよく、データ受信ネットワーク要素１２２０は端末デバイスであってよい。
【０６１５】
Ｓ１２１０．データ送信ネットワーク要素は、リンクステータスを決定する。
【０６１６】
データ送信ネットワーク要素は、第１リンクのリンクステータス及び／又は第２リンクのリンクステータスを決定する。フロー分割を通じてデータパケットを送信する前に、データ送信ネットワーク要素は最初に、データパケットが送信される必要がある複数のリンクが、送信がフロー分割を通じて実行される状態を満足するかどうかを判定する。
【０６１７】
例えば、データ送信ネットワーク要素は、第１リンクの第１ラウンドトリップ時間（Round  Trip  Time，ＲＴＴ）及び第２リンクの第２ＲＴＴが第１の前もってセットされた条件を満足することを決定する。第１の前もってセットされた条件は、第１ＲＴＴと第２ＲＴＴとの間の差が第１の前もってセットされた閾値以下であることであってよい。第１の前もってセットされた閾値は、０以上の値である。
【０６１８】
他の例として、データ送信ネットワーク要素は、第１リンクの第１リンク遅延及び第２リンクの第２リンク遅延が第２の前もってセットされた条件を満足することを決定する。第２の前もってセットされた条件は、第１リンク遅延と第２リンク遅延との間の差が第２の前もってセットされた閾値以下であることであってよい。第２の前もってセットされた閾値は、０以上の値である。
【０６１９】
具体的に、データ送信ネットワーク要素が、第１ＲＴＴと第２ＲＴＴとの間の差が第１の前もってセットされた閾値以下であることを決定することは、次の通りであってよい：データ送信ネットワーク要素がデータパケットを送信する最初の時点で、第１リンク及び第２リンクで実行される送信においてデータ量は等しく、それから、第１リンク及び第２リンクで実行される送信におけるデータ量は、第１リンク及び第２リンクのＲＴＴが変化して、第１リンク及び第２リンクのＲＴＴ間の差が、第１の前もってセットされた閾値よりも大きくなるか又はそれに近くなるか、あるいは、第１リンク又は第２リンクのＲＴＴの値が、サービスフローに受け入れられる最大のＲＴＴに近くなるまで、別々に増加する。
【０６２０】
第１の前もってセットされた閾値が０にセットされ得るならば、第１ＲＴＴと第２ＲＴＴとの間の差が０に等しい場合に、第１リンク及び第２リンクは、フロー分割を通じてサービスフローを伝送するために使用され得る。
【０６２１】
具体的に、データ送信ネットワーク要素が、第１リンク遅延と第２リンク遅延との間の差が第２の前もってセットされた閾値以下であることを決定することは、次の通りであってよい：データ送信ネットワーク要素がデータパケットを送信する最初の時点で、第１リンク及び第２リンクで実行される送信においてデータ量は等しく、それから、第１リンク及び第２リンクで実行される送信におけるデータ量は、第１リンク及び第２リンクのリンク遅延間の差が、第２の前もってセットされた閾値よりも大きくなるか又はそれに近くなるか、あるいは、第１リンク又は第２リンクのリンク遅延の値が、サービスフローに受け入れられる最大のリンク遅延に近くなるまで、別々に増加する。
【０６２２】
第２の前もってセットされた閾値が０にセットされ得るならば、第１リンク遅延と第２リンク遅延との間の差が０に等しい場合に、第１リンク及び第２リンクは、フロー分割を通じてサービスフローを伝送するために使用され得る。
【０６２３】
Ｓ１２２０．データ送信ネットワーク要素は、データパケットを送信する。
【０６２４】
第１リンクのリンクステータス及び／又は第２リンクのリンクステータスに基づいて、データ送信ネットワーク要素は、第１リンクで第１データパケットを伝送し、第２リンクで第２データパケットを伝送し、このとき、第１データパケット及び第２データパケットは同じサービスフローに属し、第１データパケットは第１ＴＦＣＰヘッダを含み、第１ＴＦＣＰヘッダは第１データパケットのシーケンス番号を含み、第２データパケットは第２ＴＦＣＰヘッダを含み、第２ＴＦＣＰヘッダは第２データパケットのシーケンス番号を含む。
【０６２５】
同じサービスフロー内の異なるデータパケットが異なるリンクで伝送される場合に、データパケットは、サービスフロー内のデータパケットの順位を示すことができる識別情報を運ぶ必要があり、それにより、データ受信ネットワーク要素１２２０は、サービスフローを正確に受信することができる、ことが理解されるべきである。
【０６２６】
具体的に、第１データパケット及び第２データパケットは、同じデータパケットであってよい。この場合に、データ送信ネットワーク要素は、両方のリンクでサービスフローを送信することが理解され得る。サービスフローを送信する方法は、サービスフローが高信頼性要件を伴ったサービスフローである場合に適用されてよい。
【０６２７】
代替的に、図３において、サービスフローが第１サイドリンクで伝送される状態は、サービスフローが第２サイドリンクで伝送される状態に変更される必要がある。サービスフローが第１サイドリンクから第２サイドリンクへ移されるプロセスにおいて、データ送信ネットワーク要素は、両方のサイドリンクでサービスフロー内のデータパケットを送信する必要がある。任意に、サービスフローが第１サイドリンクで伝送される場合に、データ送信ネットワーク要素は、第１サイドリンクで伝送される最後のデータパケットとして使用されるエンドマーカデータパケットを送信する。代替的に、任意に、第１サイドリンク及び第２サイドリンクの両方でのサービスフローの伝送が開始及び／又は終了する場合に、データ送信ネットワーク要素は、第１リンクサイド及び／又は第２リンクサイドでエンドマーカデータパケットを送信し、このとき、エンドマーカデータパケットは、伝送の開始及び／又は終了の指示として使用される。伝送が第１サイドリンクで完了していることをデータ送信ネットワーク要素がいかにして決定するかは、この実施形態において制限されない。エンドマーカデータパケットが送信されてよく、あるいは、データが第１サイドリンクで伝送される継続期間が第１の前もってセットされた継続期間に達する。
【０６２８】
代替的に、図３のフロー分割ポリシーにおける第１リンク及び第２リンクの両方のフロー分割割合が１００％である場合に、端末デバイスは、第１データパケット及び第２データパケットが同じデータパケットであると決定する。
【０６２９】
Ｓ１２３０．データ受信ネットワーク要素は、データパケットをキャッシュに格納する。
【０６３０】
データ受信ネットワーク要素は、第１リンクで、データ送信ネットワーク要素から送信された第１データパケットを受信し、このとき、第１データパケットは、第１ＴＦＣＰヘッダを含み、第１ＴＦＣＰヘッダは、第１データパケットのシーケンス番号を含む。データ受信ネットワーク要素は、第２リンクで、データ送信ネットワーク要素から送信された第２データパケットを受信し、このとき、第２データパケットは、第２ＴＦＣＰヘッダを含み、第２ＴＦＣＰヘッダは、第２データパケットのシーケンス番号を含み、第１データパケット及び第２データパケットは同じサービスフローに属する。データ受信ネットワーク要素は、第１データパケットのシーケンス番号及び第２データパケットのシーケンス番号に基づいて第１データパケット及び／又は第２データパケットをキャッシュに格納する。
【０６３１】
データ送信ネットワーク要素が複数のリンクでデータパケットを送信する場合に、データ受信ネットワーク要素は、データパケットを含むサービスフローを正確に受信するために、サービスフロー内のデータパケットの順位と、データパケットの順序を示す、受信されたデータパケット内の識別情報とに基づいて、受信されたデータパケットを正確にキャッシュに格納する必要がある、ことが理解されるべきである。
【０６３２】
データ受信ネットワーク要素が第１データパケットのシーケンス番号及び第２データパケットのシーケンス番号に基づいて第１データパケット及び／又は第２データパケットをキャッシュに格納することは、データ受信ネットワーク要素が、第１データパケットのシーケンス番号及び第２データパケットのシーケンス番号に基づいて第１データパケット及び第２データパケットをバッファに格納することを含む。
【０６３３】
例えば、データ送信ネットワーク要素がシーケンス番号１及び３を有するデータパケットを第１リンクで送信し、シーケンス番号２及び４を有するデータパケットを第２リンクで送信する場合に、データ受信ネットワーク要素は、第１リンク及び第２リンクで送信されたデータパケットのシーケンス番号に基づいて順番に、シーケンス番号１、２、３及び４を有するデータパケットをキャッシュに格納する。
【０６３４】
任意に、いくつかの実施形態において、データ受信ネットワーク要素が第１データパケットのシーケンス番号及び第２データパケットのシーケンス番号に基づいて第１データパケット及び／又は第２データパケットをキャッシュに格納することは：
バッファが第１データパケット及び／又は第２データパケットを含む場合に、データ受信ネットワーク要素が第１データパケット及び／又は第２データパケットを捨てることを含む。
【０６３５】
例えば、シーケンス番号１を有するデータパケットがバッファに格納されている。データ受信ネットワーク要素がシーケンス番号１を有する第１データパケット及び／又は第２データパケットを受信する場合に、データ受信ネットワーク要素は、その第１データパケット及び／又は第２データパケットを捨てる。
【０６３６】
具体的に、データ受信ネットワーク要素は、バッファの長さをＬにセットするとともに、バッファに格納されているデータパケットの最小シーケンス番号Ｘを保持し、このとき、Ｘは正の整数である。
【０６３７】
任意に、いくつかの実施形態において、データ受信ネットワーク要素が第１データパケットのシーケンス番号及び第２データパケットのシーケンス番号に基づいて第１データパケット及び／又は第２データパケットをキャッシュに格納することは：
第１データパケットのシーケンス番号及び／又は第２データパケットのシーケンス番号がバッファ内のデータパケットの最小シーケンス番号よりも小さい場合に、データ受信ネットワーク要素は、第１データパケット及び／又は第２データパケットを捨てることを含む。
【０６３８】
例えば、バッファに格納されているデータパケットの最小シーケンス番号はＸである。ＭがＸよりも小さいとして、データ受信ネットワーク要素がシーケンス番号Ｍを有する第１データパケット及び／又は第２データパケットを受信する場合に、データ受信ネットワーク要素は、その第１データパケット及び／又は第２データパケットを捨てる。
【０６３９】
第１データパケット及び第２データパケットは、複数のデータパケットであってよく、「第１」及び「第２」は、単に、伝送が第１リンク又は第２リンクで実行されるかどうかを判定するために使用される、ことが理解されるべきである。
【０６４０】
具体的に、データ受信ネットワーク要素は、バッファ内のデータパケットのステータスを決定する。データパケットのステータスは、喪失状態又はキャッシュ状態を含む。
【０６４１】
具体的に、データ受信ネットワーク要素が前もってセットされた継続期間を越えてデータパケットを受信しない場合に、データ受信ネットワーク要素は、データパケットのステータスが喪失状態であると決定する。データ受信ネットワーク要素は、第１リンクのリンク遅延及び／又は第２リンクのリンク遅延に基づいて、前もってセットされた継続期間を決定するか、あるいは、データ受信ネットワーク要素は、第１リンクのラウンドトリップ時間ＲＴＴ及び／又は第２リンクのラウンドトリップ時間に基づいて、前もってセットされた継続期間を決定する。例えば、前もってセットされた継続期間は、第１ＲＲＴの半分の期間にセットされてよい。代替的に、前もってセットされた継続期間は、第２ＲＲＴの半分の期間にセットされてよい。代替的に、前もってセットされた継続期間は、第１ＲＲＴの半分の期間及び第２ＲＲＴの半分の期間のうちの最大値にセットされてよい。
【０６４２】
前もってセットされた継続期間がＬ１であり、第１ＲＲＴがＲＲＴ１であり、第２ＲＲＴがＲＲＴ２であるとすれば、Ｌ１＝ｍａｘ（ＲＴＴ１／２，ＲＴＴ２／２）。
【０６４３】
他の例として、前もってセットされた継続期間は、第１リンクのリンク遅延Ｄ１にセットされてよい。代替的に、前もってセットされた継続期間は、第２リンクの遅延Ｄ２にセットされてよい。代替的に、前もってセットされた継続期間は、２つのリンクの遅延のうちの最大値にセットされてよい。
【０６４４】
前もってセットされた継続期間がＬ１であり、Ｌ＝ｍａｘ（Ｄ１，Ｄ２）が考えられ、このとき、Ｄ１及びＤ２は、第１ＲＲＴ及び第２ＲＲＴに基づいて計算により求められてよく、経験値に基づいて求められてもよく、あるいは、システムによって指定されてもよい。
【０６４５】
具体的に、前もってセットされた継続期間を越える期間は、残存期間であり、残存期間は、現在の時間とデータパケットの推定受信時間との間の差であり、データパケットの推定受信時間は、データパケットの前のデータパケットの受信時間及び／又はデータパケットの次のデータパケットの受信時間に基づいて取得される。
【０６４６】
例えば、データ受信ネットワーク要素は、データパケットの前のデータパケットの受信時点Ｔ１を記録し、かつ／あるいは、データ受信ネットワーク要素は、データパケットの次のデータパケットの受信時点Ｔ２を記録する。
【０６４７】
データ受信ネットワーク要素は、Ｔ１及び／又はＴ２に基づいて計算によりデータパケットの受信時点Ｔ３を得る。例えば、Ｔ３＝Ｔ１＋ｌ、このとき、ｌは、各データパケット伝送で消費される前もってセットされた時間であり、あるいは、Ｔ３＝Ｔ２−ｌ、あるいは、Ｔ１及びＴ２が知られている場合に、Ｔ３＝Ｔ１＋（Ｔ２−Ｔ１）／２又はＴ３＝Ｔ２−（Ｔ２−Ｔ１）／２。
【０６４８】
データ受信ネットワーク要素は、Ｔ３及び現在の時点Ｔ４に基づいて計算によりデータパケットの残存期間Ｌ２を求め、例えば、Ｌ２＝Ｔ４−Ｔ３。
【０６４９】
残存期間Ｌ２が前もってセットされた継続期間Ｌ１以上である場合に、データ受信ネットワーク要素は、データパケットが喪失状態にあると決定する。
【０６５０】
他の例として、データ受信ネットワーク要素は、データパケットの前のデータパケットの受信時間及び／又はデータパケットの次のデータパケットの受信時間に基づいて、前もってセットされた継続期間タイマを開始する。前もってセットされた継続期間タイマが経過した後、データパケットは喪失状態にある。具体的に、データパケットの前のデータパケットの受信時点がＴ１である場合に、データパケットの前もってセットされた継続期間タイマはＴ１で開始される。代替的に、データパケットの次のデータパケットの受信時点がＴ２である場合に、データパケットの前もってセットされた継続期間タイマはＴ２で開始される。代替的に、データパケットの前もってセットされた継続期間タイマは、Ｔ１からＴ２の間の如何なる時点でも開始される。
【０６５１】
他の例として、Ｎが正の整数であるとして、シーケンス番号Ｎを有するデータパケットがデータ受信ネットワーク要素によってバッファに格納されており、シーケンス番号Ｎを有するデータパケットと、シーケンス番号Ｎを有するデータパケットの最初のＮ−１個のデータパケットとが順番に出力される必要がある場合に、Ｎ個のデータパケットの中で３番目のデータパケットが失われているならば、その３番目のデータパケットは、喪失状態にあると見なされる。
【０６５２】
この場合に、３番目のデータパケットの残存期間Ｌ２は前もってセットされた継続期間Ｌ１以下であり、データ受信ネットワーク要素は３番目のデータパケットを受信することをもはや待たない、ことが理解され得る。
【０６５３】
具体的に、データ受信ネットワーク要素がバッファ内のデータパケットを出力することは：
データ受信ネットワーク要素がシーケンス番号Ｙを有するデータパケットを受信し、シーケンス番号Ｙを有するデータパケットをキャッシュに格納し、シーケンス番号がＹよりも小さい全てのデータパケットがバッファ内にある場合に、データ受信ネットワーク要素は、バッファから、シーケンス番号Ｙを有するデータパケットと、シーケンス番号Ｙよりも小さいバッファ内の全てのデータパケットとを出力することを含み、このとき、ＹはＸ以上である。代替的に、シーケンス番号がＹよりも小さい全てのデータパケットのうちの一部が喪失状態にあり、シーケンス番号がＹよりも小さい全てのデータパケットのうちの喪失状態にないデータパケットがバッファ内にある場合に、データ受信ネットワーク要素は、バッファから、シーケンス番号Ｙを有するデータパケットと、シーケンス番号がＹよりも小さい全てのデータパケットのうちの喪失状態にないバッファ内のデータパケットとを出力する。
【０６５４】
更に、データ受信ネットワーク要素は、ＸをＹ＋１に更新する。
【０６５５】
データ受信ネットワーク要素がシーケンス番号Ｙを有するデータパケットを受信し、シーケンス番号がＹよりも小さい全てのデータパケットがバッファ内にある場合に、データ受信ネットワーク要素は、バッファから、シーケンス番号Ｙよりも小さいバッファ内の全てのデータパケットを出力し、このとき、ＹはＸ以上である。代替的に、シーケンス番号がＹよりも小さい全てのデータパケットのうちの一部が喪失状態にあり、シーケンス番号がＹよりも小さい全てのデータパケットのうちの喪失状態にないデータパケットがバッファ内にある場合に、データ受信ネットワーク要素は、バッファから、シーケンス番号がＹよりも小さい全てのデータパケットのうちの喪失状態にないバッファ内のデータパケットを出力する。
【０６５６】
更に、データ受信ネットワーク要素は、ＸをＹに更新する。
【０６５７】
図３乃至図１３を参照して、上記は、単一のデバイスの実行状態及びデバイス間のインタラクションの挙動から、本願の実施形態で提供される通信方法について独立して記載している。図１４乃至図１６を参照して、以下は、本願の実施形態で提供される通信装置について記載する。
【０６５８】
図１４は、通信装置１００の略構造図である。装置１００は、上記の方法の実施形態で記載された方法を実装するよう構成されてよい。詳細については、上記の方法の実施形態における記載を参照されたい。通信装置１００は、チップ、端末デバイス、などであってよい。
【０６５９】
通信装置１００は、１つ以上の処理ユニット１１０を含む。処理ユニット１１０は、汎用プロセッサ、専用プロセッサ、などであってよく、例えば、ベースバンドプロセッサ又は中央演算処理装置であってよい。ベースバンドプロセッサは、通信プロトコル及び通信データを処理するよう構成されてよく、中央演算処理装置は、通信装置（例えば、基地局、端末、又はチップ）を制御し、ソフトウェアプログラムを実行し、かつ、ソフトウェアプログラムのデータを処理するよう構成されてよい。
【０６６０】
通信装置は、信号を出力（送信）するよう構成された送信ユニット１２０を含んでよい。例えば、通信装置はチップであってよく、送信ユニット１２０は、チップの出力回路又は通信インターフェースであってよい。チップは、端末デバイスに適用されてよい。他の例として，通信装置は端末デバイスであってよく、送信ユニット１２０は、トランシーバ、無線周波数チップ、などであってよい。
【０６６１】
通信装置は、信号を入力（受信）するよう構成された受信ユニット１３０を含んでよい。例えば、通信装置はチップであってよく、受信ユニット１３０は、チップの入力回路又は通信インターフェースであってよい。チップは、端末デバイスに適用されてよい。他の例として、通信装置は端末デバイスであってよく、受信ユニット１３０は、トランシーバ、無線周波数チップ、などであってよい。
【０６６２】
通信装置１００は、１つ以上の処理ユニット１１０を含む。１つ以上の処理ユニット１１０は、図３乃至図１３に示されている実施形態における端末デバイスの通信方法を実装してよい。通信装置１００は：
サービスフローを新たに追加又は更新するよう要求する要求メッセージを、第１アクセス技術を使用することによって第１コアネットワーク要素へ送信するよう構成される送信ユニットと、
第１アクセス技術及び／又は第２アクセス技術を使用することによって、第１コアネットワーク要素から要求メッセージの応答メッセージを受信するよう構成される受信ユニットと
を含む。
【０６６３】
送信ユニットは、第２アクセス技術又は、第１アクセス技術及び第２アクセス技術を使用することによって、応答メッセージに基づいてサービスフローを伝送するよう更に構成される。
【０６６４】
可能な設計で、要求メッセージは、第１識別情報と、第２アクセス技術の指示情報とを含み、第１識別情報は、サービスフローを決定するために使用可能である。
【０６６５】
応答メッセージは、第１識別情報と、第２アクセス技術の指示情報を含む。
【０６６６】
代替的に、応答メッセージは、第１識別情報と、第１アクセス技術の指示情報と、第２アクセス技術の指示情報とを含む。
【０６６７】
他の可能な設計では、要求メッセージは、第１識別情報と、第１アクセス技術の指示情報と、第２アクセス技術の指示情報とを有し、第１識別情報は、サービスフローを決定するために使用可能である。
【０６６８】
応答メッセージは、第１識別情報と、第２アクセス技術の指示情報とを含む。
【０６６９】
代替的に、応答メッセージは、第１識別情報と、第１アクセス技術の指示情報と、第２アクセス技術の指示情報とを含む。
【０６７０】
他の可能な設計では、要求メッセージは、第１識別情報と、第１アクセス技術の指示情報とを含み、第１識別情報は、サービスフローを決定するために使用可能である。
【０６７１】
応答メッセージは、第１識別情報と、第２アクセス技術の指示情報とを含む。
【０６７２】
代替的に、応答メッセージは、第１識別情報と、第１アクセス技術の指示情報と、第２アクセス技術の指示情報とを含む。
【０６７３】
他の可能な設計では、要求メッセージは：
第１コアネットワーク要素がサービスフローに対応するアクセス技術を変更することを許可されることを示すために使用可能である第１指示情報を更に含む。
【０６７４】
可能な設計で、第１識別情報は：
サービスフローの記述情報、クオリティ・オブ・サービスフロー識別子ＱＦＩ、又はパケットデータユニットＰＤＵセッション識別子のうちの少なくとも１つを含む。
【０６７５】
可能な設計で、第１アクセス技術の指示情報は、第１アクセスタイプであり、第２アクセス技術の指示情報は、第２アクセスタイプである。
【０６７６】
代替的に、第１アクセス技術の指示情報は、第１アクセスタイプに対応するクオリティ・オブ・サービスＱｏＳ規則であり、第２アクセス技術の指示情報は、第２アクセスタイプに対応するＱｏＳ規則である。
【０６７７】
代替的に、第１アクセス技術の指示情報及び第２アクセス技術の指示情報は、第１アクセスタイプ及び第２アクセスタイプに対応するクオリティ・オブ・サービスＱｏＳ規則である。
【０６７８】
可能な設計で、応答メッセージは、フロー分割規則を含み、処理ユニットは、フロー分割規則に従って、第１アクセス技術及び第２アクセス技術を使用することによって実行される伝送内にあるサービスフローのデータ量を決定するよう構成され、送信ユニットが、第１アクセス技術及び第２アクセス技術を使用することによって、応答メッセージに基づいてサービスフローを伝送することは：
送信ユニットが、第１アクセス技術及び第２アクセス技術を使用することによって、データ量に基づいてサービスフローを伝送することを含む。
【０６７９】
可能な設計で、フロー分割規則は、第１アクセス技術を使用することによって実行される伝送内にあるサービスフローのバンド幅値、及び／又は第２アクセス技術を使用することによって実行される伝送内にあるサービスフローのバンド幅値を含む。
【０６８０】
代替的に、フロー分割規則は、第２アクセス技術を使用することによって実行される伝送内にあるサービスフローのデータ量に対する、第１アクセス技術を使用することによって実行される伝送内にあるサービスフローのデータ量の比、又は第２アクセス技術を使用することによって実行される伝送内にあるサービスフローのバンド幅値に対する、第１アクセス技術を使用することによって実行される伝送内にあるサービスフローのバンド幅値の比を含む。
【０６８１】
図１４に示される通信装置１００は、図３乃至図１３に示される実施形態における端末デバイスの通信方法を実装する。具体的な実施において、通信装置１００は：
マルチアクセスＰＤＵセッションにおいて第２アクセス技術を削除するよう要求する要求メッセージを、第１アクセス技術を使用することによって第１コアネットワーク要素へ送信するよう構成される送信ユニットと、
第１アクセス技術を使用することによって第１コアネットワーク要素から応答メッセージを受信するよう構成される受信ユニットとを含み、応答メッセージは、マルチアクセスＰＤＵセッションにおける第２アクセス技術が成功裏に削除されることを示すために使用可能である。
【０６８２】
可能な設計で、要求メッセージは、削除命令及び第２アクセス技術の指示情報のうちの少なくとも１つを更に含み、削除命令は、マルチアクセスＰＤＵセッションにおいて第２アクセス技術を削除するよう指示し、第２アクセス技術の指示情報は、第２アクセス技術を示すために使用可能である。
【０６８３】
可能な設計で、応答メッセージは、第１識別子及び第１アクセス技術の指示情報を含み、第１識別子は、サービスフローが第１アクセス技術を使用することによって伝送されるべきであることを示すために使用可能であり、第２アクセス技術が削除されていない場合に、サービスフローは、第２アクセス技術を使用することによって伝送されるサービスフローである。
【０６８４】
図１４に示される通信装置１００は、図３乃至図１３に示される実施形態における端末デバイスの通信方法を実装する。具体的な実施において、通信装置１００は：
第３サービスフローを新たに追加又は更新するよう要求するか、あるいは、ＰＤＵセッションを確立するよう要求する要求メッセージを、第１アクセス技術を使用することによって第１コアネットワーク要素へ送信するよう構成される送信ユニットと、
第１アクセス技術及び／又は第２アクセス技術を使用することによって、第１コアネットワーク要素から送信された応答メッセージを受信するよう構成される受信ユニットとを含む。
【０６８５】
送信ユニットは、複数のアクセス技術を使用することによって、応答メッセージに基づいて第３サービスフロー又はＰＤＵセッションを伝送するよう更に構成される。
【０６８６】
可能な設計で、第３識別子は、サービスフローの記述情報、クオリティ・オブ・サービスフロー識別子ＱＦＩ、又はパケットデータユニットＰＤＵセッション識別子のうちの少なくとも１つを含む。
【０６８７】
他の可能な設計では、マルチアクセス伝送指示は、ＴＦＣＰプロトコル指示、ＴＦＣＰプロトコルベースカプセル化指示、又はパケット粒度フロー分割指示である。
【０６８８】
他の可能な設計では、処理ユニットは、ＱＦＩに基づいて、データパケットがＴＦＣＰヘッダを含むことを決定し、あるいは、データパケットが属するＰＤＵセッションに基づいて、データパケットがＴＦＣＰヘッダを含むことを決定し、あるいは、エンドマーカ（end  marker）データパケットに基づいて、エンドマーカデータパケットの後に受信されたデータパケットがＴＦＣＰヘッダを含むことを決定するよう構成される。
【０６８９】
他の可能な設計では、処理ユニットは、ＴＦＣＰパケットヘッダに含まれるシーケンス番号に基づいて、データパケットを順位付けするよう構成される。
【０６９０】
可能な設計で、通信装置１００は、対応する命令を記憶するよう構成された記憶ユニット１４０を更に含んでよい。処理ユニットは、上記の方法の実施形態における端末デバイスの動作を実装するよう記憶ユニット内の命令を実行する。
【０６９１】
図１５は、通信装置２００の略構造図である。装置２００は、上記の方法の実施形態で記載された方法を実装するよう構成されてよい。詳細については、上記の方法の実施形態における記載を参照されたい。通信装置２００は、チップ、アクセスネットワークデバイス、などであってよい。
【０６９２】
通信装置２００は、１つ以上の処理ユニット２１０を含む。処理ユニット２１０は、汎用プロセッサ、専用プロセッサ、などであってよく、例えば、ベースバンドプロセッサ又は中央演算処理装置であってよい。ベースバンドプロセッサは、通信プロトコル及び通信データを処理するよう構成されてよく、中央演算処理装置は、通信装置（例えば、基地局、端末、又はチップ）を制御し、ソフトウェアプログラムを実行し、かつ、ソフトウェアプログラムのデータを処理するよう構成されてよい。
【０６９３】
通信装置は、信号を出力（送信）するよう構成された送信ユニット２２０を含んでよい。例えば、通信装置はチップであってよく、送信ユニット２２０は、チップの出力回路又は通信インターフェースであってよい。チップは、アクセスネットワークデバイスに適用されてよい。他の例として，通信装置はアクセスネットワークデバイスであってよく、送信ユニット２２０は、トランシーバ、無線周波数チップ、などであってよい。
【０６９４】
通信装置は、信号を入力（受信）するよう構成された受信ユニット２３０を含んでよい。例えば、通信装置はチップであってよく、送信ユニット１２０は、チップの入力回路又は通信インターフェースであってよい。チップは、アクセスネットワークデバイスに適用されてよい。他の例として、通信装置はアクセスネットワークデバイスであってよく、受信ユニット２３０は、トランシーバ、無線周波数チップ、などであってよい。
【０６９５】
通信装置２００は、１つ以上の処理ユニット２１０を含む。１つ以上の処理ユニット２１０は、図３乃至図１３に示されている実施形態におけるアクセスネットワークデバイスの通信方法を実装してよい。通信装置２００は：
アクセスネットワークデバイスのデータ伝送ステータスを示すために使用可能であるネットワークステータス情報を第１コアネットワーク要素へ送信するよう構成される送信ユニットと、
第１コアネットワーク要素から、アクセスネットワークデバイスへ送信される、ネットワークステータス情報に対応するクオリティ・オブ・サービスＱｏＳプロファイルを含む指示情報を受信するよう構成される受信ユニットと、
指示情報に基づいてＱｏＳプロファイルを更新するよう構成される処理ユニットとを含む。
【０６９６】
可能な設計で、ネットワークステータス情報は、第１アクセスネットワークデバイスのペイロード、バンド幅、遅延、パケット損失レート、又は信号強度のうちの少なくとも１つを含む。
【０６９７】
可能な設計で、指示情報は、第１識別子及びアクセス技術の指示情報を含み、アクセス技術の指示情報によって示されるアクセス技術を使用することによってサービスフローが伝送されるべきであることを示すために使用可能であり、第１識別子は、サービスフローを決定するために使用可能である。
【０６９８】
図１５に示される通信装置２００は、図３乃至図１３に示される実施形態におけるアクセスネットワークデバイスの通信方法を実装してよい。具体的な実施において、通信装置２００は：
端末デバイスから送信された第１データパケットを受信するよう構成され、第１データパケットのパケットヘッダは第５識別子を運び、第５識別子は、第１データパケットが複数のアクセス技術を使用することによってフロー分割をサポートすることを示すために使用可能である、受信ユニットと、
第２データパケットを第１コアネットワーク要素へ送信するよう構成され、第２データパケットのパケットヘッダは第６識別子を含み、第６識別子は、第２データパケットが複数のアクセス技術を使用することによってフロー分割をサポートすることを示すために使用可能であり、第２データパケットは、第２データパケットのデータコンテンツを含む、送信ユニットとを含む。
【０６９９】
可能な設計で、第５識別子又は第６識別子が、データパケットが複数のアクセス技術を使用することによってフロー分割をサポートすることを示すために使用可能であることは、第５識別子又は第６識別子が、データパケットがＴＦＣＰプロトコルをサポートすること、又はデータパケットがＴＦＣＰパケットヘッダ又はデータパケットのシーケンス番号を含むことを示すために使用可能であることを含む。
【０７００】
他の可能な設計では、第１コアネットワーク要素が第６識別子に基づいてデータパケットを取得することは、第６識別子に基づいて、第１コアネットワーク要素がＴＦＣＰパケットヘッダをパースし、又はデータパケットを順位付けすることを含む。
【０７０１】
可能な設計で、通信装置２００は、対応する命令を記憶するよう構成された記憶ユニット２４０を更に含んでよい。処理ユニットは、上記の方法の実施形態におけるアクセスネットワークデバイスの動作を実装するよう記憶ユニット内の命令を実行する。
【０７０２】
図１６は、通信装置３００の略構造図である。装置３００は、上記の方法の実施形態で記載された方法を実装するよう構成されてよい。詳細については、上記の方法の実施形態における記載を参照されたい。通信装置３００は、チップ、コアネットワークデバイス、などであってよい。
【０７０３】
通信装置３００は、１つ以上の処理ユニット３１０を含む。処理ユニット３１０は、汎用プロセッサ、専用プロセッサ、などであってよい。中央演算処理装置は、通信装置（例えば、基地局、端末、又はチップ）を制御し、ソフトウェアプログラムを実行し、かつ、ソフトウェアプログラムのデータを処理するよう構成されてよい。
【０７０４】
通信装置は、信号を出力（送信）するよう構成された送信ユニット３２０を含んでよい。例えば、通信装置はチップであってよく、送信ユニット３２０は、チップの出力回路又は通信インターフェースであってよい。チップは、コアネットワークデバイスに適用されてよい。他の例として，通信装置はコアネットワークデバイスであってよく、送信ユニット３２０は、トランシーバ、無線周波数チップ、などであってよい。
【０７０５】
通信装置は、信号を入力（受信）するよう構成された受信ユニット３３０を含んでよい。例えば、通信装置はチップであってよく、受信ユニット３３０は、チップの入力回路又は通信インターフェースであってよい。チップは、コアネットワークデバイスに適用されてよい。他の例として、通信装置はコアネットワークデバイスであってよく、受信ユニット３３０は、トランシーバ、無線周波数チップ、などであってよい。
【０７０６】
通信装置３００は、１つ以上の処理ユニット３１０を含む。１つ以上の処理ユニット３１０は、図３乃至図１３に示されている実施形態におけるコアネットワーク内の第１コアネットワーク要素の通信方法を実装してよい。通信装置３００は：
第１アクセス技術を使用することによって端末デバイスから、サービスフローを新たに追加又は更新するよう要求する要求メッセージを受信するよう構成される受信ユニットと、
要求メッセージの応答メッセージを、第１アクセス技術及び／又は第２アクセス技術を使用することによって端末デバイスへ送信するよう構成される送信ユニットと
を含む。
【０７０７】
応答メッセージは、第２アクセス技術又は、第１アクセス技術及び第２アクセス技術を使用することによってサービスフローを伝送するよう端末デバイスに指示する。
【０７０８】
可能な設計で、要求メッセージは、第１識別情報と、第２アクセス技術の指示情報とを含み、第１識別情報は、サービスフローを決定するために使用可能である。
【０７０９】
応答メッセージは、第１識別情報と、第２アクセス技術の前記指示情報を含む。
【０７１０】
代替的に、応答メッセージは、第１識別情報と、第１アクセス技術の指示情報と、第２アクセス技術の指示情報とを含む。
【０７１１】
他の可能な設計では、要求メッセージは、第１識別情報と、第１アクセス技術の指示情報と、第２アクセス技術の指示情報とを含み、第１識別情報は、サービスフローを決定するために使用可能である。
【０７１２】
応答メッセージは、第１識別情報と、第２アクセス技術の指示情報とを含む。
【０７１３】
代替的に、応答メッセージは、第１識別情報と、第１アクセス技術の指示情報と、第２アクセス技術の指示情報とを含む。
【０７１４】
他の可能な設計では、要求メッセージは、第１識別情報と、第１アクセス技術の指示情報とを含み、第１識別情報は、サービスフローを決定するために使用可能である。
【０７１５】
応答メッセージは、第１識別情報と、第２アクセス技術の指示情報とを含む。
【０７１６】
代替的に、応答メッセージは、第１識別情報と、第１アクセス技術の指示情報と、第２アクセス技術の指示情報とを含む。
【０７１７】
他の可能な設計では、要求メッセージは：
第１コアネットワーク要素がサービスフローに対応するアクセス技術を変更することを許可されることを示すために使用可能である第１指示情報を更に含む。
【０７１８】
可能な設計で、第１識別情報は：
サービスフローの記述情報、クオリティ・オブ・サービスフロー識別子ＱＦＩ、又はパケットデータユニットＰＤＵセッション識別子のうちの少なくとも１つを含む。
【０７１９】
可能な設計で、第１アクセス技術の指示情報は、第１アクセスタイプであり、第２アクセス技術の前記指示情報は、第２アクセスタイプである。
【０７２０】
代替的に、第１アクセス技術の指示情報は、第１アクセスタイプに対応するクオリティ・オブ・サービスＱｏＳ規則であり、第２アクセス技術の指示情報は、第２アクセスタイプに対応するＱｏＳ規則である。
【０７２１】
代替的に、第１アクセス技術の指示情報及び第２アクセス技術の指示情報は、第１アクセスタイプ及び第２アクセスタイプに対応するクオリティ・オブ・サービスＱｏＳ規則である。
【０７２２】
可能な設計で、応答メッセージは、フロー分割規則を含み、端末デバイスは、フロー分割規則に従って、第１アクセス技術及び第２アクセス技術を使用することによって実行される伝送内にあるサービスフローのデータ量を決定する。
【０７２３】
端末が、第１アクセス技術及び第２アクセス技術を使用することによって、応答メッセージに基づいてサービスフローを伝送することは：
端末デバイスが、第１アクセス技術及び第２アクセス技術を使用することによって、データ量に基づいてサービスフローを伝送することを含む。
【０７２４】
可能な設計で、フロー分割規則は、第１アクセス技術を使用することによって実行される伝送内にあるサービスフローのデータ量、及び／又は第２アクセス技術を使用することによって実行される伝送内にあるサービスフローのデータ量を含む。
【０７２５】
代替的に、フロー分割規則は、第１アクセス技術を使用することによって実行される伝送内にあるサービスフローのバンド幅値、及び／又は第２アクセス技術を使用することによって実行される伝送内にあるサービスフローのバンド幅値を含む。
【０７２６】
代替的に、フロー分割規則は、第２アクセス技術を使用することによって実行される伝送内にあるサービスフローのデータ量に対する、第１アクセス技術を使用することによって実行される伝送内にあるサービスフローのデータ量の比、又は第２アクセス技術を使用することによって実行される伝送内にあるサービスフローのバンド幅値に対する、第１アクセス技術を使用することによって実行される伝送内にあるサービスフローのバンド幅値の比を含む。
【０７２７】
処理ユニット３１０は、サービスフローのポリシー情報を取得するよう更に構成される。
【０７２８】
送信ユニットは、要求メッセージの応答メッセージを、第１コアネットワーク要素及び／又は第２アクセス技術を使用することによって端末デバイスへ送信するよう構成される。
【０７２９】
送信ユニットは、ポリシー情報に基づいて、要求メッセージの応答メッセージを、第１コアネットワーク要素及び／又は第２アクセス技術を使用することによって端末デバイスへ送信する。
【０７３０】
可能な設計で、ポリシー情報は：
第１アクセス技術を使用することによって実行される伝送内にあるサービスフローのデータ量、及び／又は第２アクセス技術を使用することによって実行される伝送内にあるサービスフローのデータ量、あるいは、
第１アクセス技術を使用することによって実行される伝送内にあるサービスフローのバンド幅値、及び／又は第２アクセス技術を使用することによって実行される伝送内にあるサービスフローのバンド幅値、あるいは、
第２アクセス技術を使用することによって実行される伝送内にあるサービスフローのデータ量に対する、第１アクセス技術を使用することによって実行される伝送内にあるサービスフローのデータ量の比、又は第２アクセス技術を使用することによって実行される伝送内にあるサービスフローのバンド幅値に対する、第１アクセス技術を使用することによって実行される伝送内にある前記サービスフローのバンド幅値の比
を含む。
【０７３１】
可能な設計で、サービスフローが第２アクセス技術を使用することによって伝送されることは：
送信ユニットが、第２指示情報を、第２アクセス技術に対応する第２アクセスネットワークデバイスへ送信するよう構成され、第２指示情報は、ＱｏＳプロファイルを含み、ＱｏＳプロファイルは、サービスフローに対応するＱｏＳパラメータを含む、ことを含む。
【０７３２】
他の可能な設計では、サービスフローが第１アクセス技術及び第２アクセス技術を使用することによって伝送されることは：
送信ユニットが、第３指示情報を、第１アクセス技術に対応する第１アクセスネットワークデバイスへ送信するよう構成され、第３指示情報は、ＱｏＳプロファイルを含み、ＱｏＳプロファイルは、サービスフローに対応するＱｏＳパラメータを含み、
送信ユニットが、第２指示情報を、第２アクセス技術に対応する第２アクセスネットワークデバイスへ送信するよう構成され、第２指示情報は、ＱｏＳプロファイルを含み、ＱｏＳプロファイルは、サービスフローに対応するＱｏＳパラメータを含む、ことを含む。
【０７３３】
可能な設計で、送信ユニットが、第２指示情報を、第２アクセス技術に対応する第２アクセスネットワークデバイスへ送信することは：
送信ユニットが、第２メッセージを第２コアネットワーク要素へ送信するよう構成されることを含み、第２メッセージは、第２アクセス技術の指示情報と、第２指示情報とを有し、第２アクセス技術の指示情報は、第２指示情報を、第２アクセス技術に対応する第２アクセスネットワークデバイスへ送信することを示す。
【０７３４】
可能な設計で、送信ユニットが、第２指示情報を、第２アクセス技術に対応する第２アクセスネットワークデバイスへ送信することは：
送信ユニットが、第３メッセージを第２コアネットワーク要素へ送信するよう構成され、第３メッセージは、第３指示情報と、第１アクセス技術の指示情報と、第２指示情報と、第２アクセス技術の指示情報とを含み、
第３メッセージ内にある第２指示情報及び第２アクセス技術の指示情報が、第２指示情報を、第２アクセス技術に対応する第２アクセスネットワークデバイスへ送信することを示す、ことを含む。
【０７３５】
可能な設計で、送信ユニットが、第３指示情報を、第１アクセス技術に対応する第１アクセスネットワークデバイスへ送信することは：
送信ユニットが、第１メッセージを第２コアネットワーク要素へ送信するよう構成され、第１メッセージは、第１アクセス技術の指示情報と、第３指示情報とを含み、第１アクセス技術の指示情報は、第３指示情報を、第１アクセス技術に対応する第１アクセスネットワークデバイスへ送信することを示す、ことを含む。
【０７３６】
可能な設計で、送信ユニットが、第３指示情報を、第１アクセス技術に対応する第１アクセスネットワークデバイスへ送信することは：
送信ユニットが、第３メッセージを第２コアネットワーク要素へ送信するよう構成され、第３メッセージは、第３指示情報と、第１アクセス技術の指示情報と、第２指示情報と、第２アクセス技術の指示情報とを含み、
第３メッセージ内にある第３指示情報及び第１アクセス技術の指示情報が、第３指示情報を、第１アクセス技術に対応する第１アクセスネットワークデバイスへ送信することを示す、ことを含む。
【０７３７】
可能な設計で、第１メッセージ、第２メッセージ、及び第３メッセージのうちの少なくとも１つは、応答メッセージを含む。
【０７３８】
図１６に示される通信装置３００は、図３乃至図１３に示される実施形態におけるコアネットワーク内の第１コアネットワーク要素の通信方法を実装してよい。具体的な実施において、通信装置３００は：
第１アクセス技術を使用することによって端末デバイスから、マルチアクセスＰＤＵセッションにおいて第２アクセス技術を削除するよう要求する要求メッセージを受信するよう構成される受信ユニットと、
応答メッセージを、第１アクセス技術を使用することによって端末デバイスへ送信するよう構成される送信ユニットとを含み、
応答メッセージは、マルチアクセスＰＤＵセッションにおける第２アクセス技術が成功裏に削除されることを示すために使用可能である。
【０７３９】
可能な設計で、要求メッセージは、削除命令及び第２アクセス技術の指示情報のうちの少なくとも１つを更に含み、削除命令は、マルチアクセスＰＤＵセッションにおいて第２アクセス技術を削除するよう指示し、第２アクセス技術の指示情報は、第２アクセス技術を示すために使用可能である。
【０７４０】
可能な設計で、応答メッセージは、第１識別子及び第１アクセス技術の指示情報を含み、第１識別子は、サービスフローが第１アクセス技術を使用することによって伝送されるべきであることを示すために使用可能であり、第２アクセス技術が削除されていない場合に、サービスフローは、第２アクセス技術を使用することによって伝送されるサービスフローである。
【０７４１】
図１６に示される通信装置３００は、図３乃至図１３に示される実施形態におけるコアネットワーク内の第１コアネットワーク要素の通信方法を実装してよい。具体的な実施において、通信装置３００は：
第１アクセス技術を使用することによって第１アクセスネットワークデバイスからネットワークステータス情報を受信するよう構成される受信ユニットと、
ネットワークステータス情報に基づいて、第１アクセス技術に対応するＱｏＳプロファイルを設定するよう構成される処理ユニットと、
第１アクセス技術に対応するＱｏＳプロファイルを更新することを第１アクセスネットワークデバイスに示す第４指示情報を、第１アクセス技術を使用することによって第１アクセスネットワークデバイスへ送信するよう構成される送信ユニットとを含む。
【０７４２】
可能な設計で、ネットワークステータス情報は、第１アクセスネットワークデバイスのペイロード、バンド幅、遅延、パケット損失レート、又は信号強度のうちの少なくとも１つを含む。
【０７４３】
図１６に示される通信装置３００は、図３乃至図１３に示される実施形態におけるコアネットワーク内の第１コアネットワーク要素の通信方法を実装してよい。具体的な実施において、通信装置３００は：
第１アクセス技術を使用することによって端末デバイスから、第３サービスフローを新たに追加又は更新するよう要求するか、あるいは、ＰＤＵセッションを確立するよう要求する要求メッセージを受信するよう構成される受信ユニットと、
応答メッセージを、第１アクセス技術及び／又は第２アクセス技術を使用することによって端末デバイスへ送信するよう構成される送信ユニットとを含み、
応答メッセージは、第３サービスフロー又はＰＤＵセッションが複数のアクセス技術を使用することによる伝送を許すことを示すために使用可能である。
【０７４４】
可能な設計で、要求メッセージ又は応答メッセージは、第３識別子及びマルチアクセス技術ベース伝送指示を更に含み、マルチアクセス技術ベース伝送指示は、端末デバイスが第３識別子に基づいて決定される第３サービスフロー又はＰＤＵセッションに対してマルチアクセス技術ベース伝送又はＴＦＣＰプロトコルベースカプセル化を実行するよう要求することを示すために使用可能である。
【０７４５】
可能な設計で、第３識別子は、サービスフローの記述情報、クオリティ・オブ・サービスフロー識別子ＱＦＩ、又はＰＤＵセッション識別子のうちの少なくとも１つを含む。
【０７４６】
可能な設計で、マルチアクセス伝送指示は、ＴＦＣＰプロトコル指示、ＴＦＣＰプロトコルベースカプセル化指示、又はパケット粒度フロー分割指示である。
【０７４７】
可能な設計で、送信ユニットは、第４識別子及びマルチアクセス技術ベース伝送指示をユーザプレーンネットワーク要素へ送信するよう構成される。
【０７４８】
可能な設計で、第４識別子は、サービスフローの記述情報、クオリティ・オブ・サービスフロー識別子ＱＦＩ、ＰＤＵセッション識別子、又はＮ４セッション識別子のうちの少なくとも１つである。
【０７４９】
可能な設計で、ＱＦＩは、端末デバイスによって、データパケットがＴＦＣＰヘッダを含むことを決定するために使用され、あるいは、トンネル識別子は、端末デバイスによって、ＰＤＵセッション内のデータパケットがＴＦＣＰヘッダを含むことを決定するために使用され、あるいは、エンドマーカ（end  marker）データパケットは、端末デバイスによって、エンドマーカデータパケットの後に受信されたデータパケットがＴＦＣＰヘッダを含むことを決定するために使用される。
【０７５０】
可能な設計で、ＴＦＣＰパケットヘッダに含まれるシーケンス番号は、データパケットを順位付けするために使用される。
【０７５１】
可能な設計で、通信装置３００は、対応する命令を記憶するよう構成された記憶ユニット３４０を更に含んでよい。処理ユニットは、上記の方法の実施形態における第１コアネットワーク要素の動作を実装するよう記憶ユニット内の命令を実行する。
【０７５２】
図１７は、通信装置４００の略構造図である。装置４００は、上記の方法の実施形態で記載された方法を実装するよう構成されてよい。詳細については、上記の方法の実施形態における記載を参照されたい。通信装置４００は、チップ、データ送信ネットワーク要素、などであってよい。
【０７５３】
通信装置４００は、１つ以上の処理ユニット４１０を含む。処理ユニット４１０は、汎用プロセッサ、専用プロセッサ、などであってよい。中央演算処理装置は、通信装置（例えば、端末デバイス、ＵＰＦ、又はＳＭＦ）を制御し、ソフトウェアプログラムを実行し、かつ、ソフトウェアプログラムのデータを処理するよう構成されてよい。
【０７５４】
通信装置は、信号を出力（送信）するよう構成された送信ユニット４２０を含んでよい。例えば、通信装置はチップであってよく、送信ユニット４２０は、チップの出力回路又は通信インターフェースであってよい。チップは、コアネットワークデバイスに適用されてよい。他の例として，通信装置は、端末デバイス、ＵＰＦ、又はＳＭＦであってよく、送信ユニット４２０は、トランシーバ、無線周波数チップ、などであってよい。
【０７５５】
通信装置は、信号を入力（受信）するよう構成された受信ユニット４３０を含んでよい。例えば、通信装置はチップであってよく、受信ユニット４３０は、チップの入力回路又は通信インターフェースであってよい。チップは、コアネットワークデバイスに適用されてよい。他の例として、通信装置は端末デバイス、ＵＰＦ、又はＳＭＦであってよく、受信ユニット４３０は、トランシーバ、無線周波数チップ、などであってよい。
【０７５６】
通信装置４００は、１つ以上の処理ユニット４１０を含む。１つ以上の処理ユニット４１０は、図４及び図１３に示されている実施形態におけるデータ送信ネットワーク要素の通信方法を実装してよい。通信装置４００は：
データ受信ネットワーク要素に対して、データが複数のリンクで伝送されるべきであることを示すパラメータを送信するよう構成される送信ユニットと、
データが複数のリンクで伝送されるべきであることを示す、データ受信ネットワーク要素から送信される肯定応答情報を受信するよう構成される受信ユニットとを含む。
【０７５７】
送信ユニットが、データ受信ネットワーク要素に対して、データが複数のリンクで伝送されるべきであることを示すパラメータを送信することは、具体的に：
送信ユニットが、データ受信ネットワーク要素に対して制御プレーンを使用することによって、データが複数のリンクで伝送されるべきであることを示すパラメータを送信するか、あるいは、
送信ユニットが、データ受信ネットワーク要素に対してユーザプレーンを使用することによって、データが複数のリンクで伝送されるべきであることを示すパラメータを送信する、ことを含む。
【０７５８】
可能な設計で、データが複数のリンクで伝送されるべきであることを示すパラメータは、データの識別情報と、データが複数のリンクで伝送されるべきであることを示す指示情報とを含む。
【０７５９】
可能な設計で、データが複数のリンクで伝送されるべきであることを示すパラメータは、第１ウィンドウ長さを更に含み、第１ウィンドウ長さは、データ送信ネットワーク要素の第２ウィンドウ長さを示すために使用可能である。データ送信ネットワーク要素は端末デバイスであり、データ受信ネットワーク要素はユーザプレーンネットワーク要素であり、あるいは、データ送信ネットワーク要素はユーザプレーンネットワーク要素であり、データ受信ネットワーク要素は端末デバイスであり、あるいは、データ送信ネットワーク要素はセッション管理機能ネットワーク要素であり、データ受信ネットワーク要素は端末デバイス又はユーザプレーンネットワーク要素である。
【０７６０】
可能な設計で、データの識別情報は、サービスフローの記述情報、クオリティ・オブ・サービスフロー識別子ＱＦＩ、パケットデータユニットＰＤＵセッション識別子、又はＮ４セッション識別子のうちの少なくとも１つを含む。
【０７６１】
可能な設計で、指示情報は、トラフィックフロー制御プロトコル（ＴＦＣＰ）指示、ＴＦＣＰベースカプセル化指示、パケット粒度フロー分割指示、コンバージドトンネル指示、コンバージドトンネル識別子、又はネットワーク要素インターネットプロトコル（ＩＰ）アドレスのうちの少なくとも１つを含み、コンバージドトンネル指示は、コンバージドトンネルがサービスフローのために確立されることを示すために使用可能であり、ネットワーク要素ＩＰアドレスは、データ送信ネットワーク要素のＩＰアドレス及び／又はデータ受信ネットワーク要素のＩＰアドレスである。
【０７６２】
可能な設計で、データが複数のリンクで伝送されるべきであることを示す肯定応答情報は、データが複数のリンクで伝送されるべきであることを示すパラメータを含み、あるいは、データが複数のリンクで伝送されるべきであることを示す肯定応答情報は、肯定応答メッセージを含む。
【０７６３】
可能な設計で、データ送信ネットワーク要素は、端末デバイスであり、データ受信ネットワーク要素は、ユーザプレーンネットワーク要素であり、あるいは、データ送信ネットワーク要素は、ユーザプレーンネットワーク要素であり、データ受信ネットワーク要素は、端末デバイスであり、あるいは、データ送信ネットワーク要素は、セッション管理機能ネットワーク要素であり、データ受信ネットワーク要素は、端末デバイス及びユーザプレーンネットワーク要素である。
【０７６４】
可能な設計で、複数のリンクは、３ＧＰＰリンク及び非３ＧＰＰリンクを含み、あるいは、複数のリンクは、具体的に、異なるアクセス技術が使用されるリンクであって、異なるアクセスネットワークデバイスへ接続されるリンクを含み、あるいは、複数のリンクは、具体的に、同じアクセス技術が使用されるリンクであって、異なるアクセスネットワークデバイスへ接続されるリンクを含む。
【０７６５】
図１７に示される通信装置３００は、図４及び図１３に示されている実施形態におけるデータ送信ネットワーク要素の通信方法を実装してよい。具体的な実施において、詳細は、次の通りである：
処理ユニットは、第１リンクのリンクステータス及び／又は第２リンクのリンクステータスを決定するよう更に構成される。
【０７６６】
送信ユニットは、第１リンクのリンクステータス及び／又は第２リンクのリンクステータスに基づいて、第１リンクで第１データパケットを伝送し、第２リンクで第２データパケットを伝送するよう更に構成され、第１データパケット及び第２データパケットは同じサービスフローに属し、第１データパケットは第１ＴＦＣＰヘッダを含み、第１ＴＦＣＰヘッダは、第１データパケットのシーケンス番号を含み、第２データパケットは第２ＴＦＣＰヘッダを含み、第２ＴＦＣＰヘッダは、第２データパケットのシーケンス番号を含む。
【０７６７】
処理ユニットは第１リンクの第１ラウンドトリップ時間ＲＴＴ及び第２リンクの第２ＲＴＴが第１の前もってセットされた条件を満足することを決定するか、あるいは、第１リンクの遅延及び第２リンクの遅延が第２の前もってセットされた条件を満足することを決定するよう更に構成される。
【０７６８】
可能な設計で、第１の前もってセットされた条件は、第１ＲＴＴと第２ＲＴＴとの間の差が第１の前もってセットされた閾値以下であることを含み、あるいは、第２の前もってセットされた条件は、第１リンクの遅延と第２リンクの遅延との間の差が第２の前もってセットされた閾値以下であることを含む。
【０７６９】
可能な設計で、第１データパケット及び第２データパケットは、同じデータパケットである。
【０７７０】
可能な設計で、フロー分割ポリシーにおける第１リンク及び第２リンクの両方のフロー分割割合が１００％である場合に、処理ユニットは、第１データパケット及び第２データパケットが同じデータパケットであると決定する。
【０７７１】
図１８は、通信装置５００の略構造図である。装置５００は、上記の方法の実施形態で記載された方法を実装するよう構成されてよい。詳細については、上記の方法の実施形態における記載を参照されたい。通信装置５００は、チップ、データ受信ネットワーク要素、などであってよい。
【０７７２】
通信装置５００は、１つ以上の処理ユニット５１０を含む。処理ユニット５１０は、汎用プロセッサ、専用プロセッサ、などであってよい。中央演算処理装置は、通信装置（例えば、端末デバイス、ＵＰＦ、又はＳＭＦ）を制御し、ソフトウェアプログラムを実行し、かつ、ソフトウェアプログラムのデータを処理するよう構成されてよい。
【０７７３】
通信装置は、信号を出力（送信）するよう構成された送信ユニット５２０を含んでよい。例えば、通信装置はチップであってよく、送信ユニット５２０は、チップの出力回路又は通信インターフェースであってよい。チップは、コアネットワークデバイスに適用されてよい。他の例として，通信装置は、端末デバイス、ＵＰＦ、又はＳＭＦであってよく、送信ユニット５２０は、トランシーバ、無線周波数チップ、などであってよい。
【０７７４】
通信装置は、信号を入力（受信）するよう構成された受信ユニット５３０を含んでよい。例えば、通信装置はチップであってよく、受信ユニット５３０は、チップの入力回路又は通信インターフェースであってよい。チップは、コアネットワークデバイスに適用されてよい。他の例として、通信装置は端末デバイス、ＵＰＦ、又はＳＭＦであってよく、受信ユニット５３０は、トランシーバ、無線周波数チップ、などであってよい。
【０７７５】
通信装置５００は、１つ以上の処理ユニット５１０を含む。１つ以上の処理ユニット５１０は、図４及び図１３に示されている実施形態におけるデータ受信ネットワーク要素の通信方法を実装してよい。通信装置５００は：
第１リンクで、データ送信ネットワーク要素から送信された第１データパケットを受信するよう構成され、第１データパケットは第１ＴＦＣＰヘッダを含み、第１ＴＦＣＰヘッダは、第１データパケットのシーケンス番号を含む、よう構成される受信ユニットであり、受信ユニットは、第２リンクで、データ送信ネットワーク要素から送信された第２データパケットを受信するよう更に構成され、第２データパケットは第２ＴＦＣＰヘッダを含み、第２ＴＦＣＰヘッダは、第２データパケットのシーケンス番号を含み、第１データパケット及び第２データパケットは同じサービスフローに属する、受信ユニットと、
第１データパケットのシーケンス番号及び第２データパケットのシーケンス番号に基づいて第１データパケット及び／又は第２データパケットをキャッシュに格納するよう構成される処理ユニットとを含む。
【０７７６】
可能な設計で、処理ユニットが、第１データパケットのシーケンス番号及び第２データパケットのシーケンス番号に基づいて第１データパケット及び／又は第２データパケットをキャッシュに格納するよう構成されることは：
処理ユニットが、第１データパケットのシーケンス番号及び第２データパケットのシーケンス番号に基づいて第１データパケット及び第２データパケットをバッファに格納するよう構成される、ことを含む。
【０７７７】
処理ユニットは、バッファ内のデータパケットのステータスを決定するよう更に構成される。可能な設計で、データパケットのステータスは、喪失状態を含み、データ受信ネットワーク要素が前もってセットされた継続期間を越えてデータパケットを受信しない場合に、処理ユニットは、データパケットのステータスが喪失状態であると決定する。
【０７７８】
処理ユニットは、第１リンクのリンク遅延及び／又は第２リンクのリンク遅延に基づいて、前もってセットされた継続期間を決定するか、あるいは。第１リンクのラウンドトリップ時間ＲＴＴ及び／又は第２リンクのラウンドトリップ時間に基づいて、前もってセットされた継続期間を決定するよう更に構成される。
【０７７９】
可能な設計で、前もってセットされた継続期間を越える期間は、残存期間であり、残存期間は、現在の時間とデータパケットの推定受信時間との間の差であり、データパケットの推定受信時間は、データパケットの前のデータパケットの受信時間及び／又はデータパケットの次のデータパケットの受信時間に基づいて取得される。
【０７８０】
処理ユニットが、第１データパケットのシーケンス番号及び第２データパケットのシーケンス番号に基づいて第１データパケット及び／又は第２データパケットをキャッシュに格納することは：
バッファが第１データパケット及び／又は第２データパケットを含む場合に、受信ユニットが、第１データパケット及び／又は第２データパケットを捨てること、あるいは、
第１データパケットのシーケンス番号及び／又は第２データパケットのシーケンス番号がバッファ内のデータパケットの最小シーケンス番号より小さい場合に、受信ユニットが、第１データパケット及び／又は第２データパケットを捨てること、を含む。
【０７８１】
本願の実施形態において、処理ユニットは、中央演算処理装置（central  processing  unit，ＣＰＵ）であってよいことが理解されるべきである。代替的に、処理ユニットは、他の汎用プロセッサ、デジタル信号プロセッサ（digital  signal  processor，ＤＳＰ）、特定用途向け集積回路（application  specific  integrated  circuit，ＡＳＩＣ）、フィールド・プログラマブル・ゲート・アレイ（field  programmable  gate  array，ＦＰＧＡ）若しくは他のプログラム可能な論理デバイス、ディスクリートゲート若しくはトランジスタ論理デバイス、ディスクリートハードウェア部品、などであってもよい。汎用プロセッサはマイクロプロセッサであってよく、あるいは、プロセッサは如何なる従来のプロセッサなどであってもよい。
【０７８２】
本願の実施形態において、記憶ユニットは、揮発性メモリ又は不揮発性メモリであってよく、あるいは、揮発性メモリ及び不揮発性メモリの両方を含んでもよい、ことが更に理解されるべきである。不揮発性メモリは、リード・オンリー・メモリ（read-only  memory，ＲＯＭ）、プログラム可能なリード・オンリー・メモリ（programmable  ROM，ＰＲＯＭ）、消去可能なプログラム可能リード・オンリー・メモリ（erasable  PROM，ＥＰＲＯＭ）、電気的消去可能なプログラム可能リード・オンリー・メモリ（electrically  EPROM，ＥＥＰＲＯＭ）、又はフラッシュメモリであってよい。揮発性メモリ及びは、外部キャッシュとして使用されるランダム・アクセス・メモリ（random  access  memory，ＲＡＭ）であってよい。例において、制限なしに、多くの形態のランダム・アクセス・メモリ（random  access  memory，ＲＡＭ）が使用されてよく、例えば、静的ランダム・アクセス・メモリ（static  RAM，ＳＲＡＭ）、動的ランダム・アクセス・メモリ（ＤＲＡＭ）、同期型動的ランダム・アクセス・メモリ（synchronous  DRAM，ＳＤＲＡＭ）、ダブル・データ・レート同期型動的ランダム・アクセス・メモリ（double  data  rate  SDRAM，ＤＤＲ  ＳＤＲＡＭ）、エンハンスト同期型動的ランダム・アクセス・メモリ（enhanced  SDRAM，ＥＳＤＲＡＭ）、シンクリンク動的ランダム・アクセス・メモリ（synchlink  DRAM，ＳＬＤＲＡＭ）、及びダイレクト・ラムバス型ランダム・アクセス・メモリ（direct  rambus  RAM，ＤＲ  ＲＡＭ）がある。
【０７８３】
上記の実施形態の全部又は一部は、ソフトウェア、ハードウェア、ファームウェア、又はそれらの任意の組み合わせを使用することによって実装されてよい。ソフトウェアが実施形態を実装するために使用される場合に、上記の実施形態は、完全に又は部分的にコンピュータプログラム製品の形で実装されてよい。コンピュータプログラム製品は、１つ以上のコンピュータ命令又はコンピュータプログラムを含む。コンピュータ命令又はコンピュータプログラムがコンピュータでロード又は実行される場合に、本願の実施形態に従うプロシージャ又は機能は、完全に又は部分的に生成される。コンピュータは、汎用コンピュータ、専用コンピュータ、コンピュータネットワーク、又は他のプログラム可能な装置であってよい。コンピュータ命令は、コンピュータ可読記憶媒体に記憶されてよく、あるいは、コンピュータ可読記憶媒体から他のコンピュータ可読記憶媒体へ伝送されてもよい。例えば、コンピュータ命令は、ウェブサイト、コンピュータ、サーバ、又はデータセンタから他のウェブサイト、コンピュータ、サーバ、又はデータセンタへ有線（例えば、赤外線、電波、又はマイクロ波）で伝送されてよい。コンピュータ可読記憶媒体は、コンピュータによってアクセス可能な任意の使用可能な媒体、又は１つ以上の使用可能な媒体を組み込むサーバ若しくはデータセンタのようなデータ記憶デバイスであってよい。使用可能な媒体は、磁気媒体（例えば、フロッピーディスク、ハードディスク、若しくは磁気テープ）、光学媒体（例えば、ＤＶＤ）、又は半導体媒体であってよい。半導体媒体は、固体状態ドライブであってよい。
【０７８４】
本明細書中の「及び／又は」という語は、単に、関連するオブジェクトについて記載するための関連付け関係を記載し、３つの関係が存在する可能性があることを表す、ことが理解されるべきである。例えば、Ａ及び／又はＢは、次の３つの場合：Ａのみが存在する，Ａ及びＢの両方が存在する，及びＢのみが存在する、を表すことができる。更に、本明細書中の「／」という文字は、関連するオブジェクトの間の「論理和」関係を通常は示す。
【０７８５】
プロセスの順序番号は、本願の様々な実施形態において実行順序を意味しない、ことが理解されるべきである。プロセスの実行順序は、プロセスの内部ロジック及び機能に基づいて決定されるべきであり、本願の実施形態の実施プロセスに対する如何なる限定としても解釈されるべきではない。
【０７８６】
当業者であれば、本明細書で開示される実施形態を参照して記載される例の中のユニット及びアルゴリズムは、電子ハードウェア又はコンピュータソフトウェアと電子ハードウェアとの組み合わせによって実施可能であると気付くことができる。機能がハードウェア又はソフトウェアによって実行されるかどうかは、技術的解決法の特定の用途及び設計制約に依存する。当業者であれば、夫々の特定の用途のために、異なる方法を使用して、記載されている機能を実装することができるが、実施が本願の範囲を超えることは考えられるべきではない。当業者に当然ながら、便宜上、かつ、簡潔な記載のために、上記のシステム、装置、及びネットワーク要素の詳細な作動プロセスについては、上記の方法の実施形態における対応するプロセスを参照されたい。詳細は、ここで再び記載されない。本願で提供されるいくつかの実施形態において、開示されているシステム、装置、及び方法は、他の様態で実装されてもよいことが理解されるべきである。例えば、記載されている装置の実施形態は、一例にすぎない。例えば、ネットワーク要素への分割は、単に、論理的な機能分割であり、実際の実施では他の分割であってもよい。例えば、複数のネットワーク要素又はコンポーネントは、他のシステムに結合又は一体化されてよく、あるいは、いくつかの特徴は、無視されても又は実行されなくてもよい。更に、表示又は議論されている相互結合又は直接的な結合若しくは通信接続は、いくつかのインターフェースを使用することによって実装されてよい。装置又はネットワーク要素間の間接的な結合又は通信接続は、電子的な、磁気的な、又は他の形態で実装されてよい。
【０７８７】
別々の部分として記載されているネットワーク要素は、物理的に分離していてもしていなくてもよく、ネットワーク要素として表示されている部分は、物理的なネットワーク要素であってもなくてもよく、１つの場所に配置されてよく、あるいは、複数のネットワーク要素で分布してもよい。ネットワーク要素の一部又は全部は、実施形態の解決法の目的を達成すべく実際の要件に基づいて選択されてよい。更に、本願の実施形態における機能ネットワーク要素は、１つの処理ネットワーク要素に一体化されてよく、あるいは、ネットワーク要素の夫々は、物理的に単独で存在してよく、あるいは、２つ以上のネットワーク要素が１つのネットワーク要素に一体化されてもよい。機能がソフトウェア機能ネットワーク要素の形で実装され、独立した製品として販売又は使用される場合に、機能は、コンピュータ可読記憶媒体に記憶されてよい。かような理解に基づいて、本願の技術的解決法は本質的に、又は先行技術に寄与する部分、若しくは技術的解決法のいくつかは、コンピュータソフトウェア製品の形で実装されてよい。コンピュータソフトウェア製品は、記憶媒体に記憶され、コンピュータデバイス（パーソナルコンピュータ、サーバ、又は第１コアネットワーク要素であってよい）に、本願の実施形態における方法のステップの全部又は一部を実行するよう指示するためのいくつかの命令を含む。上記の記憶媒体には、ＵＳＢフラッシュドライブ、リムーバブル型ハードディスク、リード・オンリー・メモリ（ＲＯＭ）、ランダム・アクセス・メモリ（ＲＡＭ）、磁気ディスク、又は光ディスクのような、プログラムコードを記憶することができる如何なる媒体も含まれる。
【０７８８】
上記の説明は、本願の具体的な実施にすぎず、本願の保護範囲を制限する意図はない。本願で開示されている技術範囲内で当業者によって容易に考え付かれる如何なる変形又は置換も、本願の保護範囲内に入るべきである。従って、本願の保護範囲は、特許請求の範囲の保護範囲に従うべきである。
【０７８９】
本願は、「COMMUNICATION  METHOD  AND  COMMUNICATIONS  APPARATUS」と題されて２０１８年４月１０日付けで出願された中国出願第２０１８１０３１７７２１．３号に対する優先権を主張するとともに、「COMMUNICATION  METHOD  AND  COMMUNICATIONS  APPARATUS」と題されて２０１８年５月２１日付けで出願された中国出願第２０１８１０４８７９２０．９号に対する優先権を主張する。これらの中国出願は、それらの全文を参照により本願に援用される。
【図１】
2021517799.tif 000003
【図２】
2021517799.tif 000004
【図３】
2021517799.tif 000005
【図４】
2021517799.tif 000006
【図５】
2021517799.tif 000007
【図６】
2021517799.tif 000008
【図７】
2021517799.tif 000009
【図８】
2021517799.tif 000010
【図９】
2021517799.tif 000011
【図１０】
2021517799.tif 000012
【図１１】
2021517799.tif 000013
【図１２】
2021517799.tif 000014
【図１３】
2021517799.tif 000015
【図１４】
2021517799.tif 000016
【図１５】
2021517799.tif 000017
【図１６】
2021517799.tif 000018
【図１７】
2021517799.tif 000019
【図１８】
2021517799.tif 000020
【手続補正書】
【提出日】令和2年10月7日(2020.10.7)
【手続補正１】
【補正対象書類名】特許請求の範囲
【補正対象項目名】全文
【補正方法】変更
【補正の内容】
【特許請求の範囲】
【請求項１】
端末デバイスによって、サービスフローを新たに追加又は更新するよう要求する要求メッセージを、第１アクセス技術を使用することによってコアネットワーク要素へ送信することであり、前記要求メッセージは、前記コアネットワーク要素が前記サービスフローに対応するアクセス技術を変更することを許可されることを示す指示情報を有する、前記送信することと、
前記端末デバイスによって、前記第１アクセス技術を使用することによって、前記コアネットワーク要素から前記要求メッセージの応答メッセージを受信することであり、前記応答メッセージは、前記第１アクセス技術及び第２アクセス技術を使用することによって前記サービスフローを伝送することを示すフロー分割規則を有する、前記受信することと、
前記端末デバイスによって、前記第１アクセス技術及び前記第２アクセス技術を使用することによって、前記応答メッセージに基づいて前記サービスフローを伝送することと
を有する通信方法。
【請求項２】
前記要求メッセージは、識別情報を更に有し、該識別情報は、前記サービスフローを決定するために使用可能である、
請求項１に記載の通信方法。
【請求項３】
前記識別情報は、プロトコルデータユニット（ＰＤＵ）セッション識別子を有する、
請求項２に記載の通信方法。
【請求項４】
前記応答メッセージは、前記識別情報を更に有する、
請求項２又は３に記載の通信方法。
【請求項５】
前記要求メッセージは、前記第１アクセス技術に対応するクオリティ・オブ・サービス（ＱｏＳ）パラメータを更に有し、前記応答メッセージは、前記第１アクセス技術及び前記第２アクセス技術に対応するＱｏＳパラメータを更に有する、
請求項１乃至４のうちいずれか一項に記載の通信方法。
【請求項６】
当該通信方法は、
前記端末デバイスによって前記フロー分割規則に従って、前記第１アクセス技術及び前記第２アクセス技術を使用することによって実行される伝送内にある前記サービスフローのデータ量を決定することを更に有し、
前記端末デバイスによって、前記第１アクセス技術及び前記第２アクセス技術を使用することによって、前記応答メッセージに基づいて前記サービスフローを伝送することは、
前記端末デバイスによって、前記第１アクセス技術及び前記第２アクセス技術を使用することによって、前記データ量に基づいて前記サービスフローを伝送することを有する、
請求項１乃至５のうちいずれか一項に記載の通信方法。
【請求項７】
前記フロー分割規則は、前記第１アクセス技術を使用することによって実行される伝送内にある前記サービスフローのデータ量、及び／又は前記第２アクセス技術を使用することによって実行される伝送内にある前記サービスフローのデータ量を有し、あるいは、
前記フロー分割規則は、前記第２アクセス技術を使用することによって実行される伝送内にある前記サービスフローのデータ量に対する、前記第１アクセス技術を使用することによって実行される伝送内にある前記サービスフローのデータ量の比を有する、
請求項６に記載の通信方法。
【請求項８】
前記第１アクセス技術は、３ＧＰＰアクセス技術であり、前記第２アクセス技術は、非３ＧＰＰアクセス技術であり、あるいは、前記第１アクセス技術は、非３ＧＰＰアクセス技術であり、前記第２アクセス技術は、３ＧＰＰアクセス技術である、
請求項１乃至７のうちいずれか一項に記載の通信方法。
【請求項９】
前記要求メッセージは、ＰＤＵセッション変更要求を有し、前記応答メッセージは、ＰＤＵセッション変更コマンドを含む、
請求項１乃至８のうちいずれか一項に記載の通信方法。
【請求項１０】
前記端末デバイスによって、前記第１アクセス技術及び前記第２アクセス技術を使用することによって、前記応答メッセージに基づいて前記サービスフローを伝送することは、
前記端末デバイスによって、前記応答メッセージに基づいて、前記第１アクセス技術及び前記第２アクセス技術を使用するマルチアクセスＰＤＵセッションにおいて前記サービスフローを伝送することを有する、
請求項１乃至９のうちいずれか一項に記載の通信方法。
【請求項１１】
前記コアネットワーク要素は、セッション管理機能（ＳＭＦ）ネットワーク要素である、
請求項１乃至１０のうちいずれか一項に記載の通信方法。
【請求項１２】
コアネットワーク要素によって、第１アクセス技術を使用することによって端末デバイスから、サービスフローを新たに追加又は更新するよう要求する要求メッセージを受信することであり、前記要求メッセージは、前記コアネットワーク要素が前記サービスフローに対応するアクセス技術を変更することを許可されることを示す指示情報を有する、前記受信することと、
前記コアネットワーク要素によって、前記要求メッセージの応答メッセージを、前記第１アクセス技術を使用することによって前記端末デバイスへ送信することであり、前記応答メッセージは、前記第１アクセス技術及び第２アクセス技術を使用することによって前記サービスフローを伝送することを前記端末デバイスに示すフロー分割規則を有する、前記送信することと
を有する通信方法。
【請求項１３】
前記要求メッセージは、識別情報を更に有し、該識別情報は、前記サービスフローを決定するために使用可能である、
請求項１２に記載の通信方法。
【請求項１４】
前記識別情報は、プロトコルデータユニット（ＰＤＵ）セッション識別子を有する、
請求項１３に記載の通信方法。
【請求項１５】
前記応答メッセージは、前記識別情報を更に有する、
請求項１３又は１４に記載の通信方法。
【請求項１６】
当該通信方法は、
前記コアネットワーク要素によって、前記サービスフローのポリシー情報を取得することと、
前記コアネットワーク要素によって、前記ポリシー情報に基づいて前記フロー分割規則を生成することと
を有する、
請求項１２乃至１５のうちいずれか一項に記載の通信方法。
【請求項１７】
前記フロー分割規則は、
前記第１アクセス技術を使用することによって実行される伝送内にある前記サービスフローのデータ量、及び／又は前記第２アクセス技術を使用することによって実行される伝送内にある前記サービスフローのデータ量、あるいは、
前記第２アクセス技術を使用することによって実行される伝送内にある前記サービスフローのデータ量に対する、前記第１アクセス技術を使用することによって実行される伝送内にある前記サービスフローのデータ量の比
を有する、
請求項１６に記載の通信方法。
【請求項１８】
前記要求メッセージは、前記第１アクセス技術に対応するクオリティ・オブ・サービス（ＱｏＳ）パラメータを更に有し、前記応答メッセージは、前記第１アクセス技術及び前記第２アクセス技術に対応するＱｏＳパラメータを更に有する、
請求項１２乃至１７のうちいずれか一項に記載の通信方法。
【請求項１９】
前記第１アクセス技術は、３ＧＰＰアクセス技術であり、前記第２アクセス技術は、非３ＧＰＰアクセス技術であり、あるいは、前記第１アクセス技術は、非３ＧＰＰアクセス技術であり、前記第２アクセス技術は、３ＧＰＰアクセス技術である、
請求項１２乃至１８のうちいずれか一項に記載の通信方法。
【請求項２０】
前記要求メッセージは、ＰＤＵセッション変更要求を有し、前記応答メッセージは、ＰＤＵセッション変更コマンドを含む、
請求項１２乃至１９のうちいずれか一項に記載の通信方法。
【請求項２１】
前記コアネットワーク要素は、セッション管理機能（ＳＭＦ）ネットワーク要素である、
請求項１２乃至２０のうちいずれか一項に記載の通信方法。
【請求項２２】
通信装置であって、
メモリと結合され、該メモリに記憶されている命令を実行して、当該通信装置が請求項１乃至１１のうちいずれか一項に記載の通信方法を実行することを可能にする少なくとも１つのプロセッサを有する、
通信装置。
【請求項２３】
通信装置であって、
メモリと結合され、該メモリに記憶されている命令を実行して、当該通信装置が請求項１２乃至２１のうちいずれか一項に記載の通信方法を実行することを可能にする少なくとも１つのプロセッサを有する、
通信装置。
【請求項２４】
少なくとも１つのプロセッサによって実行されるプログラムであって、
前記少なくとも１つのプロセッサを有する装置に、請求項１乃至１１のうちいずれか一項に記載の通信方法を実行させる命令を含む、
プログラム。
【請求項２５】
請求項２４に記載のプログラムを記憶しているコンピュータ可読記憶媒体。
【請求項２６】
少なくとも１つのプロセッサによって実行されるプログラムであって、
前記少なくとも１つのプロセッサを有する装置に、請求項１２乃至２１のうちいずれか一項に記載の通信方法を実行させる命令を含む、
プログラム。
【請求項２７】
請求項２６に記載のプログラムを記憶しているコンピュータ可読記憶媒体。
【請求項２８】
請求項１２乃至２１のうちいずれか一項に記載の通信方法を実行するよう構成されたセッション管理機能ネットワーク要素と、
サービスフローのポリシー情報を送信するよう構成されたポリシー制御機能ネットワーク要素と
を有し、
前記セッション管理機能ネットワーク要素は、前記ポリシー情報に基づいてフロー分割規則を生成するよう更に構成される、
通信システム。
【手続補正２】
【補正対象書類名】明細書
【補正対象項目名】００１４
【補正方法】変更
【補正の内容】
【００１４】
第１の態様を参照して、第１の態様の実施において、要求メッセージは、第１識別情報と、第１アクセス技術の指示情報とを含み、第１識別情報は、サービスフローを決定するために使用可能である。応答メッセージは、第１識別情報と、第２アクセス技術の指示情報とを含むか、あるいは、応答メッセージは、第１識別情報と、第１アクセス技術の指示情報と、第２アクセス技術の指示情報とを含む。
【手続補正３】
【補正対象書類名】明細書
【補正対象項目名】００３９
【補正方法】変更
【補正の内容】
【００３９】
第３の態様を参照して、第３の態様の実施において、ネットワークステータス情報は、アクセスネットワークデバイスのペイロード、バンド幅、遅延、パケット損失レート、又は信号強度のうちの少なくとも１つを含む。
【手続補正４】
【補正対象書類名】明細書
【補正対象項目名】００４５
【補正方法】変更
【補正の内容】
【００４５】
第４の態様を参照して、第４の態様の実施において、要求メッセージは、第１識別情報と、第１アクセス技術の指示情報とを含み、第１識別情報は、サービスフローを決定するために使用可能である。応答メッセージは、第１識別情報と、第２アクセス技術の指示情報とを含むか、あるいは、応答メッセージは、第１識別情報と、第１アクセス技術の指示情報と、第２アクセス技術の指示情報とを含む。
【手続補正５】
【補正対象書類名】明細書
【補正対象項目名】０１００
【補正方法】変更
【補正の内容】
【０１００】
第６の態様及び第６の態様の上記の実施を参照して、第６の態様の他の実施において、第１コアネットワーク要素によって、第５指示情報を、第２アクセス技術を使用することによって第２アクセスネットワークデバイスへ送信することは、第１コアネットワーク要素によって、第２メッセージを第２コアネットワーク要素へ送信することであり、第２メッセージは、第２アクセス技術の指示情報及び第５指示情報を含む、ことと、第２コアネットワーク要素によって、第５指示情報を、第２アクセス技術を使用することによって第２アクセスネットワークデバイスへ送信することとを含み、あるいは、第１コアネットワーク要素によって、第３メッセージを第２コアネットワーク要素へ送信することであり、第３メッセージは、第４指示情報、第１アクセス技術の指示情報、第５指示情報、及び第２アクセス技術の指示情報を含み、第４指示情報は、第１アクセス技術の指示情報に対応し、第５指示情報は、第２アクセス技術の指示情報に対応する、ことと、第２コアネットワーク要素によって、第２アクセス技術を使用することによって、対応に基づいて第５指示情報を第２アクセスネットワークデバイスへ送信することとを含む。
【手続補正６】
【補正対象書類名】明細書
【補正対象項目名】０１０５
【補正方法】変更
【補正の内容】
【０１０５】
本願のこの実施形態における通信方法に従って、サービスフローがパケット粒度フロー分割をサポートし、端末デバイスがマルチアクセスフロー分割をサービスフローに対して実行すると決定する場合に、端末デバイスは、サービスフローのデータパケットを第１データパケット内にカプセル化し、第１データパケットをアクセスネットワークデバイスへ送信して、サービスフローがパケット粒度フロー分割をサポートするサービスフローであることを示す。アクセスネットワークデバイスは、第６識別子及び第１データパケットを第２データパケットヘッダにおいてカプセル化し、第２データパケットヘッダを第１コアネットワーク要素へ送信する。第２データパケットヘッダ内の第６識別子に基づいて、第１コアネットワーク要素は、ＴＦＣＰデータパケットヘッダをパースし、又はデータパケットを順位付けする。
【手続補正７】
【補正対象書類名】明細書
【補正対象項目名】０１４５
【補正方法】変更
【補正の内容】
【０１４５】
第１３の態様に従って、通信装置が提供される。装置は、第１の態様又は第１の態様の可能な実施のうちのいずれか１つに従って通信装置の動作を実行するよう構成されてよい。具体的に、通信装置は、第１の態様で記載されるステップ又は機能を実行するよう構成された対応するコンポーネント（手段）を含み、コンポーネントは、第１の態様における端末デバイスであってよい。ステップ又は機能は、ソフトウェア、ハードウェア、又はハードウェアとソフトウェアとの組み合わせによって実装されてよい。
【手続補正８】
【補正対象書類名】明細書
【補正対象項目名】０１４７
【補正方法】変更
【補正の内容】
【０１４７】
第１５の態様に従って、通信装置が提供される。装置は、第３の態様又は第３の態様の可能な実施のうちのいずれか１つに従って通信装置の動作を実行するよう構成されてよい。具体的に、通信装置は、第３の態様で記載されるステップ又は機能を実行するよう構成された対応するコンポーネント（手段）を含み、コンポーネントは、第３の態様におけるアクセスネットワークデバイスであってよい。ステップ又は機能は、ソフトウェア、ハードウェア、又はハードウェアとソフトウェアとの組み合わせによって実装されてよい。
【手続補正９】
【補正対象書類名】明細書
【補正対象項目名】０１７３
【補正方法】変更
【補正の内容】
【０１７３】
更に、本願の実施形態における態様又は特徴は、標準のプログラミング及び／又はエンジニアリング技術を使用する方法、装置、又は製品として実装されてよい。本願で使用される「製品」という語は、如何なるコンピュータ可読デバイスからもアクセス可能なコンピュータプログラム、担体、又は媒体を網羅する。例えば、コンピュータ可読媒体には、制限なしに、磁気記憶デバイス（例えば、ハードディスク、フロッピーディスク、又は磁気テープ）、光ディスク（例えば、コンパクト・ディスク（Compact  Disc，ＣＤ）、デジタル・バーサタイル・ディスク（Digital  Versatile  Disc，ＤＶＤ））、スマートカード、及びフラッシュメモリデバイス（例えば、消去可能なプログラム可能リード・オンリー・メモリ（Erasable  Programmable  Read-Only  Memory，ＥＰＲＯＭ）、カード、スティック、又はキードライブ）が含まれ得る。更に、本明細書で記載される様々な記憶媒体は、情報を記憶するよう構成される１つ以上のデバイス及び／又は他のマシン可読媒体を示し得る。「マシン可読媒体」という用語には、制限なしに、無線チャネルと、命令及び／又はデータを記憶し、含み、及び／又は運ぶことができる様々な他の媒体が含まれ得る。
【手続補正１０】
【補正対象書類名】明細書
【補正対象項目名】０１８５
【補正方法】変更
【補正の内容】
【０１８５】
ユーザプレーン機能ネットワーク要素は、データパケットを転送すること、クオリティ・オブ・サービス（Quality  of  Service，ＱｏＳ）を制御すること、課金情報に関する統計量を収集する、等に主に関与する。
【手続補正１１】
【補正対象書類名】明細書
【補正対象項目名】０１８６
【補正方法】変更
【補正の内容】
【０１８６】
制御プレーン機能ネットワーク要素は、端末デバイスの登録及び認証、モビリティ管理、ユーザプレーン機能ネットワーク要素へのデータパケット転送ポリシー及びＱｏＳ制御ポリシーの供給、等に主に関与する。
【手続補正１２】
【補正対象書類名】明細書
【補正対象項目名】０１８７
【補正方法】変更
【補正の内容】
【０１８７】
制御プレーン機能ネットワーク要素は、更に具体的には、機能に基づいて、アクセス及びモビリティ管理機能（Access  and  Mobility  Management  Function，ＡＭＦ）ネットワーク要素と、セッション管理機能（Session  Management  Function，ＳＭＦ）ネットワーク要素とに分けられてよい。
【手続補正１３】
【補正対象書類名】明細書
【補正対象項目名】０２４６
【補正方法】変更
【補正の内容】
【０２４６】
可能な実施では、ステップ１１０の要求メッセージは、端末デバイスとＵＰＦネットワーク要素との間のマルチアクセスＰＤＵセッションに対してサービスフローを新たに追加又は更新するよう要求する。
【手続補正１４】
【補正対象書類名】明細書
【補正対象項目名】０２５０
【補正方法】変更
【補正の内容】
【０２５０】
可能な実施では、ステップ１１０の要求メッセージは第１識別子を含み、第１識別子は、サービスフローを決定するために使用可能である。第１識別子は、サービスフローを記述するために使用され得るデータパケットフィルタ（Packet  Filter）であってよく、従って、サービスフロー記述とも呼ばれ得る。代替的に、第１識別子は、サービスデータフロー（Service  data  flow，ＳＤＦ）テンプレートであってよく、サービスデータフローテンプレートは、サービスフロー記述セット、すなわち、パケットフィルタセットである。従って、第１識別子は、サービスフロー記述とも呼ばれ得る。
【手続補正１５】
【補正対象書類名】明細書
【補正対象項目名】０３４８
【補正方法】変更
【補正の内容】
【０３４８】
場合２において、端末デバイスからＵＰＦへ送信される要求メッセージは、データが複数のリンクで伝送されるべきであることを示すパラメータを運ぶ必要がなくてもよく、ＵＰＦがマルチアクセス伝送指示を開始する、ことが理解されるべきである。ＵＰＦがマルチアクセス伝送指示を開始する場合に、データが複数のリンクで伝送されるべきであることを示すパラメータは、場合１におけるそれと同様である。詳細は、ここで再び記載されない。違いは、データが複数のリンクで伝送されるべきであることを示すパラメータがＵＰＦから端末デバイスへ送信される場合に、第１ウィンドウ長さがＵＰＦの伝送ウィンドウ長さを示すために使用可能である点にある。第１ウィンドウ長さは、伝送制御プロトコル（Transmission  Control  Protocol，ＴＣＰ）レイヤでのＵＰＦの伝送ウィンドウ長さにセットされてよい。
【手続補正１６】
【補正対象書類名】明細書
【補正対象項目名】０４１４
【補正方法】変更
【補正の内容】
【０４１４】
例えば、第１アクセス技術におけるサービスフロー１の伝送品質が満足され得ない場合に、第１アクセスネットワークデバイスは、第１アクセス技術においてサービスフロー１を伝送するために使用される伝送リソースを削除し、ネットワークステータス情報を、第１コアネットワーク要素に通知するために送信する。第１コアネットワーク要素は、サービスフロー１の通常の伝送を確かにするために、サービスフロー１が第２アクセス技術を使用することによって伝送可能であるように、第２アクセス技術のＱｏＳプロファイルをセットする必要がある。目下、第２アクセス技術のＱｏＳプロファイルに含まれるＱｏＳパラメータは、ＱｏＳ１である。サービスフロー１の通常の伝送は、ＱｏＳ１がＱｏＳ２に更新される場合にのみ満足され得る。この場合に、第１コアネットワーク要素から送信された第５指示情報はＱｏＳ２を含み、第２アクセスネットワークデバイスは、第５指示情報を受信してＱｏＳ１をＱｏＳ２に更新する。
【手続補正１７】
【補正対象書類名】明細書
【補正対象項目名】０４２２
【補正方法】変更
【補正の内容】
【０４２２】
第１コアネットワーク要素は、要求メッセージ及び第１コアネットワーク要素ポリシーに基づいて、サービスフローが第２アクセス技術又は、第１アクセス技術及び第２アクセス技術を使用することによって、伝送されるべきであることを決定する。コアネットワークポリシーは、ＰＣＦ又はＳＭＦで設定されたフロー分割ポリシー情報である。ＰＣＦがフロー分割ポリシーを設定する場合に、ＰＣＦはフロー分割ポリシーをＳＭＦへ送信する。任意に、ＰＣＦからＳＭＦへ送信されるＰＣＣ（Policy  and  Charging  Control）規則は、フロー分割ポリシーを含む。フロー分割ポリシーは、サービスフロー記述（１つ以上のパケットフィルタ）又はサービスデータフローテンプレート（ＳＤＦテンプレート）とアクセス技術との間の対応と、任意のルーティングファクタとを含む。アクセス技術は、第１アクセス技術、第２アクセス技術、第１アクセス技術及び第２アクセス技術、又はマルチアクセス指示である。第１アクセス技術及び第２アクセス技術、又はマルチアクセス指示は、サービスフローが第１アクセス技術及び第２アクセス技術のいずれか１つ又は２つを使用することによって伝送され得ることを示すために使用可能である。フロー分割ポリシーが第１アクセス技術及び第２アクセス技術の両方を含む場合に、ルーティングファクタ（routing  factor）はアクセス技術ごとに更に含まれる。ルーティングファクタが“ＮＵＬＬ”にセットされる場合に、それは、各アクセス技術を使用することによって実行されるべき伝送内のデータ量が制限されないことを示す。ルーティングファクタが特定の値（例えば、ａ：ｂ）である場合に、各アクセス技術を使用することによって実行されるべき伝送内の特定のデータ量、バンド幅値、データ量比、又はバンド幅比が示される。フロー分割ポリシーがフロー記述１又はフローテンプレート１を含み、第１アクセス技術に対応するルーティングファクタがａであり、第２アクセス技術に対応するルーティングファクタがｂである場合に、総データ量又は総バンド幅のａ／（ａ＋ｂ）は、第１アクセス技術を使用することによって実行されるべき伝送内にあり、総データ量又は総バンド幅のｂ／（ａ＋ｂ）は、第２アクセス技術を使用することによって伝送されるべき伝送内にある。同じフロー分割ポリシー情報は、代替的に、ＳＭＦで設定されてもよい。代替的に、ＰＣＦのフロー分割ポリシー情報は、第１アクセス技術及び第２アクセス技術を示し、ＳＭＦは、ネットワークリンクステータスに基づいて各アクセス技術のルーティングファクタを決定する。
【手続補正１８】
【補正対象書類名】明細書
【補正対象項目名】０４３０
【補正方法】変更
【補正の内容】
【０４３０】
任意に、応答メッセージは、第３識別子及びマルチアクセス技術に基づく伝送指示を含む。第３識別子及びマルチアクセス技術に基づく伝送指示は、第１コアネットワーク要素が、第３識別子に基づいて決定された第３サービスフローのマルチアクセス技術に基づく伝送を許可／認証するか、あるいは、第３識別子に基づいて決定された第３サービスフローのＴＦＣＰベースのカプセル化を許可／認証することを示す。第３識別子は、サービスフロー記述（１つ以上のパケットフィルタ）、サービスデータフローテンプレート（Service  data  flow  template，ＳＤＦテンプレート）、ＱＦＩ、又はＰＤＵセッションＩＤである。マルチアクセス技術に基づく伝送指示は、ＴＦＣＰプロトコル指示、ＴＦＣＰプロトコルベースカプセル化指示、又はパケット粒度フロー分割指示である。
【手続補正１９】
【補正対象書類名】明細書
【補正対象項目名】０４５５
【補正方法】変更
【補正の内容】
【０４５５】
第１コアネットワーク要素（図１に示されるＳＭＦネットワーク要素）は、Ｎ４セッションメッセージを第３コアネットワーク要素（図１に示されるＵＰＦネットワーク要素）へ送信するよう更に構成されてよい。Ｎ４セッションメッセージは、第４識別子及びマルチアクセス伝送指示を含む。第４識別子は、サービスフロー記述（１つ以上のパケットフィルタ）、サービスデータフローテンプレート（Service  data  flow  template，ＳＤＦテンプレート）、ＱＦＩ、ＰＤＵセッションＩＤ、又はＮ４セッション識別子である。Ｎ４セッションは、ＰＤＵセッションと一対一の対応にある。マルチアクセス技術に基づく伝送指示は、ＴＦＣＰプロトコル指示、ＴＦＣＰベースカプセル化指示、又はパケット粒度フロー分割指示である。ＵＰＦは、第４識別子とマルチアクセス伝送指示との間の対応を記憶し、ＵＰＦは、対応に基づいてユーザプレーンデータに対してＴＦＣＰヘッダ構文解析を実行する。
【手続補正２０】
【補正対象書類名】明細書
【補正対象項目名】０６２７
【補正方法】変更
【補正の内容】
【０６２７】
代替的に、図１３において、サービスフローが第１サイドリンクで伝送される状態は、サービスフローが第２サイドリンクで伝送される状態に変更される必要がある。サービスフローが第１サイドリンクから第２サイドリンクへ移されるプロセスにおいて、データ送信ネットワーク要素は、両方のサイドリンクでサービスフロー内のデータパケットを送信する必要がある。任意に、サービスフローが第１サイドリンクで伝送される場合に、データ送信ネットワーク要素は、第１サイドリンクで伝送される最後のデータパケットとして使用されるエンドマーカデータパケットを送信する。代替的に、任意に、第１サイドリンク及び第２サイドリンクの両方でのサービスフローの伝送が開始及び／又は終了する場合に、データ送信ネットワーク要素は、第１リンクサイド及び／又は第２リンクサイドでエンドマーカデータパケットを送信し、このとき、エンドマーカデータパケットは、伝送の開始及び／又は終了の指示として使用される。伝送が第１サイドリンクで完了していることをデータ送信ネットワーク要素がいかにして決定するかは、この実施形態において制限されない。エンドマーカデータパケットが送信されてよく、あるいは、データが第１サイドリンクで伝送される継続期間が第１の前もってセットされた継続期間に達する。
【手続補正２１】
【補正対象書類名】明細書
【補正対象項目名】０６２８
【補正方法】変更
【補正の内容】
【０６２８】
代替的に、図１３のフロー分割ポリシーにおける第１リンク及び第２リンクの両方のフロー分割割合が１００％である場合に、端末デバイスは、第１データパケット及び第２データパケットが同じデータパケットであると決定する。
【手続補正２２】
【補正対象書類名】明細書
【補正対象項目名】０６９４
【補正方法】変更
【補正の内容】
【０６９４】
通信装置は、信号を入力（受信）するよう構成された受信ユニット２３０を含んでよい。例えば、通信装置はチップであってよく、受信ユニット２３０は、チップの入力回路又は通信インターフェースであってよい。チップは、アクセスネットワークデバイスに適用されてよい。他の例として、通信装置はアクセスネットワークデバイスであってよく、受信ユニット２３０は、トランシーバ、無線周波数チップ、などであってよい。
【手続補正２３】
【補正対象書類名】明細書
【補正対象項目名】０７６５
【補正方法】変更
【補正の内容】
【０７６５】
図１７に示される通信装置４００は、図４及び図１３に示されている実施形態におけるデータ送信ネットワーク要素の通信方法を実装してよい。具体的な実施において、詳細は、次の通りである：
処理ユニットは、第１リンクのリンクステータス及び／又は第２リンクのリンクステータスを決定するよう更に構成される。
【手続補正２４】
【補正対象書類名】図面
【補正対象項目名】図８
【補正方法】変更
【補正の内容】
【図８】
2021517799.tif 000021
【手続補正２５】
【補正対象書類名】図面
【補正対象項目名】図１０
【補正方法】変更
【補正の内容】
【図１０】
2021517799.tif 000022
【国際調査報告】
2021517799.tif 000023
2021517799.tif 000024